(57)【特許請求の範囲】
【請求項１】
哺乳動物の大静脈内に挿入可能な心臓遮断カテーテル（ＣＩＣ，１０）であって、
（ａ）その内部で長手方向に延出する静脈血液流ルーメン（２４）と、近端部と、遠端部と、近端ポート（１４）と、遠端ポート（１６）とを有する中空筒状本体（１０）、
（ｂ）前記本体（１０）に取り付けられた遠端導管シート（１７）、
（ｃ）前記本体（１０）に取り付けられた近端導管シート（１５）、を備え、
哺乳動物の大静脈内に於いて、一方の導管シートが右心房（ＲＡ）と、腕頭静脈の接合部との間の前記哺乳動物の上大静脈（ＳＶＣ）内に位置し、他方の導管シートが、右心房（ＲＡ）と肝静脈との間の下大静脈（ＩＶＣ）内に位置するように、位置決め可能に構成され、
前記遠端ポート（１６）は、前記遠端導管シート（１７）に対して遠端側に位置し、
前記近端ポート（１４）は、前記近端導管シート（１５）に対して近端側に位置し、
前記遠端導管シート（１７）および前記近端導管シート（１５）のそれぞれは、前記本体（１０）の周囲に延出した一対の互いに近接離間配置された隆起面で構成され、
前記心臓遮断カテーテルの本体（１０）に、その内部に於いて長手方向に延出すると共に、前記一対の近接離間隆起面間に位置する吸入ポート（１８）と連通する吸引ルーメン（２６）を備え、
前記吸引ルーメン（２６）に対して吸引力を付与することによって、大静脈を前記遠端導管シート（１７）および前記近端導管シート（１５）に確実に着座させ、
哺乳動物の大静脈内にすえつけられた時、腕頭静脈の接合部の血液と、肝静脈の血液が、前記両ポート（１４，１６）を介して前記静脈血液流ルーメン（２４）と流体連通するように構成してある心臓遮断カテーテル（ＣＩＣ，１０）。
【請求項２】
前記遠端導管シート（１７）と前記近端導管シート（１５）との内の少なくとも一方は伸張可能である請求項１に記載の心臓遮断カテーテル（ＣＩＣ，１０）。
【請求項３】
前記伸張可能な導管シート（１５，１７）は、前記本体（１０）に取り付けられるとともに、この本体（１０）内で長手方向に延出する膨張ルーメンと連通する内部を有するバルーン（１２）であり、
心臓遮断カテーテル（ＣＩＣ，１０）を哺乳動物の大静脈内に位置決めした後、前記バルーン（１２）を膨張させることによって、大静脈は前記導管シートにしっかりと着座可能である請求項２に記載の心臓遮断カテーテル（ＣＩＣ，１０）。
【請求項４】
前記遠端導管シート（１７）および前記近端導管シート（１５）の両方が、前記本体（１０）に取り付けられるとともに、前記膨張ルーメンと連通する内部を有するバルーン（１２）である請求項３に記載の心臓遮断カテーテル（ＣＩＣ，１０）。
【請求項５】
前記本体（１０）は、その内部に於いて長手方向に延出するアクセスルーメンと、前記遠端導管シート（１７）および前記近端導管シート（１５）の間に位置するアクセスポート（２０）とを備え、
前記アクセスポート（２０）は前記アクセスルーメンと連通している請求項１に記載の心臓遮断カテーテル（ＣＩＣ，１０）。
【請求項６】
遠端部を有し、前記アクセスルーメン内に位置決め可能で、かつ、前記アクセスポート（２０）を通して操作可能である第２カテーテル（４０）を備えた請求項５に記載の心臓遮断カテーテル（ＣＩＣ，１０）。
【請求項７】
前記第２カテーテル（４０）の遠端部は、当該遠端部を哺乳動物の肺動脈（ＰＡ）内に位置決めするための湾曲部としてある請求項６に記載の心臓遮断カテーテル（ＣＩＣ，１０）。
【請求項８】
前記第２カテーテル（４０）の遠端部は、ヒトの心臓の形状に適合するように形成してある請求項７に記載の心臓遮断カテーテル（ＣＩＣ，１０）。
【請求項９】
前記第２カテーテル（４０）の遠端部は、当該遠端部を哺乳動物の肺動脈（ＰＡ）内に位置決めするための変形可能部を有する請求項６に記載の心臓遮断カテーテル（ＣＩＣ，１０）。
【請求項１０】
前記第２カテーテル（４０）は、ワイヤ巻きカテーテルである請求項９に記載の心臓遮断カテーテル（ＣＩＣ，１０）。
【請求項１１】
前記第２カテーテル（４０）の遠端部に肺動脈バルーン（４２）を設け、
前記第２カテーテル（４０）の前記遠端部を前記肺動脈（ＰＡ）に位置決めしたあと、その内部の前記肺動脈バルーン（４２）を膨張させることによって前記肺動脈（ＰＡ）をブロック可能に構成してある請求項６に記載の心臓遮断カテーテル（ＣＩＣ，１０）。
【請求項１２】
前記第２カテーテル（４０）は、その内部に於いて長手方向に延出する圧力放出ルーメンと、この圧力放出ルーメンと流体連通する右心室圧力放出ポートと、を備える請求項１０に記載の心臓遮断カテーテル（ＣＩＣ，１０）。
【請求項１３】
前記本体（１０）は、その内部に於いて長手方向に延出する流体流ルーメン（３０）と、前記遠端導管シート（１７）および前記近端導管シート（１５）の間に配置される右心房流体アクセスポート（２２）と、を有する請求項１に記載の心臓遮断カテーテル（ＣＩＣ，１０）。
【請求項１４】
前記本体（１０）は、当該本体（１０）の周りに配置された複数の右心房流体アクセスポート（２２）を有する請求項１３に記載の心臓遮断カテーテル（ＣＩＣ，１０）。
【請求項１５】
少なくとも一つの非侵入性検出可能マーカを有する請求項１に記載の心臓遮断カテーテル（ＣＩＣ，１０）。
【請求項１６】
請求項１の心臓遮断カテーテル（ＣＩＣ，１０）を有する外科キット。
【請求項１７】
哺乳動物の心臓をその哺乳動物の循環系の残りの部分から遮断するためのキットであって、以下の（ａ）心臓遮断カテーテル（ＣＩＣ，１０）、（ｂ）第２カテーテル（４０）、および、（ｃ）大動脈内カテーテル（ＥＣ，５０）を有する、
（ａ）哺乳動物の大静脈に挿入可能であり、
（ｉ）その内部で長手方向に延出する静脈血液流ルーメン（２４）と、近端部と、前記近端部からその内部で伸長する少なくとも１つのアクセスルーメンと、遠端部と、近端ポート（１４）と、遠端ポート（１６）とを備える中空筒状本体（１０）、
（ｉｉ）前記本体（１０）に取り付けられた遠端導管シート（１７）、
（ｉｉｉ）前記本体（１０）に取り付けられた近端導管シート（１５）、を備え、
哺乳動物の大静脈内に於いて、一方の導管シートが右心房（ＲＡ）と、腕頭静脈の接合部との間の前記哺乳動物の上大静脈（ＳＶＣ）内に位置し、他方の導管シートが、右心房（ＲＡ）と肝静脈との間の下大静脈（ＩＶＣ）内に位置するように、位置決め可能に構成され、
前記遠端ポート（１６）は、前記遠端導管シート（１７）に対して遠端側に位置し、
前記近端ポート（１４）は、前記近端導管シート（１５）に対して近端側に位置し、
哺乳動物の大静脈内にすえつけられた時、腕頭静脈の接合部の血液と、肝静脈の血液が、前記両ポート（１４，１６）を介して前記静脈血液流ルーメン（２４）と流体連通する心臓遮断カテーテル（ＣＩＣ，１０）、
（ｂ）前記心臓遮断カテーテル（１０）の前記アクセスルーメン内に挿入可能であり、遠端部と、その内部で長手方向に延出する膨張ルーメンと、前記遠端部にその内部が前記膨張ルーメンと流体連通しているバルーン（４２）と、を有する第２カテーテル（４０）、
（ｃ）遠位部および遠端チップとを備えるフレキシブルロッド（５０）と、このフレキシブルロッド（５０）の前記遠端部に取り付けられた大動脈内導管シート（５２）とを有し、
前記大動脈内導管シート（５２）は前記フレキシブルロッド（５０）の周囲に延出した一対の互いに近接離間配置された隆起面であり、前記フレキシブルロッド（５０）は中空であり、その内部に長手方向に延出する吸引ルーメンを有し、
前記吸引ルーメンに吸引力を付与することによって大動脈（Ａ）は前記大動脈内導管シート（５２）に於いて確実に着座される大動脈内カテーテル（ＥＣ，５０）。
【請求項１８】
前記大動脈内導管シート（５２）は、前記フレキシブルロッド（５０）の遠端チップに取付け可能である請求項１７に記載のキット。
【請求項１９】
前記大動脈内導管シート（５２）は拡張可能である請求項１７に記載のキット。
【請求項２０】
前記フレキシブルロッド（５０）は中空であり、その内部に長手方向に延出する膨張ルーメンを有し、前記大動脈内導管シート（５２）は、前記フレキシブルロッド（５０）に取り付けられるとともに、前記膨張ルーメンと連通する内部を有するバルーン（５２）を備え、
前記大動脈内カテーテル（ＥＣ，５０）の遠端部を哺乳動物の大動脈（Ａ）内に位置決めした後、前記バルーン（５２）を膨張させることによって、大動脈（Ａ）を前記大動脈内導管シート（５２）に確実に着座させることができる請求項１７に記載のキット。
【請求項２１】
前記バルーン（５２）は前記フレキシブルロッド（５０）の遠端チップには配置されず、当該フレキシブルロッド（５０）は、その内部に長手方向に延出する液体アクセスルーメンと、前記フレキシブルロッド（５０）の遠端部に配置された液体アクセスポートとを有し、
前記液体アクセスポートは前記液体アクセスルーメンと流体連通し、前記バルーン（５２）よりも前記フレキシブルロッド（５０）の遠端チップの近傍に配置される請求項１７に記載のキット。
【請求項２２】
前記第２カテーテル（４０）は、その内部に長手方向に延出する流体吸収ルーメンと、該第２カテーテル（４０）の遠端部に設けられた流体吸収ポートとを有し、
前記流体吸収ポートは前記流体吸収ルーメンと連通している請求項１７に記載のキット。
【請求項２３】
（ｄ）哺乳動物の大腿動脈に挿入されるカニューレ（８０）、該カニューレ（８０）は、その内部に長手方向に延出する動脈血液流ルーメンを備える請求項１７に記載のキット。
【請求項２４】
（ｅ）前記心臓遮断カテーテル（ＣＩＣ，１０）の静脈血液流ルーメン（２４）から血液を引き出し、前記カニューレ（８０）の前記動脈血液流ルーメンに血液を供給するポンプ、および、
（ｆ）前記哺乳動物から取出された血液に酸素を供給する血液酸素供給器、を備える請求項２３に記載のキット。
【請求項２５】
（ｇ）奇静脈オクルダー、を備える請求項２４に記載のキット。
【請求項２６】
前記奇静脈オクルダーは、止血剤、交差金具、バルーンカテーテル、及び止血帯から成るグループから選択される請求項２５に記載のキット。
【請求項２７】
血管透過性促進剤と血管拡張剤とから成るグループから選択される炎症調整物質を有する請求項１７に記載のキット。
【請求項２８】
前記血管透過性促進剤はヒスタミンであり、前記血管拡張剤はパパバリンである請求項２７に記載のキット。
【請求項２９】
大静脈血液吸収キットであって、このキットは、哺乳動物の大静脈に挿入可能な心臓遮断カテーテル（ＣＩＣ，１０）と、それに取り付けられた一対の導管シート（１５，１７）とを有し、
前記心臓遮断カテーテル（ＣＩＣ，１０）は、カテーテルの近端部へ長手方向に延出する静脈血液流ルーメン（２４）と、当該静脈血液流ルーメン（２４）と連通する一対の静脈血液吸収ポート（１４，１６）とを有し、
前記導管シート（１５，１７）は、カテーテル本体（１０）の周囲に延出した一対の互いに近接離間配置された隆起面であり、前記カテーテル本体（１０）に、その内部に於いて長手方向に延出すると共に前記一対の近接離間隆起面間に位置する吸入ポート（１８）と連通する吸引ルーメン（２６）を備え、
前記吸引ルーメン（２６）に対して吸引力を付与することによって、大静脈が前記導管シート（１５，１７）に確実に着座される大静脈血液吸収キット。
【請求項３０】
前記心臓遮断カテーテル（ＣＩＣ，１０）は、近位部と、遠位部と、遠端部とを有し、
前記静脈吸収ポート（１４，１６）のうちの一つと、前記導管シート（１５，１７）の一つとは前記遠位部に位置され、
前記導管シート上の静脈吸収ポートが、前記遠位部の前記導管シートよりも前記遠端部の近くに位置し、
前記静脈吸収ポート（１４，１６）の他方と前記導管シート（１５，１７）の他方とは、前記近位部に位置し、そして
前記遠位部の前記導管シートは、前記遠位部の前記静脈吸収ポートよりも前記遠端部の近くに位置する請求項２９に記載の大静脈血液吸収キット。
【請求項３１】
前記近端部からその内部で伸長する少なくとも１つのアクセスルーメンと、前記アクセスルーメン内に挿入可能な第２カテーテル（４０）とを有し、
前記心臓遮断カテーテル（ＣＩＣ，１０）は、その外面にノッチを有し、該ノッチは、前記第２カテーテル（４０）の本体にフィットするように構成されている請求項３０に記載の大静脈血液吸収キット。
【請求項３２】
奇静脈オクルーダを有する請求項２９に記載の大静脈血液吸収キット。
【発明の詳細な説明】
【０００１】
発明の分野
本発明の分野は、遺伝治療及び心臓治療である。
【０００２】
発明の背景
ウイルスは本来的に核酸を細胞に供給するものであり、従って、遺伝子投与ビヒクルとして利用されてきたことはよく知られている。しかしながら、組換えウイルスが核酸を細胞に供給するためには、ウイルスは、先ず、その細胞に対するアクセスを有さなければならない。哺乳動物内でウイルスを循環させることによっては、それに対して核酸を供給することが望まれる細胞へのアクセスが容易になるとは限らない。本発明は、核酸を供給することが望まれる細胞に対するウイルスのアクセスを提供する手段を提供する。
【０００３】
いくつかの筋ジストロフィー症に関わる遺伝子産物の全長ｃＤＮＡの細菌のクローニング（リム（Ｌｉｍ）他，１９９５，Ｎａｔｕｒｅ  Ｇｎｅｔｉｃｓ  １１：２５７−２６５；ピッコロ（Ｐｉｃｃｏｌｏ）他，１９９５，Ｎａｔｕｒｅ  Ｇｅｎｅｔｉｃｓ，１０：２６６−２７３；ニグロ（Ｎｉｇｒｏ）他，１９９６，Ｎａｔｕｒｅ  Ｇｅｎｅｔｉｃｓ  １４：１９５−１９８；ボンネマン（Ｂｏｎｎｅｍａｎｎ）他，１９９５，Ｎａｔｕｒｅ  Ｇｅｎｅｔｉｃｓ  １１：２６６−２７３及び及びヘルブリング‐レクラーク（Ｈｅｌｂｌｉｎｇ−Ｌｅｃｌｅｒｃ）他，１９９５，Ｎａｔｕｒｅ  Ｇｅｎｅｔｉｃｓ  １１：２１６−２１８）は、体細胞遺伝子転移用の様々なウイルスベースのベクターの改良と平行してきた。（ヤン（Ｙａｎｇ）他，１９９４，Ｎａｔｕｒｅ  Ｇｅｎｅｔｉｃｓ  ７：３６２−３６８；  イェー（Ｙｅｈ）他，１９６，Ｊ．Ｖｉｒｏｌｏｇｙ  ７０：５５９−５６５；及びウィルソン（Ｗｉｌｓｏｎ），１９９６，Ｎｅｗ  Ｅｎｇ．  Ｊ．Ｍｅｄ．  ３３４：１１８５−１１８７）。これらの疾患に於ける一般的な筋肉の関わりとその結果発生する呼吸機能不全は、哺乳類組織及び器官に対する組織ベクターのイン・ヴィヴォ導入に対する必要性が注目されてきた（ボランド（Ｂｏｌａｎｄ）他，１９９６，Ｐｅｄｉａｔｒｉｃ  Ｎｅｒｏｌｏｇｙ，１４：７−１２；ステッドマン（Ｓｔｅｄｍａｎ）他，１９９１，Ｎａｔｕｒｅ  ３５２：５３６−５３９；シュレンカー（Ｓｃｈｌｅｎｋｅｒ）他，１９９１，Ｊ．Ａｐｐｌ．  Ｐｈｙｓｉｏｌ．７１：１６５５−１６６２及びスミス（Ｓｍｉｔｈ）他，１９８７，  Ｎｅｗ  Ｅｎｇｌ．Ｊ．Ｍｅｄ．３１６：１１９７−１２０５）。生理的条件下に於いて、骨格筋巨大分子の連続内皮は、アルブミンよりも大きなたん白質に対して実質的に不透過であり（Ｓｔｏｋｅｓ半径３．５ナノメータ；バーン（Ｂｅｒｎｅ）他，１９９２，Ｉｎ：Ｐｈｙｓｉｏｌｏｇｙ，Ｍｏｓｂｙ，Ｓｔ．Ｌｏｕｉｓ）、その下の基底板は、より大きな巨大分子凝結物の拡散を規制する（マイノ（Ｍａｊｎｏ）他，１９６１，Ｊ．Ｂｉｏｐｈｙｓ．Ｂｉｏｃｈｅｍ．Ｃｙｔｏｌ．１１：５７１−５９７）。
【０００４】
そのような組成物を必要とする哺乳動物に対して治療効果を有する組成物の導入の目的のために、筋肉に対する大きな巨大分子のアクセスを容易にする組成物と方法とを開発する早急な必要性が存在する。
【０００５】
筋ジストロフィー及びその他の筋疾患は、遺伝し、筋遺伝子の非発現又は異常発現によって、正常な筋肉制御の弱化、異常発達、および／又は損失が生じる一般に進行性の障害である。その内のいくつか（たとえば、ミトコンドリアミオパシー）は、ミトコンドリアＤＮＡの欠失に関連するものではあるが、これらの障害の多くは、染色体突然変異に関連付けられてきた。たとえば、デュシェンヌ筋ジストロフィー（ＤＭＤ）は、ジストロフィンたん白質をコードするヒト遺伝子に於ける突然変異に関連付けられてきた。
【０００６】
末期ＤＭＤの臨床過程に於いては呼吸ｃｏｍｐｒｏｍｉｓｅが支配的になるが、そのようなＤＭＳ患者に於いてその背後の心筋障害が普遍的に存在する。ジストロフィノパシに関連するもの（たとえば、ベッカー筋ジストロフィー）やｓａｒｃｏｇｌｙｃａｎｏｐａｔｈｙに関連するもの（たとえば、肢帯筋ジストロフィー）を含めて、いくつかの筋ジストロフィーに於いては、移植を必要とするのに十分重度の心不全が時に観察される（ピッコロ（Ｐｉｃｃｏｌｏ）他，１９９４，Ｎｅｕｒｏｍｕｓｃ．Ｄｉｏｒｄ．４−１４３−１４６；ファディック（Ｆａｄｉｃ）他，１９９６，Ｎ．Ｅｎｇｌ．Ｊ．Ｍｅｄ．３３４：３６２−３６６）。更に、少なくとも１２のその他の遺伝子産物が、ヒトに於ける劣性遺伝拡張心筋症の発病に関連している（ファディック（Ｆａｄｉｃ）他，１９９６，Ｎ．Ｅｎｇｌ．Ｊ．Ｍｅｄ．３３４：３６２−３６６；ピッコロ（Ｐｉｃｃｏｌｏ）他，１９９５，Ｎａｔｕｒｅ  Ｇｅｎｅｔ．１０：２４３−２４５；リム（Ｌｉｍ）他，１９９５，Ｎａｔｕｒｅ  Ｇｅｎｅｔ．１１：２５７−２６５；ノグチ（Ｎｏｇｕｃｈｉ）他，１９９５，Ｓｃｉｅｎｃｅ  ２７０：８１９−８２２；ニグロ（Ｎｉｇｒｏ）他，１９９６，Ｎａｔｕｒｅ  Ｇｅｎｅｔ．１４：１９５−１９８；ニグロ（Ｎｉｇｒｏ）他，１９９７，Ｈｕｍ．Ｍｏｌ．Ｇｅｎｅｔ．６：６１０−６０７；ビオネ（Ｂｉｏｎｅ）他，１９９４，Ｎａｔｕｒｅ  Ｇｅｎｅｔ．８：３２３−３２７；タローニ（Ｔａｒｏｎｉ）他，１９９２，Ｐｒｏｃ．Ｎａｔ．Ａｃａｄ．Ｓｃｉ．Ｕ．Ｓ．Ａ．８９：８４２９−８４３３；ウィット（Ｗｉｔｔ）他，１９９２，Ｊ．Ｎｅｕｒｏｌ．２３９；３０２−３０６；ホー（Ｈｏ）他，１９８５．，１９９４，Ｃｅｌｌ  ７７：８６９−８８０；ライヒマン（Ｒｅｉｃｈｍａｎｎ）他，１９９１，Ｅｕｒ．Ｈｅａｒｔ  Ｊ．１２（Ｓｕｐｐｌ．Ｄ）：１６９−１７０；エイシ（Ｅｉｓｈｉ）他，１９８５，Ｈｕｍ．Ｐａｔｈｏｌ．１６：１９３−１９７；ビオネ（Ｂｉｏｎｅ）他，１９９６，Ｎａｔｕｒｅ  Ｇｅｎｅｔ．１２：３８５−３８９；ヨコヤマ（Ｙｏｋｏｙａｍａ）他，１９８７，Ｂｒ．Ｈｅａｒｔ  Ｊ．５７：２９６−２９９；エレダー（Ｅｌｌｅｄｅｒ）他，１９９０，Ｖｉｒｃｈｏｗｓ  Ａｒｃｈ．Ａ．Ｐａｔｈｏｌ．Ａｎａｔ．Ｈｉｓｔｏｐａｔｈｏｌ．４１７：４４９−４５５；ナガオ（Ｎａｇａｏ）他，１９９１，Ｃｌｉｎ．Ｇｅｎｅｔ．３９：２３３−２３７；シュルテイス（Ｓｃｈｕｌｔｈｅｉｓｓ）他，１９９６，Ｍｏｌ．Ｃｅｌｌ  Ｂｉｏｃｈｅｍ．１６３−１６４：３１９−３２７）。
【０００７】
たとえば、全ての心臓筋細胞中におけるトランスジェニック発現を達成するために生殖細胞系遺伝子転移の能力を開発するために、一般的なヒト心臓疾患がネズミに於いて再生されている。その他に依る二つの研究は、その遺伝子転移が心臓筋細胞の大部分又は全部に於いて発生するということを前提として、成体の哺乳動物に於ける体細胞遺伝子転移後に於いて心臓中のトランス遺伝子の発現の潜在的治療上の利点を示唆している。心臓肥大症や拡張心筋障害等の広範囲に渡る疾患を対象とする、これら両方の研究に於いて、Ｇたん白質介在シグナリング経路がターゲットとされている。
【０００８】
第１の研究に於いて、ベータアドレナリン受容体キナーゼ１（ｂＡＲＫ１）のペプチドインヒビターをコードするｃＤＮＡが、心筋特異アルファミオシン長鎖プロモータの制御下で発現された（ポックマン（Ｐｏｃｋｍａｎ）他，１９９８，Ｐｒｏｃ．Ｎａｔｌ．Ａｃａｄ．Ｓｃｉ．ＵＳＡ９５：７０００−７００５）。この構造物を組み込んだトランスジェニックマウスを、最近開発された心筋症系（筋ＬＩＭたん白質欠乏｛ＭＬＰ-1-｝）からのマウスと交雑することによって、その子に於いて心筋障害が防止されるという驚くべき知見が得られた。トランスジェニックコード化されたインヒビターは、ＬＩＭたん白質の正常に作用に直接には関連しない一般的メカニズムを通じてこれらの異常を防止した。この研究は、ヒトの心臓組織に類似の遺伝子構造物を導入することが、そのような遺伝子構造物をヒトの心筋細胞に対して効率良く特異的に導入されるだけで、様々な心筋障害に苦しむヒトに対して大きな治療上の利点を持ちうる、ということを示唆している。
【０００９】
第２の研究に於いて、心筋細胞アドレナリン受容体と、Ｇｑサブクラスのたん白質との間の結合のペプチドインヒビターをコード化するｃＤＮＡが、心筋−特異性アルファミオシン長鎖プロモータの制御下に於いて発現された（アクター（Ａｋｈｔｅｒ）他，１９９８，Ｓｃｉｅｎｃｅ２８０：５７４−５７７）。この構造物を組み込まれたトランスジェニックマウスが、術中外科横断大動脈収縮によって心圧過負荷を受けた。このインヒビターの心臓過剰発現によって、圧力過負荷に対する心臓肥大応答が大幅に減少した。心臓過負荷に対するヒトの心臓疾患応答に関連するいくつかのシグナル伝達経路が、前記外科処置の結果、活性化されたことが示された。強いシグナル活性化のセッティングに於いて、前記ペプチドインヒビターの発現に関連する心臓肥大の減少は、前記インヒビターが複数のシグナル伝達カスケードに共通する一つの位置に於いて作用する、ということを示している。この研究は、又、ヒトの心臓組織に類似の遺伝子構造物を導入することが、そのような遺伝子構造物をヒトの心筋細胞に対して効率良く特異的に導入されるだけで、様々な心筋障害に苦しむヒトに対して大きな治療上の利点を持ちうる、ということも示唆している。
【００１０】
その他の心臓障害（たとえば、心不全、心筋硬塞、リューマチ熱、リューマチ熱、不整脈、うっ血性心不全、伝染性心内膜炎、及び心嚢炎）は、様々な非先天的な原因と関連していることが知られているが、それでも、もしも有用な遺伝子産物をコードする核酸を有する遺伝子ベクターが、心臓組織に対して特異的かつ安全に提供されうるならば、遺伝子治療法から恩恵を受けるかもしれない。
【００１１】
残念ながら、人体内に於ける心臓の位置により、従来は、心臓組織に対して直接又は局所的に治療を提供するために侵入性が高い処置が必要とされた。時としてそのような侵入性の高い処置に伴う重大な生理学的な合併症に加えて、これらの介入処置によって、それらを受ける患者は大きな心理的負担を受ける可能性もある。これらの患者は、肉体的トラウマと侵入的心臓処置に関連する長い回復器官とに耐え、しばしば、回復後に於いて、肉体的及び精神的に痛手をおった状態となる。
【００１２】
心臓及びその他の筋組織に於ける局所遺伝子療法を行う方法が深刻に不足していることにより、心臓及びその他の筋疾患を患う患者は、遺伝子ベクターに対してなされた改良の多くと、それらの悩みが、いかにして遺伝子治療法を使用することによって軽減されるかに関するより大きな理解とから、恩恵を受けることが出来ないのである。本発明は、この危急の必要性に答える、局所的筋肉遺伝子治療法、組成物、キット及び装置を提供するものである。
【００１３】
発明の要旨
本発明は、哺乳動物の大静脈内に挿入可能な心臓遮断カテーテルに関する。当該カテーテルは以下を有する、
（ａ）その内部で長手方向に延出する静脈血液流ルーメンと、近端と、遠端部と、近端ポートと、遠端ポートとを備える中空筒状本体、
（ｂ）前記本体に取り付けられた遠端導管シート、そして
（ｃ）前記本体に取り付けられた近端導管シート。
【００１４】
前記カテーテルは、哺乳動物の大静脈内に於いて、一方の導管シートが右心房と、腕頭静脈の接合部との間の前記哺乳動物の上大静脈内に位置し、他方の導管シートが、右心房と肝静脈との間の下大静脈内に位置するように、位置決め可能である。前記遠端ポートは、前記遠端導管シートに対して遠端側に位置する。前記近端ポートは、前記近端導管シートに対して近端側に位置する。前記カテーテルが、哺乳動物の大静脈内にすえつけられた時、腕頭静脈の接合部の血液と、肝静脈の血液が、前記両ポートを介して前記静脈血液流ルーメンと流体連通する。
【００１５】
本発明の前記心臓遮断カテーテルの一好適実施例に於いて、前記遠端導管シートと前記近端導管シートとの少なくとも一つは、前記本体の周囲に延出する隆起面を有する。たとえば、前記導管シートは、一対の互いに近接離間配置された隆起面とすることができ、これにより、大静脈は、これら一対の隆起面の間で大静脈を包囲することによって前記導管シートに於いて確実に着座される。或いは、前記導管シートを、一対の互いに近接離間配置された隆起面から構成し、前記カテーテルの本体に、その内部に於いて長手方向に延出するとともに、前記一対の近接離間隆起面間に位置する吸入ポートと連通する吸入ルーメンを備えたものとし、これによって、大静脈が、前記吸引ルーメンに対して吸引力を付与することによって前記導管シートに確実に着座されるように構成することも可能である。
【００１６】
別の実施例に於いて、前記遠端導管シートと前記近端導管シートとの内の少なくとも一方は伸張可能である。この伸張可能導管シートは、前記本体に取り付けられるとともに、この本体内で長手方向に延出する膨張ルーメンと連通する内部を有するバルーンとすることが可能であり、これにより、大静脈は、カテーテルを哺乳動物の大静脈内に位置決めした後、前記バルーンを膨張させることによって前記導管シートにしっかりと着座することが可能である。前記遠端導管シートと遠端導管シートとの両方を、前記本体に取り付けられるとともに、前記膨張ルーメンと連通する内部を有するバルーンとして構成することも可能である。
【００１７】
本発明の前記心臓遮断カテーテルの別実施例に於いて、前記カテーテルの前記本体は、その内部に於いて長手方向に延出するアクセスルーメンと、前記遠端導管シートと近端導管シートとの間に位置するアクセスポートとを備える。前記アクセスポートは、前記アクセスルーメンと連通している。この実施例に於いて、請求項８の心臓遮断カテーテルは、更に、遠端部を備える第２カテーテルを有する。該第２カテーテルは、前記アクセスルーメン内に位置決め可能で、かつ、前記アクセスポートを通して付勢可能である。前記第２カテーテルの遠端部は、この第２カテーテルの遠端部を、哺乳動物の肺大動脈内に位置決めするための湾曲部とすることができる。たとえば、該第２カテーテルの遠端部は、ヒトの心臓の形状に適合したものとすることができる。或いは、又はそれに加えて、第２カテーテルの遠端部は、この第２カテーテルの遠端部を哺乳動物の肺大動脈内に位置決めするための変形可能部とすることができる。該第２カテーテルは、ワイヤ巻きカテーテルとすることができ、その遠端部に肺動脈バルーンを有し、および／又は、その内部に於いて長手方向に延出する圧力放出ルーメンと、この圧力放出ルーメンと流体連通する右心室圧力放出ポートを備えたものとすることができる。
【００１８】
更に別の実施例に於いて、本発明の前記心臓遮断カテーテルは、その本体内に於いて長手方向に延出する流体流ルーメンと、前記本体内の、前記遠端導管シートと近端導管シートとの間に配置される右心房流体アクセスポートとを有する。前記本体は、この本体周りに配置された複数の右心房流体アクセスポートを有するものとしてもよい。
【００１９】
本発明の前記心臓遮断カテーテルは、更に、少なくとも一つの非侵入性検出可能マーカを有するものとすることができる。
【００２０】
本発明は、更に、本発明の前記心臓遮断カテーテルを有する外科キットにも関する。
【００２１】
本発明は、更に、哺乳動物の心臓を、その哺乳動物の循環系の残りの部分から遮断するためのキットにも関する。このキットは以下を有する、
（ａ）その内部に於いてその近端部から延出する少なくとも一つのアクセスルーメンを備える本発明の心臓遮断カテーテル、
（ｂ）前記アクセスルーメン内に挿入可能な第２カテーテル、そして
（ｃ）大動脈内（ｅｎｄｏａｏｒｔｉｃ）カテーテル。
【００２２】
前記第２カテーテルは、遠端部と、その内部で長手方向に延出する膨張ルーメンとを有し、その遠端部にバルーンを有する。該第２カテーテルの前記バルーンの内部は、第２カテーテルの前記膨張バルーンと流体連通している。前記大動脈内カテーテルは、遠端部と、遠端チップとを備えるフレキシブルロッドと、このフレキシブルロッドの前記遠端部に取り付けられた大動脈内導管シートとを有する。前記大動脈内導管シートは、前記フレキシブルロッドの遠端チップに取付け可能である。一つの実施例に於いて、前記フレキシブルロッドは中空であり、その内部に長手方向に延出する拡張ルーメンを有する。この実施例に於いて、前記大動脈内導管シートは、前記フレキシブルロッドに取り付けられるとともに、前記拡張ルーメンと連通する内部を有するバルーンを有し、これにより、前記大動脈内カテーテルの遠端部を哺乳動物の大動脈内に位置決めした後、前記バルーンを膨張させることによって、大動脈を、前記大動脈導管シートに確実に着座させることができる。別の実施例に於いて、前記バルーンは、フレキシブル本体の遠端チップには配置されず、該フレキシブル本体は、その内部に長手方向に延出する液体アクセスルーメンと、フレキシブル本体の遠端部に配置された液体アクセスポートとを有する。前記液体アクセスポートは、前記アクセスルーメンと流体連通し、前記バルーンよりも、前記フレキシブル本体の遠端チップの近傍に配置される。前記キットの更に別の実施例に於いて、前記第２カテーテルは、その内部に長手方向に延出する流体吸収ルーメンと、該第２カテーテルの遠端部に設けられた流体吸収ポートとを有し、前記流体吸収ポートは前記流体吸収ルーメンと連通している。
【００２３】
このキットは、以下の内の単数又は複数のその他のコンポーネントを有するものとできる。
（ｄ）哺乳動物の大腿動脈に挿入されるカニューレ、該カニューレは、その内部に長手方向に延出する動脈血液流ルーメンを備える、
（ｅ）前記心臓遮断カテーテルの静脈血液流ルーメンから血液を引き出し、前記カニューレの前記動脈血液流ルーメンに血液を供給するポンプ、
（ｆ）前記哺乳動物から取出された血液に酸素を供給する血液酸素供給器、そして
（ｇ）止血剤、交差金具、バルーンカテーテル、及び止血用具かな成るグループから選択されるもののような、奇静脈オクルダー。
【００２４】
前記キットは、更に、血管透過性促進剤（たとえば、ヒスタミン）および／又は血管拡張剤（たとえば、パパベリン）から成るグループから選択される炎症調整物質を有するものとすることができる。
【００２５】
本発明は、巨大分子アセンブリと、血管透過性促進剤とを有する、哺乳動物の管外組織に巨大分子アセンブリを導入するための組成物に関する。一実施例に於いて、前記巨大分子アセンブリは、遺伝子ベクターである。別の実施例に於いて、前記血管透過性促進剤は、ヒスタミン、アセチルコリン、アデノシンヌクレオチド、ａｒａｃｈｉｏｄｏｎｉｃ酸、ブラジキニン、シアニド、エンドセリン、エンドトキシン、インターロイキン−２、イオン透過担体Ａ２３１８７、ニトロプルシド、ロイコトリエン、酸素ラジカル、ホスホリパーゼ、血小板活性化因子、プロタミン、セロトニン、腫瘍壊死因子、管内皮生長因子、バチ毒、及び血管活性アミンから成るグループから選択され、好ましくは、ヒスタミン又は管内皮生長因子である。
【００２６】
本発明の別の態様に於いて、前記組成物は、前記巨大分子アセンブリと、血管透過性促進剤と、血管拡張剤とを有する。一実施例に於いて、前記血管拡張剤は、パパバリン、ニモジピン、ヒドララジン、窒素酸化物、エポプロステノール、トラゾリン、アムリノン、ミルリノン、ニトログリセリン、脱硝イソソルビド、イソソルビド一硝酸塩、及び有機硝酸化合物から成るグループから選択され、好ましくはパパバリンである。
【００２７】
本発明の更に別の態様に於いて、前記組成物は、前記巨大分子アセンブリと、血管透過性促進剤と、酸素輸送剤とを有する。
【００２８】
本発明は、更に、巨大分子アセンブリを、動物の管外組織に供給するためのキットも提供する。該キットは、血管透過性促進剤と血管拡張剤とを有する。一実施例に於いて、前記キットは、更に、前記巨大分子アセンブリを有する。別の実施例に於いて、前記巨大分子アセンブリは、遺伝子コード化ジストロフィンと、遺伝子コード化エウトロフィン（ｅｕｔｒｏｐｈｉｎ）と、サルコグリカン（ｓａｒｃｏｇｌｙｃａｎ）をコード化する遺伝子と、ミニジストロフィン（ｍｉｎｉｄｙｓｔｒｏｐｈｉｎ）をコード化する遺伝子からなるグループから選択されるヒト遺伝子を有する遺伝子ベクターである。
【００２９】
更に別の態様に於いて、前記キットは、血管透過性促進剤と、血管拡張剤と、体外循環支持装置及び酸素供給システムの少なくとも一つの使い捨て部材、とを有する。一実施例に於いて、前記少なくとも一つの使い捨て部材は、中空本体と、この本体の内部と流体連通する液体入口と、前記本体の内部と連通する液体出口と、ガス室の内部にガスを供給するガス入口と、前記ガス室を前記本体の内部から分離する少なくとも一つのガス透過性膜と、前記ガス室からガスが出ることを許容するガス出口とを備える酸素供給器であって、これによって、前記本体の内部の流体と前記ガス室のガスとの間でガス交換が可能とされる。前記キット別実施例に於いて、該キットは、酸素供給器であり、前記本体はチューブであり、前記ガス透過性膜は、前記チューブのすくなくとも一部内に延出するポリテトラフルオロエチレン（ＰＴＦＥ）チューブであり、前記ガス室は前記ＰＴＦＥチューブの内部である。
【００３０】
本発明は、更に、動物、好ましくはヒト、の管外組織に巨大分子アセンブリを導入する方法に関する。該方法は、その組織に関連する血管に対して、該血管の内皮層の透過性を増大するために、血管拡張剤を供給する工程と、前記巨大分子を前記血管に供給する工程とを有し、これにより、前記アセンブリは、前記血管の前記内皮層を介して前記組織に導入される。該方法の一実施例に於いて、前記巨大分子アセンブリは、遺伝子ベクター、好ましくは、アデノウイルス遺伝子ベクターである。前記遺伝子ベクターは、好ましくは、遺伝子コード化ジストロフィンと、遺伝子コード化エウトロフィン（ｅｕｔｒｏｐｈｉｎ）と、サルコグリカン（ｓａｒｃｏｇｌｙｃａｎ）をコード化する遺伝子と、ミニジストロフィン（ｍｉｎｉｄｙｓｔｒｏｐｈｉｎ）をコード化する遺伝子からなるグループから選択されるヒト遺伝子等のヒト遺伝子である。別実施例に於いて、前記遺伝子ベクターは、前記ヒト遺伝子に作動リンクされたプロモータ／調節領域を有し、前記プロモータ／エンハンサ領域は、ヒト骨格筋クレアチンホスホキナーゼプロモータ／調節領域と、ネズミ骨格筋クレアチンホスホキナーゼプロモータ／調節領域と、ヒト骨格筋細胞に於いて通常発現される遺伝子のプロモータ／調節領域と、ヒト構成プロモータ領域とから成るグループから選択される。
【００３１】
本発明の別の態様に於いて、前記方法は、更に、前記血管に血管拡張剤を供給する工程を有する。
【００３２】
本発明の別の態様に於いて、前記巨大分子アセンブリが導入される前記組織は、筋組織、好ましくは、横紋筋組織である。
【００３３】
更に別の態様に於いて、前記方法は、前記巨大分子アセンブリの前記血管への供給後に、前記血管内のかん流圧を、正常な生理的かん流圧以上に増大させる工程を有する。
【００３４】
更に別の態様に於いて、前記方法は、更に、前記巨大分子アセンブリの前記血管への供給前に、前記動物の血液循環系から前記血管を遮断する工程を有する。一実施例に於いて、前記血管を動物の血液循環系から遮断する工程は、前記血管に対して前記血管透過性促進剤を供給する前に行われる。別実施例に於いて、前記方法は、更にね前記巨大分子アセンブリを前記血管に供給した後で、前記血管に対して除去溶液を供給する工程を有し、前記除去溶液は、実質的に前記血管拡張剤を含まない。
【００３５】
別の態様に於いて、前記方法は、更に、前記血管の前記血管循環系からの遮断後に、前記血管に対して酸素輸送剤を供給する工程を有する。
【００３６】
別の態様に於いて、前記方法は、更に、前記血管拡張剤を供給する前に、前記動物を、体外循環支持と酸素供給とに晒す工程を有する。
【００３７】
更に別の態様に於いて、前記方法は、前記巨大分子アセンブリを供給する前に、前記動物の肝臓への血液供給を閉鎖する工程を有する。
【００３８】
本発明は、更に、動物の管外組織に遺伝子ベクターを導入する方法に関し、該方法は以下の工程を有する、
ａ）前記組織に関連する血管を、前記動物の血管循環系から遮断する、
ｂ）その後、前記血管に血管拡張剤を供給する、
ｃ）その後、前記血管の内皮層の透過性を増加させるべく前記血管に血管透過性促進剤を供給する、
前記遺伝子ベクターを前記血管に供給する、これにより、前記ベクターは前記血管の前記内皮層を介して前記組織に導入される、
前記血管内のかん流圧を正常な生理的かん流圧以上に増大させる、そして
前記血管に酸素輸送剤を供給する、そして
ｄ）その後、前記血管に除去溶液を提供する、該除去溶液は実質的に前記血管透過性促進剤を含まない。
【００３９】
本発明は、更に、動物の実質的にすべての筋組織に遺伝子ベクターを供給する方法に関し、該方法は以下の工程を有する、
ａ）前記動物に体外循環支持と酸素供給とに晒す、
ｂ）その後、前記動物の血液循環系に血管拡張剤を供給する、
【００４０】
前記血管の内皮層の透過性を増加させるべく前記血管に血管透過性促進剤を供給する、
【００４１】
前記遺伝子ベクターを前記血管に供給する、これにより、前記ベクターは前記血管の前記内皮層を介して実質的にすべての筋組織に導入される、そして
前記血管内のかん流圧を正常な生理的かん流圧以上に増大させる。
【００４２】
本発明は、更に、筋ジストロフィーを患うヒトを治療するための治療用遺伝子ベクターに関する。該治療用遺伝子ベクターは、ジストロフィン遺伝子と、エウトロフィン（ｅｕｔｒｏｐｈｉｎ）遺伝子と、サルコグリカン（ｓａｒｃｏｇｌｙｃａｎ）遺伝子と、ミニジストロフィン（ｍｉｎｉｄｙｓｔｒｏｐｈｉｎ）遺伝子とからなるグループから選択されるヒト遺伝子のコード化領域に作動リンクされたプロモータを有する核酸を有する。
【００４３】
本発明は、更に、大静脈血液吸収キットに関する。このキットは、カテーテルと、それに取り付けられた一対の導管シートとを有する。前記カテーテルは、該カテーテル内に於いて、静脈血液吸収ポートからカテーテルの近端部へ長手方向に延出する静脈血液流ルーメンと連通する一対の静脈血液吸収ポートを有する。前記カテーテルは、哺乳動物の大静脈に挿入可能である。前記キットの一実施例に於いて、前記カテーテルは哺乳動物の前記心臓遮断カテーテルである。別実施例に於いて、前記カテーテルは、その外面にノッチを有し、該ノッチは、第２カテーテルの本体にフィットするように構成されている。更に別の実施例に於いて、前記キットは、更に、奇静脈オクルーダを有する。
【００４４】
本発明は、更に、別の大静脈血液吸収キットを含む。このキットは一対のカテーテルを有する。各カテーテルは、それに取り付けられた導管シートと、該カテーテル内に於いて、静脈血液吸収ポートからカテーテルの近端部へ長手方向に延出する静脈血液流ルーメンと連通する一対の静脈血液吸収ポートを有する。各カテーテルは、哺乳動物の大静脈に挿入可能である。一実施例に於いて、前記カテーテルの少なくも一つは、その外面にノッチを有し、該ノッチは、第２カテーテルの本体にフィットするように構成されている。更に別の実施例に於いて、前記キットには、更に、奇静脈オクルーダを設けることができる。
【００４５】
本発明は、更に、哺乳動物の大静脈から静脈血液流を転送する方法に関する。この方法は、本発明の心臓遮断カテーテルを前記哺乳動物の大静脈内に設置する工程を有する。この方法の一実施例に於いて、前記カテーテルの静脈血液流ルーメンは、体外酸素供給装置と流体連通している。
【００４６】
本発明は、更に、哺乳動物の大静脈から静脈血液流を転送する方法に関し、この方法は、上静脈戻りカテーテルを、前記哺乳動物の上大静脈内に設置する工程と、下静脈戻りカテーテルを、前記哺乳動物の下大静脈内に設置する工程とを有し、前記上静脈戻りカテーテルと下静脈戻りカテーテルとはそれぞれ、以下を有する、
（ｉ）遠端部と、ポートと、本体内に於いて前記ポートから前記本体の近端部へ長手方向に延出する静脈血液吸収ルーメンとを有する中空筒状本体、そして
（ｉｉ）前記本体に取り付けられた導管シート、該導管シートは前記ポートよりも前記本体の遠端部の近傍に位置する。
【００４７】
前記上静脈戻りカテーテルは、哺乳動物の上大静脈内に於いて、前記上静脈戻りカテーテルの導管シートが右心房と、腕頭静脈の接合部との間に位置するように位置決め可能である。前記下静脈戻りカテーテルは、哺乳動物の下大静脈内に於いて、前記下静脈戻りカテーテルの導管シートが右心房と、肝静脈の接合部との間に位置するように位置決め可能である。前記哺乳動物の上下大静脈が前記両導管シートに当接して着座された時、哺乳動物の大静脈のからの大静脈血液流は、両ポート及び両大静脈血液流ルーメンへと転送される。この方法の一実施例に於いて、前記下静脈戻りカテーテルと前記上静脈戻りカテーテルとの少なくとも一方は、前記本体の遠端チップから近端部へと延出するアクセスルーメンを有する。このカテーテルの前記本体は、更に、前記アクセスルーメンを介して前記本体の前記遠端チップから近端部への静脈血液の通過を禁止しながら、前記シールを介した体の通過を許容するために前記アクセスルーメン内に配置された少なくとも一つの貫通可能シールを有する。たとえば、前記貫通可能シールは少なくとも一つのバルーンから構成することができる。
【００４８】
本発明は、更に、哺乳動物の心臓循環、及び哺乳動物の非心臓循環、非肺循環から成るグループから選択される一つのコンパートメントに薬剤を供給する方法に関する。この方法は、前記心臓循環を、非心臓循環、非肺循環から遮断する工程と、前記薬剤を前記一つのコンパートメントに供給する工程を有する。この方法の一実施例に於いて、前記心臓循環は、以下の工程によって、非心臓循環、非肺循環から遮断される、
（１）本発明の心臓遮断カテーテルを、前記哺乳動物の大静脈に挿入する、
（２）前記大静脈を、前記遠端及び近端導管シートに対して着座させる、
（３）大動脈導管シートを有する大動脈カテーテルを、前記哺乳動物の大動脈に挿入する、そして
（４）前記大動脈を前記導管シートに対して着座させる。
【００４９】
これにより、心臓循環は、前記全身系循環から遮断される。前記心臓遮断カテーテルは、少なくとも二つの導管シートを備える一つのカテーテル、或いは、ここに記載されているように、少なくとも一つの導管シートを有する一対のカテーテルから構成することができる。この方法の一実施例に於いて、哺乳動物の肺動脈は、たとえば、動脈導管シートを有する第２カテーテルを、前記大静脈カテーテル内で長手方向に延出するルーメンと、前記大静脈カテーテルの両導管シート間に配置されたアクセスポートと、その哺乳動物の心臓の右心房と右心室とを介して、哺乳動物の肺動脈にねじ込み、その後肺動脈を動脈導管シシートに着座させることによっても閉鎖される。この方法の別実施例に於いて、哺乳動物の奇静脈も閉鎖される。この方法によって導入される薬剤は、たとえば、薬剤組成物、画像形成物質、及び遺伝子ベクター（たとえば、アデノウイルスベクター又はアデノ関連ベクター）から成るグループから選択することができる。この方法に依れば、心臓循環と非心臓循環との少なくとも一方を、体外酸素供給装置と接続することができる。
【００５０】
本発明は、更に、哺乳動物の心臓の静脈血液腔に、装置を供給する方法も含む。この方法は、少なくとも一つのカテーテルを哺乳動物の大静脈に挿入する工程と、哺乳動物の大静脈から血液流を転送する工程と、前記装置を前記腔に供給する工程とを有する。前記カテーテルは、哺乳動物の大静脈内に位置決め可能な少なくとも二つの導管シートと、アクセスポートと、前記カテーテル内に於いて、該カテーテルのアクセスポートから近端部へ長手方向に延出するアクセスルーメンとを有する。大静脈からの血液流は、大静脈を前記導管シートに対して着座させることによって転送され、これにより、静脈血液流は、大静脈から、前記血液吸収ポートを介して前記静脈血液流ルーメンへと流れる。該装置は、この装置を、前記アクセスルーメンを介して前記アクセスポートを通って前記腔内へと通過させることによって、この腔に供給される。
【００５１】
発明の詳細な記載
本発明は、遺伝子ベクター等の巨大分子アクセスを、筋組織等の管外組織に導入するための、組成物、方法、及び装置を含む。本発明のこれら組成物、方法、及び装置は、血管系の血管の内皮層を透過性を変化させるために、血管透過性促進剤を使用する。本発明のいくついの態様に於いて、前記組成物、方法、及び装置は、血管拡張剤が不在の場合、前記アセンブリを収納するのに狭すぎるであろう、血間の部分に導入される前記巨大分子アセンブリの能力を改善するために血管拡張剤を使用する。従って、いくつかの態様に於いて、本発明の組成物、方法、及び装置は、血管の通常アクセス不能部分への遺伝子転送ベクターの導入を改善するための血管拡張剤の使用と、前記ベクターの、血管の内皮層を介した通過を改善するための血管透過性促進剤の使用との両方を含む。本発明の方法を実行するのに有効な組成物と、酸素供給装置と、本発明の本発明方法を実行するための、単数又は複数の組成物および／又は装置（単数又は複数）を有するキットとを有する装置も提供される。
【００５２】
本発明は、遺伝子導入ベクターとして、アデノウイルスベクター及アデノ関連ベクターとの（独立的）使用、微小血管アクセス及び透過性を改善するための、ヒスタミン等の血管透過性促進剤の使用と、パパバリン等の血管拡張剤の使用とによって例示される。従って、本発明は、遺伝子導入ビヒクルとしてこれらのウイルスベクターの使用に限定されるものではないが、本発明は、巨大分子アセンブリに対して微小血管アクセスと透過性を促進するべく開発されたこれらの組成物、方法及び装置の有効性を示すべく、これらのウイルスベクターの使用によって例示されるものである。従って、本発明は、遺伝子導入ビヒクルとしてこれらのウイルスの使用、又は、微小血管アクセス及び透過性を改変する手段としてヒスタミン及びパパバリンの使用のみに限定さるものと解釈されてはならない。
【００５３】
骨格筋に血液供給を提供する血管の連続内皮は、血管空間から筋組織へアデノウイルスが出ることを阻止する。マーカが筋繊維の間質に直接的に注入された後に発生する染色パターンと比較して、マーカウイルスを一連の筋繊維の上流側で大腿動脈に注入した後には、異なる染色パターンが現れる。
【００５４】
他者によって、管外組織の細胞によるアデノウイルスベクターの吸収は、そのベクターによって特異的に結合されるウイルスレセプタたん白質のそれらの細胞上に於けるその存在に、完全又は主に依存し、これによって吸収を容易にするものである、という仮説が立てられている。従って、従来では、筋細胞上に於ける適当なアデノウイルスレセプタたん白質の不足の為に、アデノウイルスベクターは、哺乳動物の血液循環系を介して筋組織に遺伝子を導入するためのベクターとして不良である、と考えられていた。ここに提示されたデータ、更に、たとえば、筋組織へのベクター懸濁液の直接注入によって、アデノウイルスベクターが筋組織に直接導入されるという観察は、アデノウイルスベクターの遺伝子を血液流を介して筋組織に導入する能力が、曽木の細胞の表面上に於けるアデノウイルスレセプタたん白質の存在よりも、そのベクターの、血管の内皮層を貫通する能力に遥かに大きく依存している、ということを示すものである。
【００５５】
血液流を介したアデノウイルス遺伝子導入後の検死に於いてマウスの肝臓の外観、そのマウス肝臓の外観に対するプリングル操作の影響、及び肝臓微小血管の不連続性によって、肝臓に供給する毛細血管の内皮壁が、直径１ミクロンの不連続性を有することが照明される。これらの不連続性は、それらが血管空間から肝細胞の周囲の空間へと自由に通過するという事実によって示されるように、直径で６００ナノメータ以下の乳糜脂粒を含むものである。従って、肝臓は、濾過に類似のプロセスによって、たとえば、循環するアデノウイルス遺伝子ベクターを含むなんらかの粒子を除去する。横紋筋等の管外組織に対してアデノウイルス遺伝子ベクターを導入することが望まれる場合、肝臓に於けるこのベクターのゼクエストレーションは望ましくない。従って、本発明に於いて、アデノウイルス遺伝子ベクター等の巨大分子アセンブリを、哺乳動物の血液流に供給することとの関係に於いてプリングル操作を行うことにより、アセンブリの肝臓ゼクエストレーションが低減し、これによって、筋組織等の所望の管外組織に対するアセンブリのより効率的な導入が可能になる、ことが発見された。
【００５６】
骨格筋は高度に血管的な組織である。哺乳動物にとって筋肉は、独自の生理学的役割を果すものであるので、極端な脈管質は遺伝子セラピストにとって有利であると考えられる。その組織は、全ての組織の中で最も大きな代謝範囲を有するが、この代謝範囲は、最大刺激化後のその代謝率との比較に於ける非刺激化組織の基礎代謝率の比率である。たとえば、骨格筋組織の休息中の代謝率は、毎分ウエット組織当たり２マイクロモルのアデノシン三燐酸の加水分解と等価である。最大刺激化時、代謝率は、毎分ウェット組織当たり約１２０マイクロモルのアデノシン三燐酸の加水分解と等価である。無酸素スプリント中、代謝率は、毎分ウェット組織当たり約４８０マイクロモルのアデノシン三燐酸の加水分解と等価である。より重要なこととして、骨格筋組織の大半の毛細管は、休息状態ではかん流されない。それにもかかわらず、骨格筋は、その脈管質の為に、再建手術に於ける自由組織転移のための好適な組織である。
【００５７】
横紋筋は、遺伝子転移にとって恐るべき標的である。これは、大半の哺乳動物の体重の約半分を構成する。心筋は、横紋筋の一種である。筋ジストロフィーを患う患者は、心臓疾患も患う。筋肉は、連続内皮を有する血管によって血液を供給される。通常の生理学的条件下では、これらの血管の内皮層は、約７０−９０ナノメータのストーク径を有するアデノウイルスの半径の約１／１３である約３ナノメータのストーク径を有するたん白質である、アルブミンに対して実質的に非透過性である。従って、アデノウイルス遺伝子ベクターを、その層を通過可能とするためには、筋組織に対して血液を供給する血管の内皮層の透過性を、通常の生理学的条件下に於けるその層の透過性に対して大幅に増大させることが必要である。
【００５８】
筋肉は、哺乳動物の体の全毛細表面積の半分を遥かに超える非常に脈管質の組織である。その結果、もしも筋肉の内皮が、アルブミンサイズの分子に対して透過性になれば、体外循環支持装置がなければ循環系は崩壊し、その哺乳動物はショックを受ける。従って、循環する血液の量のホメオスタシスにとって内皮バリアが必須である。正常な循環系ホメオスタシス中に於いて、体内の個々の細胞を通過する血液の流量は、その細胞のそれぞれの需要を満たすのに適した率で酸素を供給する。ショック中に於いて、この流量は、そのレベルから維持不能レベルに低下し、これによつて、細胞の酸素欠乏が発生し、もしそのショックが十分な時間続くならば、細胞死が起こる。
【００５９】
内皮病態生理学、即ち、体内の微小循環通路の壁の機能障害、は、炎症、体過敏症、敗血症ショック、心肺バイパス、カルチノイド症候群、そしてカルチノイドクリーシス等を含む広範囲の生理学的状態で発生する。これらの状態のそれぞれが、水、陽イオン、陰イオン、のみならず、大きな巨大分子も内皮バリアを透過することを許容してしまう血管内皮透過性の増加を伴う。
【００６０】
本発明は、血管内皮易透化によって、アデノウイルス遺伝子ベクター等の巨大分子アセンブリ、血管空間から血管内皮を介して、筋組織等の管外組織への転移が容易になる、という観察に基づくものである。ここに記載されているように、血管内皮透過性は、生理学的に増大させることができる。従って、炎症調製剤又はその誘導体等の血管透過性促進剤を使用して、必ずしもアナフィラキシーショックを起こすことなく、内皮透過性を操作することが可能である。血管透過性促進剤は、それらが、内皮透過性を変化させるべく作用する急速度と、その作用の可逆性とに依り、選択される調節剤である。
【００６１】
本発明の組成物は、遺伝子導入ベクター等の巨大分子アセンブリと、血管透過性促進剤とを有する。好適な遺伝子導入ベクターは、ウイルスベクター、より具体的には、アデノウイルスベクターである。
【００６２】
好ましくは、そのような遺伝子ベクターは、遺伝子コード化ジストロフィンと、遺伝子コード化エウトロフィン（ｅｕｔｒｏｐｈｉｎ）と、サルコグリカン（ｓａｒｃｏｇｌｙｃａｎ）をコード化する遺伝子と、ミニジストロフィン（ｍｉｎｉｄｙｓｔｒｏｐｈｉｎ）をコード化する遺伝子等の、ヒト遺伝子を有する。前記遺伝子ベクターは、ヒト骨格筋クレアチンホスホキナーゼプロモータ／調節領域と、ネズミ骨格筋クレアチンホスホキナーゼプロモータ／調節領域と、ヒト骨格筋細胞に於いて通常発現される遺伝子のプロモータ／調節領域と、ヒト構成プロモータ領域等の、前記ヒト遺伝子に作動リンクされたプロモータ／調節領域を有するものとできる。遺伝子ベクターを構築する方法は当該技術に於いて周知である。
【００６３】
好適な血管透過性促進剤は、内皮が、約１５０−２００ナノメータの直径のウイルスベクターを収納するようになるような程度に、血管内皮の透過性を変化させるものである。ヒスタミン、アセチルコリン、アデノシンヌクレオチド、ａｒａｃｈｉｏｄｏｎｉｃ酸、ブラジキニン、シアニド、エンドセリン、エンドトキシン、インターロイキン−２、イオン透過担体Ａ２３１８７、ニトロプルシド、ロイコトリエン、酸素ラジカル、ホスホリパーゼ、血小板活性化因子、プロタミン、セロトニン、腫瘍壊死因子、管内皮生長因子（ＶＥＧＦ）、バチ毒、及び血管活性アミン等、を含み、但しこれらに限定されない様々な前記血管透過性促進剤が知られている。これらのリストした物質の内、二つ、即ち、ヒスタミンとＶＥＧＦとが好ましい。
【００６４】
ヒスタミンは広範囲に特徴付けられており、その薬理特性は、比較的よく理解されている。ここに記載されているように、ヒスタミンは、血管内皮透過性を、アデノウイルス遺伝子ベクターが、血液流から管外組織へと通過することができる程度に促進させるのに有効な薬剤である。従って、ヒスタミンは、本発明の好適な血管透過性促進剤である。哺乳動物にヒスタミンを投与することには、様々な公知の望ましくない副作用がある。哺乳動物に於けるこれら副作用を逆転又は軽減するのに有効な、抗ヒスタミン剤及びヒスタミンレセプタ拮抗剤が知られている。これらの組成物を、哺乳動物に対して、ヒスタミンの下記の投与と組み合わせて、又はその投与後に使用することは、本発明の変形例として考慮される。いかなる特定の理論に制約させることを望むものではないが、或る種の抗ヒスタミン剤は、ヒスタミンの単数又は複数の他のヒスタミン受容体との相互作用に影響することなく、ヒスタミンのＨ１又はＨ２受容体等の、単数又は複数種のヒスタミン受容体に対するヒスタミンの結合を、阻止、逆転、又は拮抗するこにとよって作用するものと、考えられる。従って、或る種の抗ヒスタミン剤は、ヒスタミンの血管透過性促進特性に影響を与えることなく、哺乳動物に慰するヒスタミンの投与の望ましくない副作用を防止、又は逆転させるのに特に有効であるかもしれない。そのような抗ヒスタミン剤を、哺乳動物の組成物、方法、及び方法に於いてヒスタミンの投与と平行して、又はその投与後に投与することが本発明において考慮される。
【００６５】
ＶＥＧＦは、ヒスタミンよりもはるかに低い濃度で有効な血管透過性促進剤であることが示されている。更に、ＶＥＧＦは、ヒスタミンによって誘発される望ましくない副作用の全てを有するものではない（ロバーツ（Ｒｏｂｅｒｔｓ）他，１９９５，Ｊ．Ｃｅｌｌ  Ｓｃｉ．１０８：２３６９−２３７９；ロバーツ（Ｒｏｂｅｒｔｓ）他，１９９７，Ｃａｎｃｅｒ  Ｒｅｓ．５７：７６５−７７２；サンガー（Ｓａｎｇｅｒ）他，１９９０，Ｃａｎｃｅｒ  Ｒｅｓ．５０：１７７４−１７７８）。従って、ＶＥＧＦは、本発明の好適な血管透過性促進剤である。
【００６６】
本発明は、又、毛細管の血管拡張によって、血管空間から血管内皮を介して管外組織への遺伝子転移の効率が改善させるという観察にも基づいている。この効果は、肝臓では、この器官の開口性に依り、それほど重要ではないが、毛細管の大半が休息時に於いてかん流されない、筋組織等のその他の管外組織に於いては極めて重要である。血管拡張は毛細管のルーメンの拡張を起こし、なんらかの特定の作動原理によって制約されるものではないが、更に、血管内皮の開口性を引きこす又は改善する可能性がある。従って、血管拡張によって、血管から管外組織への出液が改善される。ここに記載されているように、血管拡張組成物は血管の一部を狭めるべく血管透過性促進剤の導入を改善し、これによって、それがその血管の内皮表面のより大きな部分に作用することを可能とすることによって、その薬剤の有効性を改善する。血管拡張は、又、血管の一部を狭めるべく巨大分子アセンブリの導入も改善し、これによって、その導入に対してより大きな内皮表面領域が利用可能となることにより、そのアセンブリの経皮導入を改善する。パパバリン、ニモジピン、ヒドララジン、窒素酸化物、エポプロステノール、トラゾリン、アムリノン、ミルリノン、ニトログリセリン、脱硝イソソルビド、イソソルビド一硝酸塩、及び有機硝酸化合物等を含み、但しこれらに限定されない多くの血管拡張剤が当該技術に於いて知られている。
【００６７】
従って、本発明は、遺伝子導入ベクター等の巨大分子アセンブリと、血管透過性促進剤と、血管拡張剤とを有する組成物を含む。好ましくは、前記血管拡張剤はパパバリンである。
【００６８】
一実施例に於いて、本発明の前記組成物は、アイソトニック緩衝剤等の、薬剤的に許容可能なキャリアを有する。前記組成物は、日当たり体重キログラム当たり１ナノグラムから、日当たり体重キログラム当たり１００ミリグラムの範囲の量の前記巨大分子アセンブリを導入するべく哺乳動物に投与することができる。該組成物は、単数又は複数の供与で、投与することができ、複数の供与は、数日、数週間、又は数ヶ月に渡って行われる。
【００６９】
本発明の前記組成物の前記血管透過性促進剤又は血管拡張剤、あるいはこれらの両方は、薬用組成物として哺乳動物の血管に供給することができる。本発明の方法に於いて有用な薬用組成物は、経口固形製剤として、目薬、座薬、エアゾル、塗布又はその他の製剤として体に投与することができる。前記血管透過性促進剤又は前記血管拡張剤、あるいはこれら両方に加えて、それら薬用組成物は、薬用許容可能キャリア、及び、薬剤投与を促進、容易化することが知られているその他の成分を含むことができる。ナノパーティクル、リポソーム、再密封赤血球、及び免疫ベースシステム等のその他可能な製剤も、本発明の方法に依って、前記血管透過性促進剤又は血管拡張剤あるいはこれら両方を投与するのに使用することができる。
【００７０】
別実施例に於いて、本発明の前記組成物は、更に、たとえば組織の遺伝子導入ベクターに対する露出中に、その管外組織に対して酸素が供給されるように、酸素輸送剤を有する。その組成物が投与されている哺乳動物の血液、同じタイプの哺乳動物の異なる個体からの血液、過フルオロ化合物液、ヘモグロビン含有組成物、等、の当該技術に於いて知られているすべての酸素輸送剤を使用することができる。
【００７１】
本発明の前記組成物は、巨大分子アセンブリを、哺乳動物の管外組織に導入するためのキットとして提供することができ、該キットは、血管透過性促進剤と血管拡張剤とを有する。好ましくは、前記血管透過性促進剤は、ヒスタミン又は血管内皮生長因子であり、前記血管拡張剤はハパバリンである。前記キットが管外組織に遺伝子ベクターを導入するのに使用される場合には、前記キットは、更に、アデノウイルスベクター等の遺伝子ベクターを含むことができる。好ましくは、そのような遺伝子ベクターは、遺伝子コード化ジストロフィン、遺伝子コード化エウトロフィン（ｅｕｔｒｏｐｈｉｎ）、サルコグリカン（ｓａｒｃｏｇｌｙｃａｎ）をコード化する遺伝子、ミニジストロフィン（ｍｉｎｉｄｙｓｔｒｏｐｈｉｎ）をコード化する遺伝子等のヒト遺伝子である。前記遺伝子ベクターは、更に、ヒト骨格筋クレアチンホスホキナーゼプロモータ／調節領域、ネズミ骨格筋クレアチンホスホキナーゼプロモータ／調節領域、ヒト骨格筋細胞に於いて通常発現される遺伝子のプロモータ／調節領域、ヒト構成プロモータ領域前記ヒト遺伝子に作動リンクされたプロモータ／調節領域等の、前記ヒト遺伝子に作動リンクされたプロモータ／調節領域を有する。これら遺伝子ベクターを構築する方法は当該技術に於いて周知である。
【００７２】
本発明のその他の組成物は、心筋層に巨大分子アセンブリを導入するキットとして提供することができる。このキットの好適な巨大分子アセンブリは、たとえば、心筋症を治療するのに有用な薬用又はその他治療用組成物がある。そのような組成物は、心筋層中で発現された時に、治療効果を発する遺伝子産物をコード化するポリヌクレオチドを有する遺伝子ベクターを含む。遺伝子産物の例には、例として、非限定的に、アンギオテンシン１受容体、又はＶＥＧＦ等のたん白質、アンギオテンシン１，アンギオテンシン２，ベータ−アドレナリン受容体、ベータ−アドレナリン受容体キナーゼ、ベータ−アドレナリン受容体キナーゼインヒビター、又はアルファ−アドレナリン受容体等をコード化する核酸と相互作用することが可能なもの等の、アンチセンスオリゴヌクレオチドがある。
【００７３】
本発明は、更に、機械的循環系支持装置と体外酸素供給装置とによって、本発明の前記組成物の薬理的範囲が広がる、と観察にも基づいている。換言すると、哺乳動物が心肺装置に接続されると、それは次の全部を行うことができる。心臓は、前記組成物に含まれる血管透過性促進剤の作用と血管拡張剤の作用から機能的に保護される。体外支持装置の不在状態で大幅な血管拡張を行うと、反射性頻拍と、心臓に対する収縮性の増加とが起こり、これらは共に、筋ジストロフィー等を患うヒトの心臓等の、既に遺伝的に欠損した心臓に対してダメージを与える。更に、体外循環によって、肺動脈内のそれを含めて、肺かん流圧を独立的に制御することが可能になる。ヒトの心臓の右心室に大きなカニューレを設置することによって、心拡張中に右心室を満たす前に、右心房から血液を引き出すことが可能となる。これによって、シストリック肺動脈が低下し、肺柔組織内への血管からの出液が減少し、これによって、ヒトの肺に流体が蓄積されることが防止される。これは、介入処置の急性罹病率を最小化するために重要である。体外回路によって、更に、出液中に於いて血液流から管外組織へ通過する流体の急速な置換への血管アクセスを確保し、その処置中に於いて体全体を通じて適切な組織酸素供給が維持させることを可能にする。前記心肺装置によって提供される酸素供給は、肺−動脈変化率とは独立しており、これによって、肺水腫に関連する低酸素血症が回避される。換言すると、前記体外ポンプを通って循環する血液は、体への導入の前に十分に酸素供給される。体外回路は、又、最小限の侵入性アクセスルートによっても設定される。
【００７４】
従って、本発明の前記キットは、更に、酸素輸送剤又は、体外循環系支持装置及び酸素供給装置の少なくとも一つの使い捨て部材を有することができる。たとえば、前記少なくとも一つの使い捨て部材は、中空本体と、該本体の内部と流体連通する液体入口と、ガス室の内部にガスを供給するガス入口と、前記本体の内部から前記ガス室を分離する少なくとも一つのガス透過膜と、前記ガス室からのガスの流出を許容するガス出口とを有し、これによって、前記本体内部とガス室のガスとの間でガス交換が行われる。前記酸素供給装置は、図８及び９に図示したものに類似に構成することができ、ここで、前記ガス透過膜は前記チューブの少なくとも一部の内部で延出するＰＴＦＥチューブであり、前記ガス室は前記ＰＴＦＥチューブの内部である。
【００７５】
本発明の前記組成物に加えて、体外循環系支持装置及び酸素供給装置の少なくとも一つの使い捨て部材と、本発明の前記組成物を哺乳動物の血管に供給するための少なくとも一つのカニューレとを有する、本発明の方法を実行するために有効なキットも提案される。好ましくは、このキットは、巨大分子アクセスと、血管透過性促進剤と、注射器又は一定長の蠕動ポンプのチューブと、注射器にフィットするように構成された中空ボアニードル等のカニューレとを含む、哺乳動物の方法を実行するために必要な単用コンポーネントの全てを有する。このキットは、更に、血管拡張剤と、薬学的許容可能キャリアと、第２カニューレと、酸素輸送剤と、実質的に前記血管透過性促進剤を含まない除去剤と、クランプ、止血鉗子又は止血帯、使い捨て酸素供給装置、等のような単数又は複数の血管閉塞装置とを有するものとすることができる。
【００７６】
本発明の方法は、遺伝子ベクター等の巨大分子アセンブリを哺乳動物の管外組織に供給するための方法である。前記管外組織は、オプションとして、体循環系から遮断することができる（たとえば、体循環系から遮断された心筋組織又は肢筋組織）。前記方法は、前記血管の内皮層の透過性を増大させるべく前記組織に関連する血管に血管透過性促進剤を供給する工程を有し、これによって、前記ベクターは、血管の前記内皮層を介して前記組織に供給される。前記血管透過性促進剤は、ベクターと同時に前記血管に供給されるか、若しくは、ベクターの供給前又は後に、血管に供給することができる。好ましくは、前記血管透過性促進剤は、ヒスタミン又はＶＥＧＦである。たとえば、１０ミリモルのヒスタミンとアデノウイルスとをゆうする組成物を、哺乳動物の血管に供給することができ、ここで前記ヒスタミンは、血管の透過性を向上させ、これによって、前記アデノウイルスは、血管の内皮を介して、この血管の近傍の筋等の、管外組織へと通過することができる。前記方法に使用される前記血管透過性促進剤の濃度は、その薬剤の種類に応じているが、その薬剤への露出後におテンションニング、血管がその薬剤に対する露出以前よりも大きな透過性を有するように、血管の透過性を高めるのに十分なものでなければならない。血管透過性促進剤の有効な濃度は当該技術に於いて公知である。
【００７７】
別実施例に於いて、本発明の前記方法は、更に、好ましくは前記遺伝子ベクターを血管に供給する前に、又、好ましくは、前記血管透過性促進剤を供給する前に、前記血管に対して血管拡張剤を供給する工程を有する。この血管拡張剤は、本発明の組成物の供給の前、その間、又はその後に供給することができる。前記血管拡張剤の濃度は重要ではない、但し、それは、血管中の血管拡張を誘発させるのに十分大きなものでなければならない。ここに記載のように、様々な血管拡張剤が当該技術に於いて公知であり、血管拡張を促進するのに有効なそれら薬剤の濃度も同様である。その血管拡張剤が投与される哺乳動物が、その血管拡張剤の生理学的副作用を補償するために機械的な循環系支持装置を適用される場合には、より高い濃度の血管拡張剤を使用することが可能である、と考察される。本発明の方法にパパバインを使用することが好適である。
【００７８】
本発明の前記方法は、非限定的に、筋組織、横紋筋組織、心筋組織、骨組織、骨髄組織、皮膚組織、脳組織、等を含む、全ての管外組織に巨大分子アセンブリを供給するのに使用することができる。ここに記載のように、そのようなアセンブリを、肝臓や脾臓等のある種の有窓管外組織に供給するために本発明の方法を使用する必要はない。しかしながら、本発明の方法は、それが有窓であってもなくても、全ての管外組織に巨大分子アセンブリを供給するのに使用可能である。
【００７９】
本発明の前記組成物が供給される前記哺乳動物は、好ましくは、哺乳動物であり、より好ましくはヒトである。本発明の前記組成物を筋ジストロフィーを患うヒトに供給することが特に考察される。
【００８０】
本発明の方法の一変形例に於いて、前記遺伝子ベクターを血管に供給した後、血管内のかん流圧は、正常生理的かん流圧以上に高められる。かん流圧の増加は、平方インチ当たり５ないし８０ポンド、又はそれ以上とすることができる。しかしながら、当業者は、ここに開示された情報を使用して、かん流圧を増大させること、及びそれに対応する組織損傷のリスクによって得られる利点を評価することができる。血管から哺乳動物の血液循環系、特に哺乳動物の心臓、から遮断される状況に於いては、その哺乳動物に対する損傷のリスクは、血管が遮断されない状況と比較して、かん流圧の増加に対する依存性が低い、と考察される。
【００８１】
本発明の方法に於いて、多数の理由に依り血管の閉塞は有用である。前記段落に記載したように、その血管の圧力を増加させる前に、血管を遮断することによって、哺乳動物のその他の血管及び組織における圧力を最小限にすることができる。本発明の組成物を供給される血管の閉塞によって、更に、その哺乳動物の循環系又は哺乳動物のその他の組織にとって利用可能のその組成物の量を最小限にすることができる。組成物が、もしも哺乳動物の循環系に供給されるならば有害となるであろう一定量の血管透過性促進剤又は血管拡張剤である場合には、血管に対する組成物のゼクエストレーションが有効であり、これは、組成物をその血管に供給前にその所望の血管を閉塞することによって達成することができる。もしも閉塞状態が数分間以上続く場合には、その血管に対して酸素輸送剤を供給することも有用である。更に、血管透過性促進剤、血管拡張剤、又はそれらの両方が無害なレベルにまで代謝されるまで、血管の閉塞を継続することも有効であるかもしれない。
【００８２】
或いは、本発明の組成物の血管への供給後に、その血管に対して除去剤を供給することができる。この除去剤は、実質的に、前記血管透過性促進剤を含まず、好ましくは、本発明の組成物中に存在したいななる血管拡張剤も含まない。本発明の組成物の供給後に血管に対して前記除去組成物を供給することによって、その血管に供給されたが、代謝又は哺乳動物の組織によって吸収されなかった血管透過性促進剤又は血管拡張剤を希釈又は「洗い流す」ことができる。好ましくは、前記除去組成物は、複数の個々のアリコットで連続的に血管に供給される。
【００８３】
特に、本発明の組成物が哺乳動物の血液循環系、又は、肝臓血液流血管を含むその系の一部に供給される場合には、組成物の前記巨大分子アセンブリを封鎖させることが可能な組織を供給する血管を閉鎖することが有効であるかもしれない。たとえば、ここに記載されているように、一時的な肝臓流閉塞によってアデノウイルスのゼクエストレーションが最小化される。前記プリングル操作は、親指によって肝臓に対して血液を供給する二つの主要な血管、即ち、肝動脈及び門静脈、を閉塞することができるように、外科医の人差し指を肝十二指腸間膜の後に位置させるものである。この処置は、ヒトに於いて１歳時から行うことが可能であり、１時間以内の肝臓流入閉塞が許容可能であることが知られている。
【００８４】
本発明の方法において、血管を通過する流れを閉塞する方法はいかなる方法も使用可能である。外科医が指圧を与えることによる指による閉塞、止血鉗子の使用、止血帯の使用、血管造影的又はＸ線造営的に配置されたバルーン等、によって血管を閉塞する、等の様々な閉塞方法が知られている。
【００８５】
前記組成物を、哺乳動物の肺臓にではなく、哺乳動物の体血液循環系に供給する事が望まれる場合、本発明の前記方法は、更に、前記血管透過性促進剤を供給する前に、前記哺乳動物を、体外循環系支持装置及び酸素供給装置にかける工程を有する。好ましくは、公知の方法に於いて、心肺装置が使用される。体外循環系支持装置と酸素供給装置によって、哺乳動物の肺への血液流を最小限にし、これによって、その哺乳動物の肺血管から肺への出液が最小化される。
【００８６】
ヒトを体外循環系支持装置及び酸素供給装置にかける方法が図５に示されている。この方法に於いて、ＥＣＬＳポンプ酸素供給装置が、図３に示すようにヒトに挿入された一対のカニューレに接続され、一方のカニューレはヒトの右心房に挿入され、他方のカニューレはヒトの大動脈内に延出している。血液は右心房から引き出され、体外的に酸素供給され、制御された圧力と流量でヒトの体組織（たとえば、大動脈弓又は大腿動脈）に戻される。この方法を使用すると、肺への血液流が最小化され、肺血管から肺の柔組織内への出液が最小化される。図４に図示されているように、ヒトの肝血液流も閉塞される。
【００８７】
本発明の前記方法の一つの考案される実施例は、哺乳動物の管外組織に遺伝子ベクターを供給する方法である。この方法は下記の工程を有する。前記組織に関連する血管を、哺乳動物の血管循環系から遮断する。その後、血管に血管拡張剤を供給する。その後、血管の内皮層の透過性を増大させるべく血管に血管透過性促進剤を供給し、前記遺伝子ベクターを血管に供給し、これによって、前記ベクターは血管の内皮層を介して前記組織に供給される。血管内のかん流圧を正常な生理的かん流圧以上に高め、酸素輸送剤を血管に供給する。その後、血管に除去剤を供給する。この除去剤は実質的に前記血管透過性促進剤を含まない。
【００８８】
従って、本発明の方法のこの実施例に依れば、管外組織に対する遺伝子ベクターを供給は、前記血管拡張剤の存在、前記血管透過性促進剤の存在、及び、哺乳動物の血管内のかん流圧の増大、によって向上する。更に、前記遺伝子ベクターと両薬剤とは、これらベクター及び薬剤の供給前に於ける、血管の閉塞によって遮断された状態に留まる。血管に対して酸素輸送剤が供給されるので、血管は閉塞状態に留まることができ、前記ベクターと薬剤とは長い時間血管内に留まることができる。又、血管に対して除去剤が供給されるので、哺乳動物の体血液循環が再び形成される前に、余分なベクターと薬剤とが血管から除去され、これによって、これらベクター又は薬剤の、前記血管以外の哺乳動物の体の領域に於ける存在によって引き起こされる望ましくない副作用が最小化される。
【００８９】
本発明の前記方法は、本発明の実質的に全ての筋組織に対して遺伝子ベクターを供給するのに使用することができる。該方法は下記の工程を有する。哺乳動物を体外循環支持装置と酸素吸収装置にかける。その後、哺乳動物の血液循環系に血管拡張剤を供給し、血液循環系の血管の内皮層の透過性を増大させるために前記血液循環系に血管透過性促進剤を供給し、遺伝子ベクターを血液循環系に供給する。これによつてね前記ベクターは、血液循環系の血管の内皮層を通って実質的にすべての筋組織に供給される。そして、血液循環系内のかん流圧を正常な生理的かん流圧以上に高める。哺乳動物の肝臓中に於ける前記遺伝子ベクターのゼクエストレーションを低減させるために、プリングル操作を行って、肝臓に対する肝血液流を閉塞させることができる。哺乳動物の内蔵中に於ける前記遺伝子ベクターのゼクエストレーションを低減させるために、完全な内蔵流入閉塞を行うことができる。完全な内蔵流入閉塞は、たとえば、腹腔軸つい骨、上腸間膜動脈、及び下腸間膜動脈を通過する血液流を閉塞することによって可能であり、これを少なくとも１５分間維持することができる。これら三つの血管は、たとえば、ｌａｐｏｒｏｓｃｏｐｉｃ又は外科処置によって、或いは、大腿動脈にバルーンを通過させることによって、アクセスすることが可能である。
【００９０】
哺乳動物の別の重要な実施例は、流体（たとえば、遺伝子ベクターを有するもの）を、その体のその他の筋組織にはほとんど供給せずに、哺乳動物の心筋組織に供給する方法である。この方法は、哺乳動物の心臓循環系を体循環系から遮断する工程を有する。哺乳動物の心臓循環系は、体循環系から、例６に於いてここに記載の方法のいずれかを使用して遮断することができる。ここに記載されているように、本発明の心臓遮断カテーテルを使用する最小侵入性法が好適である。これらの方法は、とりわけ、心筋組織に遺伝子ベクターを供給する目的で使用することができる。遮断された心筋組織に対する遺伝子ベクターの供給を向上させるために、本発明の炎症調整物質を心臓内に使用して、心臓循環系と体循環系を再び混合させる前に、心臓循環系から洗い流すことができる。
【００９１】
本発明の前記装置は、本発明の血液等の、酸素輸送剤を、本発明の血管に対する薬剤の供給前に供給するのに使用可能な酸素供給装置を有する。本発明の酸素供給装置は、中空本体と、該本体の内部と流体連通する液体入口と、ガス室の内部にガスを供給するガス入口と、前記本体の内部から前記ガス室を分離する少なくとも一つのガス透過膜と、前記ガス室からのガスの流出を許容するガス出口とを有し、これによって、前記本体内部とガス室のガスとの間でガス交換が行われる。前記酸素供給装置は、図８及び９に図示したものに類似に構成することができ、ここで、前記ガス透過膜は前記チューブの少なくとも一部の内部で延出するＰＴＦＥチューブであり、前記ガス室は前記ＰＴＦＥチューブの内部である。本発明の酸素供給装置の単純な構造により、それは、低コストに構成することができ、体外酸素供給装置の単用使い捨て部材として扱うことができる。本発明の酸素供給装置のこん単純な構造によって、更に、それを、哺乳動物の血管の内容物の量等の非常に小さな量の液体の酸素供給に適合された寸法で製造することが可能となる。前記酸素供給装置の寸法比率、特に、前記液相を酸素供給装置の本体と接触させることが可能な前記ガス透過膜の表面積、を変えることによって、この酸素供給装置は、実質的にあらゆる液相流量を支持することが可能に構成することができる。このようなプロポーショニング法は当該技術に於いて周知である。
【００９２】
本発明の前記酸素供給装置は、酸素供給剤を酸素供給装置の本体を通して通過させることによって使用され、これにより、薬剤が前記ガス透過膜に接触する。前記ガス室に供給される酸素、空気又はその他の気体は、前記ガス透過膜を通って前記薬剤中に拡散可能であり、これを哺乳動物の血管に供給することができる。ここに記載されているように、すべての酸素供給剤を使用することができる。閉塞された血管に供給されるべき薬剤の量が小さい場合には、その中空本体内に比較的少量を有する酸素供給装置が使用され、同様に、酸素供給装置がより大量の薬剤に酸素を供給するのに使用される場合には、それに比例して大きな量を有する酸素供給装置が使用される。
【００９３】
機械的循環支持装置及び体外酸素供給によつて前記炎症調節物／血管拡張剤混合物の薬用範囲が広がるという仮設の裏付けは以下の情報に見られる。本発明に於いて、遮断拡散された心臓は、骨格筋に使用されるのと同じヒスタミン及びパパバリン投与量に耐え、これらの投与量は、前記調節物質が体循環が回復される前に洗い流される限り、許容される、ということが判った。もしもこれらの化合物が、支持装置を付けられていない心臓の体循環系に侵入するならば、心臓ショックが発生する。
【００９４】
ヒスタミンとパパバリンの投与中に於いて心臓を支持するために、二つの方法が使用可能である。第１に、適当なドナーの心臓は、その治療される哺乳動物の心臓の移植の前に、遮断し、体外で拡散させることができる。第２に、先ず、大腿部循環系に移植を行い、上腹部系の支流血管にカニューレ挿入し、心臓をその場で拡散し、カニューレを前記系から除去する前に、それを、体循環系に薬剤が漏出することを防止する後肢止血帯を使用して洗浄する。これら処置の両方によって、哺乳動物ののその他に対してなんら循環支持装置を使用する必要なく、改造されたポンプ酸素供給装置によって可能な上生理的（ｓｕｐｒａｐｈｙｓｉｏｌｏｇｉｃ）拡散圧を非常に過渡的に使用することが可能となる。従って、処置される哺乳動物の心臓と肺臓とはまだ正常な状態で機能し続けている。
【００９５】
血管に組成物を供給するための装置と方法とは当該技術に追いいて周知であり、たとえば、カニューレ挿入法、注射器取付け中空ボアニードル供給、蠕動ポンプによって係合される一定長のフレキシブルチューブを介した供給、等がある。しかしながら、本発明は、ここに記載の方法を行うためのいくつかの新規で有用な装置を含む。
【００９６】
たとえば、本発明は、ヒト等の哺乳動物の大静脈に挿入可能な心臓遮断カテーテルを含む。この心臓遮断カテーテルは以下を有する、
（ａ）その内部で長手方向に延出する静脈血液流ルーメンと、近端と、遠端部と、近端ポートと、遠端ポートとを備える中空筒状本体、
（ｂ）前記本体に取り付けられた遠端導管シート、そして
（ｃ）前記本体に取り付けられた近端導管シート。
【００９７】
前記カテーテルは、哺乳動物の大静脈内に於いて、一方の導管シートが右心房と、腕頭静脈の接合部との間の前記哺乳動物の上大静脈内に位置し、他方の導管シートが、右心房と肝静脈との間の下大静脈内に位置するように、位置決め可能である。この構成によって、右心房の非心臓、非肺静脈循環系からの遮断が可能となるが、右心房を非心臓血液循環系から完全に遮断するためには、奇静脈の閉塞も必要であるかもしれない、と認識される。前記心臓遮断カテーテルの前記遠端ポートは、前記遠端導管シートに対して遠端側に位置する。前記近端ポートは、前記近端導管シートに対して近端側に位置する。心臓遮断カテーテルの近端ポートと遠端ポートとの両方が、カテーテルの静脈血液流ルーメンと連通しているので、腕頭静脈の結合部の血液と、肝静脈の血液とがこれらポートを介して静脈血液流ルーメンと流体連通する。従って、前記心臓遮断カテーテルを患者の大静脈内に設置することによって、心臓循環系が非肺体循環系から遮断される。
【００９８】
一実施例に於いて、前記心臓遮断カテーテルは、カテーテルの両ポートから近端部へカテーテル内に於いて長手方向に延出する流体アクセスルーメンと連通する単数又は複数の右心房流体アクセスポートを有する。右心房、右心室、及び肺動脈の近端部の流体を、これらのポートを介して心臓から取出すことができる。このような流体流は、心臓内圧力、前記流体アクセスルーメンに加えられる体外的に発生された吸引力、又はこれらの両方によって駆動することができる。流体アクセスルーメンに吸引力が加えられた時、この流体アクセスルーメンは、そのカテーテルの導管シート（単数又は複数）に関連する吸引ポート（単数又は複数）とも連通することができる（或いは、別の吸引ルーメンを使用することができる）。複数の右心房流体アクセスポートが存在する場合には、それらは、好ましくは、全てのポートが静脈又は心組織によってブロックされる可能性を最小限にするべく、前記カテーテルの二本体の周りに周方向に配設される。
【００９９】
前記心臓遮断カテーテルが、心臓循環系に対して液体（たとえば、遺伝子ベクターを含む流体）を供給するのに使用される場合、心循環系を肺静脈から遮断する必要はない。心臓内の弁によって、左心房及び左心室から肺静脈内への流体の逆流が防止される。しかしながら、液体が心臓から肺循環系に入ることを防止するために、肺循環系を、肺動脈を閉塞させることによって、心臓循環系の液体から遮断することができる。肺動脈は、本発明の前記心臓遮断カテーテルと、閉塞装置を取り付けた第２のカテーテルとを使用することによって閉塞可能である。
【０１００】
たとえば、前記第２カテーテルは、遠端部と、この遠端部に設けられた導管シートとを有するカテーテルとすることができる。該第２カテーテルは、前記心臓遮断カテーテルの少なくとも一つのルーメン（たとえば、その流体流ルーメン）内に挿入可能であり、そこから、アクセスポートを介して延出する。この第２カテーテルは、該第２カテーテルの前記導管シートが前記アクセスポートから右心室を通って肺動脈の根元に貫通するように患者の心臓内に位置決め可能である。該第２カテーテルは、当該技術に於いて周知の方法を使用して「操作可能」とすることができる。このような方法は、一般に、カテーテルを硬質なフィラメント（たとえば、ワイヤ）と関連つけることを含み、これによって、このフィラメントに対して長手方向の又はトルク力を加えると、カテーテルの先端部が湾曲、変位又は変形するか、あるいは、カテーテル内に湾曲が発生し、これによって、カテーテルを、まっすぐでない通路をより容易に案内することが可能となる。同様に、前記カテーテルは、カテーテルのルーメン内に硬質なフィラメントを挿入することによって案内可能とすることができ、これにより、カテーテルの形状は、その硬質フィラメントの形状となり、カテーテルを、まっすぐでない通路をより容易に案内することが可能とする。
【０１０１】
前記第２カテーテルは、更に、或いはそれに代えて、患者の心臓の形状に適合した形状（たとえば、ヒトの心臓の内部に適合した形状）にすることができる。第２カテーテルがそのように適合された形状を有する時、該カテーテルは、それをカバーする取り外し可能なシースを備えさせることができ、これによって、このシースは、該シースの取り外し時に、その適合形状を形成するようにすることが可能である。好ましくは、前記導管シートは、肺動脈弁の遠端側の位置に於いて肺動脈内に位置する。肺動脈を、第２カテーテルの導管シートに対して着座させることによって、肺動脈を通過する流体流が閉塞される。前記導管シートは、第２カテーテルの遠端先端部に配置させてもよいし、或いは、該カテーテルの遠端部の周囲を取り囲むように配置して、第２カテーテルの遠端部がその導管シートを超えて遠端側に延出するように配置することも可能である。
【０１０２】
或いは、前記心臓遮断カテーテルは、その外表面に、前記第２カテーテルの本体の形状に適合されたノッチ又は凹部を有するものとすることができる。図１７Ｂに図示されているように、前記第２カテーテル４０Ｂは、前記心臓遮断カテーテル１０から独立的に（かつ、好ましくは、心臓遮断カテーテルの前に）大静脈に挿入可能であり、第２カテーテル４０の本体が、大静脈が心臓遮断カテーテルの導管シートに対して着座するポイントに於いてこの心臓遮断カテーテルに形成された前記ノッチ内に嵌入するように、配置することができる。
【０１０３】
前記第２カテーテルの遠端先端部が前記導管シートを超えて遠端側に延出する場合、前記遠端先端部に、肺動脈のルーメンから流体を引き出すべく前記第２カテーテル内に長手方向に延出するルーメンと連通するオリフィスを設けることができる。前記第２カテーテルは、これに代えて、或いは追加的に、右心房、右心室、肺動脈の根元（即ち、前記導管シートに対して近端側に位置する肺動脈の部分）から流体を引き出すために、第２カテーテル内に長手方向に延出するルーメンと連通する、前記導管シートに対して近端側に位置する単数又は複数のポートを有するものとすることができる。肺動脈から流体を引き抜くことによって、前記導管シートを通過して漏出する可能性のある流体流が最小化され、従って、又、心臓循環系と肺循環系との混合が防止される。右心房、右心室、又は肺動脈の根元から流体を予め抜き取ることによって、更に、両循環系の再混合時に、遮断された心臓循環系に供給された流体と体循環系とが混合されることが防止される。
【０１０４】
患者の心臓循環系をその患者の静脈及び動脈循環系から遮断するために、本発明の心臓遮断カテーテルを使用して、大静脈を通って心臓に至る体静脈血液流を閉塞し、第２カテーテルを使用して肺動脈血液流を閉塞し、そして、大動脈根元から体動脈循環系への動脈血液流を閉塞することが必要である。大動脈血液流を閉塞するためには、知られている（たとえば、クランプ、縫合線、動脈内バルーン、等）又は今後開発される実質的にいかなる方法も使用することが可能である。患者に対するトラウマを最小限にするために、大動脈導管シートを有し、その導管シートが冠状動脈の上方で、但し、大動脈弓の下方に位置するように（即ち、心臓に対して、腕頭動脈の近端側）、患者の大動脈中に位置決め可能な動脈内カテーテルを使用して動脈血液流を閉塞することが好ましい。大動脈を、前記動脈導管シートに着座させることによって、前記動脈内カテーテルがすえつけられ、大動脈を通る流体流が閉塞される。
【０１０５】
前記動脈内カテーテルは、好ましくは、その内部に於いて、その近端部から、前記動脈導管シートに対して遠端側に位置する排出ポートへ長手方向に延出する液体アクセスルーメンを有する。この液体アクセスルーメンに供給された流体は、前記動脈内カテーテルを通過してね心臓又は大動脈（その動脈内カテーテルがすえつけらた時の前記排出ポートの位置に応じて）に流入する。左心室又は動脈根元に供給された流体は、そこから、冠状動脈に流入し、更に、そこから心臓内のより小さな血管に流入する。
【０１０６】
前記動脈内カテーテルは、更に、その内部に於いて、その近端部から、前記動脈導管シートに対して遠端側に位置する左心室ベントポートへ長手方向に延出するベントルーメンを備えることができる。その内部に前記左心室ベントポートを有するカテーテルの部分は、オプションとして、すえつけられた動脈内カテーテルに対して延長可能に構成し、これによって、この部分を前記左心室ベントポートを超えて左心室内へと延長可能とすることができる。オプションとして、前記排出ポートと左心室ベントポートとは、前記動脈内カテーテルのすえつけ時に於いて、両方のポートが左心室内に位置するか、若しくは、排出ポートが動脈根元に位置し、左心室ベントポートが左心室に位置する、ように相対的に固定位置に配置することができる。左心室ベントポートから流体を引き抜くことによって、二尖弁を介した流体の逆流を最小化し、肺静脈への流体の逆流を防止することができる。
【０１０７】
ここに記載のカテーテルの導管シートは、当該技術に於いて周知のように、いかなる形状のものであってもよい。これら導管シートは、管外部材の必要性無く血管を閉塞する部材（たとえば、バルーン）とすることができ、或いは、それらは、血管を導管シートに着座させる管外部材（たとえば、管外クランプ又は係蹄）との協動で血管を閉塞させるように構成された部材（たとえば、カテーテル本体の隆起部）とすることができる。具体的な導管シートとしては、非限定的に、バルーン、カテーテル本体の隆起部、カテーテル本体の膨張可能部、カテーテル本体の凹部、カテーテル本体のラフ又は不規則部、一対の近接離間配置された隆起面、等が挙げられる。バルーンが使用される場合には、カテーテルが、そのバルーンを流体（たとえば、空気又は燐酸緩衝生理食塩水）によって膨張させるために、バルーンの内部と連通する膨張ルーメンを有することが重要である。前記カテーテルは、更に、導管シートに関連付けられた単数又は複数の吸引ポートを備えることができ、これによって、この吸引ポート（即ち、吸引ルーメン）に吸引力を加えると、その内部にカテーテルが位置する血管の壁が前記導管シートに対してより強固に着座される。これら導管シートの重要な特性は、それらが、支持を供給することであり、これによって、管外部材（たとえば、係蹄又はクランプ）とは独立的に、又は、それとの協動で、血管を閉塞させることができる。
【０１０８】
本発明の前記カテーテルは、更に、単数又は複数の検出可能な印（ｉｎｄｉｃｉａ）を備えることができ、これによって、これらカテーテルの患者の体内に於ける位置決めと案内が容易になる。これらの印は、非限定的に、螢光透視法、X線写真術、気管内超音波心臓検診法、又は音波ホログラフィー法の公知の画像化技術のいずれかを使用して検出可能な印とすることができる。このような印の使用は当該技術に於いて周知である。この印は、好ましくは、先端部、導管シート、ポート、オリフィス、等のカテーテルの特徴部分の近傍に配置される。
【０１０９】
ここに記載のカテーテルを製造するのに使用される材料の種類は重要ではない。ここに記載のカテーテルは、管こう内カテーテルの製造用に現在知られている、又は、開発されている実質的にいかなる材料からも製造することができる。そのような材料としては、たとえば、ポリエチレン、酢酸ビニルから成るグループから選択される生物学的適合材、酢酸ビニルを含むコポリマ、エチレン酢酸ビニルコポリマ、ポリ塩化ビニル、アクリレート、アクリレートを含むコポリマ、ポリメチレンメタクリレート、ポリエチレンメタクリレート、ポリメタクリレート、エチレングリコールジメタクリレート、エチレンジメタクリレート、ヒドロキシメチルメタクリレート、ポリウレタン、ポリビニルピロリドン、２−ピロリドン、ポリアクリロニトリルブタジエン、ポリカーボネート、ポリアミド、フルオロポリマ、ポリふっ化ビニル、ポリテトラフルオロエチレン、ポリテトラフルオロエチレンとポリふっ化ビニルのコポリマ、ポリスチレン、スチレンアクリロニトリル、スチレンアクリロニトリル、アクリロニトリルブタジエンスチレンを有するコポリマ、アクリロニトリルブタジエンスチレンのコポリマ、ポリメチルペンタン、ポリスルフホン、ポリエステル、ポリイミド、ポリイソブチレン、ポリメチルスチレン、シリコーンゴム、ポリ塩化ビニルエラストマ、ポリオレフィンエラストマ、ウレタンベースエラストマ、ラテックス、及び合成ゴム、がある。
【０１１０】
「ワイヤ巻き」カテーテル（即ち、比較的硬質のフィラメントがそのカテーテルの壁に通常は埋設されたカテーテル）の使用が考察される。カテーテルの捩じれ又は（たとえば、吸引力による）挫折を防止するために、知られている又は、今後開発されるいかなるその他の方法も使用可能である。
【０１１１】
奇静脈と、下大静脈との間の接合部の部位は、個人個人によって大幅に異なることが知られている。奇静脈が大静脈に合流する位置に応じて、心臓循環系を体循環系から遮断するために、奇静脈を閉塞することが必要かもしれない。奇静脈と大静脈の接合部の位置を測定する方法（たとえば、血管造影法）は周知である。もしも奇静脈が、前記心臓遮断カテーテルの導管シートに着座された上大静脈と下大静脈との位置の間に位置するポイントで大静脈と合流しているのであれば、その場合には、心臓循環系に対して炎症調節剤（単数又は複数）を供給する前に、奇静脈を閉塞させることが必要である。奇静脈は、血管を閉塞させる実質的にいかなる方法によっても閉塞させることができる。たとえば、それは外科的に結紮、クランプ、又は止血することができ、或いは、バルーンカテーテルを、心臓遮断カテーテルのアクセスポートを通して奇静脈内へとネジ込み、このバルーンを膨張させてもよい。
【０１１２】
ここに記載のカテーテルの最初の実施例は、遺伝子ベクターを体筋組織ではなく心筋組織に対して特異的に供給する目的で、心臓循環系を体循環系から遮断することを可能とするように構成されたものであったが、本発明の装置が、その他多種多様な目的のためにも使用可能であることは明白である。更に、比較的小さな改変によって、本発明のこれらカテーテルは、更に多様な目的のための使用することができる。
【０１１３】
たとえば、本発明の心臓遮断カテーテルは哺乳動物（特にヒト）の大静脈からヒトの右心房内に通過する静脈血液流を阻止するように構成されたものであるため、このカテーテルは、右心房への静脈血液流が望ましくない様々な状況に於いて使用することが可能である。ここに記載された心臓バイパスに加えて、そのような状況としては、非限定的に、開胸、及びその他の侵入性の低いｔｈｏｒａｃｉｃ（特に、心臓）な外科処置が挙げられる。
【０１１４】
本発明の心臓遮断カテーテルは外科患者の大静脈内にすえ付けられるものであるため、大静脈を通る静脈血液流を、分岐、最小化又は閉塞するために前記心臓遮断カテーテルを使用することによって、解剖学的に大静脈近くに位置する部位の視認性を、従来の外科的処置と比較して、改善することができる。更に、本発明の心臓遮断カテーテルは、心筋を切開する形成することなく、それを介して外科医が、心臓の静脈キャビティー（即ち、右心房、右心室、肺動脈、冠静脈洞）の内部に、装置（たとえば、カテーテル、小さな外科器具、等）、組成物（たとえば、薬剤組成物、画像形成剤、遺伝子ベクター、等）を供給できる単数又は複数のアクセスポートを有するものとすることができる。本発明の心臓遮断カテーテルが有利に利用可能なその他の外科処置としては、本発明の開示に鑑みて当業者にとって明らかなように、非限定的に、僧帽弁外科手術、三尖弁の修復、心房中隔欠損の治療、及びその他の心臓障害、が挙げられる。たとえば、本発明の心臓遮断カテーテルは、外科手術部位に挿入される一対の単段カニューレの代りに使用することができ、これによって、外科医に対して、その手術部位のよりすっきりした視界を提供し、その部位に於いて必要な切開部の数を低減させる。
【０１１５】
本発明の心臓遮断カテーテルは、様々な公知の動脈内カテーテル（そして、オプションとして、様々な奇静脈オクルダー）と併用されることによって、哺乳動物の心臓循環系を、非心臓、非肺体循環系から遮断することができる。更に、ここに記載されているように、肺動脈を通る流体流を閉塞させるために肺内動脈カテーテルを使用して、心臓循環系を、哺乳動物の肺循環系からも遮断することができる。このような方法は、開業医に、非心臓、非肺体循環系、心臓及び肺の循環系の組み合わせ、又は、遮断された心臓循環系に、特定的に薬剤を供給することを可能とする。当業者は、適当な薬剤、及び、それらをこれらのコンパートメントに供給する適当な状況を選択することができる。
【０１１６】
従って、「心臓遮断カテーテル」という用語は、これらのカテーテルの使用が非心臓、非肺循環系からの心臓循環系の完全な遮断が望まれる状況に限定するものであるいとうことを意味するものではない。たとえば、該心臓遮断カテーテルは、心臓循環系を遮断することなく、右心房から大静脈血液流を転送するために動脈内カテーテルを使用することなく使用することができる。
【０１１７】
本発明の心臓遮断カテーテルの重要な実施例が図２１に図示されている。この実施例に於いて、心臓遮断カテーテルは、ここでは、上大静脈戻りカテーテル９０と下大静脈戻りカテーテル１００とされた、一対のカテーテルを有する。これらカテーテルはそれぞれ、その遠端部近くに設けられた導管シート９２，１０２と、静脈血液入口ポート９６，１０６と、該静脈血液入口ポートからカテーテルの近端部へと血液を搬送するべくその内部に於いて長手方向に延出する静脈血液流ルーメンとを有する。
【０１１８】
このルーメンは、オプションとしてポンプ、酸素供給装置、等の外部装置に接続することができる。図２１に図示されているように、前記静脈戻りカテーテルの一方又は両方に、アクセスポートからカテーテルの近端部へとその内部に長手方向に延出するアクセスルーメンを備えさせることができる。該アクセスポートは、図２１に示されているように、カテーテルの遠端先端部に設けることができるが、或いは、それ以外の場所に設けることもできる、但し、好ましくは、カテーテルの遠端部に設けられる。組成物又は装置（たとえば、ここに記載されている第２カテーテル）を、前記アクセスルーメンとアクセスポートとを介して、そのアクセスポートの位置に応じて、患者の心臓、又は、患者の大静脈の一部に挿入することができる。
【０１１９】
前記アクセスポートは、好ましくは、前記アクセスルーメン内、オプションとして前記アクセスポート、に、配設された貫通可能シールを備える。この貫通可能シール１０４は、前記アクセスルーメンに沿って遠端方向に装置又は組成物の通過を許容するが、カテーテルの遠端部から近端部に向かう方向に於ける流体流は許容しない。単使用又は再使用可能シール等、様々な貫通可能シールを使用することができる。たとえば、この貫通可能シールは、ワックス、パラフィン、又は、ゴム隔膜、又は単数又は複数の膨張可能バルーンとすることができる。バルーンが貫通可能隔膜として使用される場合、それは、好ましくは、カテーテル内のその他の膨張ルーメンとは別の膨張ルーメンに接続され、更に、好ましくは、前記アクセスルーメンを通る組成物又は装置の通過又は移動を許容し、膨張されて近端側の流体流を阻止する。
【０１２０】
たとえば、図１９Ｂには、本発明の心臓遮断法に於ける、すえつけられた上大静脈戻りカテーテルとすえつけられた下大静脈カテーテルとの使用が図示されている。この図に示されているように、前記上大静脈戻りカテーテルは、患者の右頚静脈を介してすえつけられ、下大静脈戻りカテーテルは患者の右大腿静脈を介してすえつけられている。これら両大静脈戻りカテーテルは、体外血液酸素供給装置の十脈肢に接続され、下大静脈戻りカテーテルは、心臓から流体を収集し、該下大静脈戻りカテーテル内に於いて長手方向に延出するアクセスルーメンを介して体外流体回路の静脈肢へそれを転送する、その導管シートに対して遠端側に位置するアクセスポートを有する。
【０１２１】
同様に、本発明の心臓遮断カテーテルは、患者の大静脈からの静脈血液の吸収を向上させるべく、標準式大腿静脈又は頚静脈カテーテルと併用することができる。これは、患者の静脈解剖学的構造が、のその患者の大静脈から静脈血液を効率的に除去するのに十分な大きさを有する心臓遮断カテーテルの使用を許容しない場合に、特に有利である。そのような場合、心臓遮断カテーテルは、患者の大腿静脈又は頚静脈いずれかを介して、ここに記載されているように（即ち、一つの導管シートを上大静脈にセットし、他方を下大静脈にセットし、カテーテルをこれら二つの導管シート間に延出させて）すえつけられ、前記標準式カテーテルは、別の静脈、好ましくは、心臓遮断の遠端部がすえつけられた静脈、にすえつけられる。前記静脈血液吸収ルーメンと、前記標準式カテーテルの遠端部のポートと流体連通するルーメンとの両方が、体外酸素供給装置の静脈肢に接続される。患者の静脈血液がその酸素供給供給装置に供給可能な速度が、これによって高められる。
【０１２２】
ここに記載のカテーテル、特に、本発明の前記心臓遮断カテーテル、は、本発明の心臓をその本発明の体循環系から遮断するための外科キットとして提供することができる。このようなキットは、たとえば、以下を備えることができる、
（ａ）本発明の心臓遮断カテーテル、
（ｂ）前記哺乳動物の肺動脈を閉塞させるべく前記心臓遮断カテーテル内に挿入可能な第２カテーテル、そして
（ｃ）哺乳動物の大動脈を閉塞させる動脈内カテーテル。
前記キットは、更に、哺乳動物の心臓循環系を遮断するため、又は、ここに記載の方法を実行するため、に有用な追加の組成物又は化合物を備えることができる。そのような追加の組成物及び化合物としては、非限定的に以下が挙げられる。
（ｄ）哺乳動物の体循環系を体外血液酸素供給装置に接続するための単数又は複数のカニューレ、
（ｅ）前記心臓心臓カテーテルから静脈血液流を引き出し、前記カニューレの動脈血液流ルーメンに血液を供給するポンプ、
（ｆ）哺乳動物から取出された血液に酸素供給する血液酸素供給装置、
（ｇ）奇静脈オクルーダ（たとえば、止血帯、クロスクランプ、バルーンカテーテル、又は止血用具）、
（ｈ）血管透過性促進剤（たとえば、ヒスタミン）又は血管拡張剤（たとえばパパバリン）等の炎症調節物質。
【０１２３】
定義
或る種の用語は以下のように定義される。
【０１２４】
「管外組織」とは、高血管透過性条件下に於いて血管からの出液がその組織に接触することが可能な血管の十分近傍に位置する組織をいう。たとえば、高度に導管化された、筋組織は、筋細胞が血管の近傍に位置し、それら血管からの出液が筋細胞に説職可能であるため、管外組織である。
【０１２５】
「血管透過性促進剤」とは、哺乳動物、好ましくは哺乳動物、の血管に供給された時に、血管の内皮の浸透性を、その血管内の物質が内皮層を通過できる程度に高める、組成物である。
【０１２６】
「血管拡張剤」とは、哺乳動物、好ましくは哺乳動物、の血管に供給された時に、その血管のルーメン径を増大させる組成物である。換言すると、血管拡張剤は、哺乳動物の血管に投与された時、血管の内径を増加させる。
【０１２７】
血管内の「かん流圧」とは、血管のルーメン内の流体と、その血管の周囲の流体との間のピーク圧力差を意味する。血管内のピーク圧は、哺乳動物の心臓の鼓動によって、その血管を通して血液流を駆動する力に対応するもの、と理解される。
【０１２８】
血管内の「正常な生理学的」かん流圧とは、休息状態にある健全な哺乳動物の血管内のかん流圧を意味する。
【０１２９】
「酸素輸送剤」とは、液体又は溶液状態である時に、酸素分子（Ｏ2）を捕捉し、その酸素分子を、ヘモグロビンやミオグロビン等の生物酸素キャリアに供給することができる組成物を意味する。たとえば、様々な人造血液代替物や過フルオロ化合物液は、酸素輸送剤である。
【０１３０】
「薬学的許容可能キャリア」とは、本発明の組成物が混合可能で、その混合後、本発明の組成物を、哺乳動物、特に哺乳動物、に投与するのに使用可能な化学的組成物を意味する。
【０１３１】
血管透過性促進剤の「上生理学的レベル」とは、休息状態にあり正常な循環系ホメオスタシス状態にある哺乳動物に存在する物質のレベルである。
【０１３２】
二つの核酸配列を「作動リンクされた」と記載することによって、１本鎖又は２本鎖核酸ｍｏｉｅｔｙがこれら二つの核酸配列をそれぞれ有し、かつ、それら二つの配列が、その核酸ｍｏｉｅｔｙ内に於いて、前記二つの配列の少なくとも一方が、他方に基づいてとくちょうつけられる生理的作用を発揮することができる、ということを意味している。
【０１３３】
「巨大分子アセンブリ」とは、複数の分子が、上生理学レベルの血管透過性促進剤の不在状態に於いては、哺乳動物、好ましくは哺乳動物、より好ましくはヒトの血管の内皮層を通して通過することが出来ないほど十分に大きいような、単数又は複数複数の分子を意味する。たとえば、巨大分子アセンブリは、１本鎖たん白質、多重結合たん白質、リポソーム、直線状の核酸、アデノウイルス、ピコルナウイルス、又はアデノ関連ウイルス等のウイルス、又は、プラスミド又はウイルスベクター等の遺伝子ベクター、等でありうる。又、たとえば、前記巨大分子アセンブリは、記載されているような（ラゴット（Ｒａｇｏｔ）他，１９９３，Ｎａｔｕｒｅ３６１：６４７−６５０）、ヒトミニジストロフィン遺伝子を有するアデノウイルスとすることができる。更に、たとえば、前記巨大分子アセンブリは、そのプラスミドが全長ジストロフィンｃＤＮＡを有する点においてモディファイされたプラスミドｐＡｄＤｅｌｔａＲＳＶとすることでき（ケーニング（Ｋｏｅｎｉｎｇ）他，１９８８，Ｃｅｌｌ５３：２１９−２２８）、ここで、前記ｐＡｄＤｅｌｔａＲＳＶプラスミドは、前記ジストロフィンｃＤＮＡに作動リンクされたＲＳＶプロモータであるｐＢＳＡ−２ベクターバックボーンを有し、前記プロモータｃＤＮＡは、アデノウイルス５‘及び３’−ＩＴＲ配列に挟まれている。
【０１３４】
「遺伝子ベクター」とは、前記プロモータ／調節配列に作動リンクされた遺伝子の発現に必要なＤＮＡ配列を意味する。いくつかの場合に於いてねこの配列は、コアプロモータ配列とすることができ、その他の場合に於いては、この配列は、組織特異的に前記遺伝子の発現に必要なエンハンサ配列及びその他の調節エレメントも有するものとすることができる。
【０１３５】
「体外循環系支持装置」とは、哺乳動物の心臓からの助けを借りずに哺乳動物の循環系の全部又は一部を通して、その哺乳動物の血液を循環させることができる機械装置を意味する。たとえば、当該技術に於いて周知の心肺装置は、体外循環系支持を提供するのに有用な装置である。
【０１３６】
「ｖｅｎｏｒｒｈａｐｈｙ」とは、たとえば、出血無しで、静脈の開通性を維持するように静脈の切開部を縫合することによる、静脈の外科的修復を意味する。
【０１３７】
特に記載のない限り、カテーテルの「遠端」部とは、そのカテーテルの使用中に於いて患者の体内にあるカテーテルの端部を意味する。カテーテルの「近端」部とは、カテーテルの使用中に於いて患者の体の内部にないカテーテルの端部のことである。前記カテーテルは、一般に一つの遠端部と一つの近端部とを有するものと理解されるが、但し、特に、その近端部に於いて、フォーク状又は分岐した、カテーテルの使用も同様に認められる。
【０１３８】
ルーメンは、そのルーメンの長手軸心（ルーメンがカテーテルのポートと連通する場合は含まない）がカテーテルの長手軸心に対してほぼ平行である場合に、そのカテーテル内に於いて「長手方向に延出する」。
【０１３９】
「非侵入性検出可能マーカ」とは、カテーテルのポート又はその他の特徴部分等、カテーテルに使用されて、患者の体内に於けるマーカの位置を、患者の組織の穿孔又は切開を必要としない方法によって測定することが可能な、組成物である。
【０１４０】
第１カテーテルは、血管のルーメン又は第２カテーテルのルーメン内に於いて、その第１カテーテルの形状に依り、第１カテーテルを前記ルーメン内に於いて移動可能である場合に、そのルーメン内に「挿入可能」である。第１カテーテルが第２カテーテルのルーメン内に「挿入可能」である場合、これら二つのカテーテルが分離可能であることは必要でない（即ち、第１カテーテルは第２カテーテルのルーメン内に恒久的に配置することができる）。
【０１４１】
物質又はルーメンは、別の物質又はルーメンと、流体がその物質又はルーメンから、破断又は物理的障害無しでその他方の物質又はルーメンへと流れることができる場合に、その別の物質又はルーメンと「流体連通」状態にある。
【０１４２】
「ロッド」とは、円形又は非円形（たとえば、楕円、四角、三角又は不規則）の断面を有する長手部材を意味する。ロッドは、そのな内部に長手方向に延出する単数又は複数のルーメンを備えることができる。
【０１４３】
カテーテル、ロッド又は導管シートの一部は、もしもその部分の周部（非円形の断面のカテーテル、ロッド及び導管シートを含む）が増加又は減少可能である場合に、「膨張可能」とされる。
【０１４４】
流体「酸素供給装置」とは、その流体中に溶解している酸素の濃度を増加させる装置のことである。
【０１４５】
「ポンプ」とは、すべての流体排出装置のことである。
【０１４６】
薬剤は、もしもその薬剤を、疾患を患う哺乳動物の少なくとも一つの組織への供給によって、その哺乳動物がその疾患の重度又は、その疾患の症候の頻度の低下を経験する場合に、「治療作用を有する」。
【０１４７】
「大静脈」とは、哺乳動物の上大静脈と下大静脈とを、それぞれ個々に、又はそれらを集合的に記載する形容詞である。
【０１４８】
「ノッチ」は、もしもそのノッチの内部形状が、体がノッチの長手軸心に沿って長手方向に移動可能である場合に、その体に「フィットするように適合されている」。
【０１４９】
「画像形成剤」とは、哺乳動物の体内のキャビティ、組織又は表面に供給された時に、そのキャビティ、組織又は表面の検出を容易にする組成物である。様々な画像形成剤が知られており、文献に記載されている。たとえば、ガンマ放射線又は蛍光する組成物や等のその存在が直接的に検出可能な組成物や、公知の検出装置を使用して検出可能な組成物を使用することができる。
【０１５０】
本発明を、以下の例を参照して説明するが、これらの例は、例示の目的のみのために提供されるものであり、本発明はこれらの例に限定されるものと解釈されてはならず、むしろ、それは、ここに提供される教示内容により明らかとなるすべてのバリエーションを含むものと解釈されるべきである。
【０１５１】
例１：  アデノウイルスを微小血管バリアを介して対流輸送することによって体遺伝子転移を促進する
過渡的な肝臓流入の閉塞によって、不要なウイルスのゼクエストレーションが最小化されるという仮説を裏付けるデータが提供される。その中央循環系に組換えアデノウイルスを投与したラットに実験的プリングル操作を行った。これによって、プリングル操作を行わなかった対照哺乳動物に対して、肝臓染色強度が大幅に低減した。
【０１５２】
次に、この例に提示される実験に使用された方法を説明する。
【０１５３】
ＡｄＣＭＶｌａｃＺとされる前記Ｅ１，Ｅ３欠失組換えアデノウイルスの構造と増幅は既に記載されている（コザルスキー（Ｋｏｚａｒｓｋｙ）他、１９９３，Ｓｏｍ．Ｃｅｌｌ  Ｍｏｌｅｃ．Ｇｅｎｅｔ．５：４４９−４５８）。組換えアデノウイルスを、ラットに対して、ラットの体重グラム当たり約１０9粒子の総投与量で投与した。１０％（ｖ／ｖ）のグリセロールを有する前記ウイルス株の凍結アリコットを、注入直前に解凍し、ＰＢＳ中で１：５に希釈し、ミリリットル当たり１０12のタイターを得た。哺乳動物を体重キログラム当たり７５ミリグラムのケタミンと、体重キログラム当たり５ミリグラムのキシラジンの前肢への筋肉注射によって麻酔した。Ｃ５７Ｂ１１０マウスとＦｉｓｈｅｒ３５５ラットを使用した。
【０１５４】
この例に提示される例は、毛細血管のルーメンから筋肉組織間質へのアデノウイルスの懸濁液の対流輸送に於ける違いを調べるためのものであり、これらの違いは、使用された哺乳動物の年齢の違い、前記哺乳動物に対して懸濁液を供給する方法、懸濁液の組成、又はこれらの要因の組み合わせ、から生じたものである。体重グラム当たり約５ｘ１０10のＡｄＣＭＶｌａｃＺを、これらの実験の全ての哺乳動物に投与した。これらの実験に於いてＡｄＣＭＶｌａｃＺを投与するために使用されたマイクロピペットとマイクロカニューレの流出抵抗に依り、適用された注入圧は、常に、血管床に於いて達成される圧力よりも遥かに高いものである、と理解される。これらの装置を通って流体流を駆動するために制御された圧力を使用することによって一貫性を維持した。これらの実験に使用された哺乳動物から得られた組織標本を、検死に於いてＰＢＳ中での０．２％（ｖ／ｖ）のグルタールアルデヒド、２％（ｖ／ｖ）のパラフォルムアルデヒドによるかん流−固定後、記載されているように（セインズ（Ｓａｎｅｓ）他、１９８６，ＥＭＢＯＪ．５：３１３３−３１４２）β−ガラクトシダーゼ活性に関して、ｗｈｏｌｅ  ｍｏｕｎｔ染色した。これらの実験の結果は表１に要約されている。
【０１５５】
ＡｄＣＭＶｌａｃＺを、表１のシリーズＡの新生ラットのそれぞれに、ガラスマイクロピペットの先端を使用してそのラットの眼窩後方静脈にウイルスベクターを注射することによって、投与した。ここで、ウイルスベクター懸濁液流は、フットペダル制御のピコポンプによって駆動された。
【０１５６】
ＡｄＣＭＶｌａｃＺを、表１のシリーズＢの新生ラットのそれぞれに、ガラスマイクロピペットの先端を使用してそのラットの総大腿動脈にウイルスベクターを注射することによって、投与した。ここで、ウイルスベクター懸濁液流は、フットペダル制御のピコポンプによって駆動された。
【０１５７】
ＡｄＣＭＶｌａｃＺを、表１のシリーズＣの２週齢ラットのそれぞれに、腹壁切開と、肝臓流入血管への閉塞クランプ設置直後に、投与した。前記ウイルスベクターは、大腿静脈に注射され、前記クランプを、取り外し前に３０分間放置した。
【０１５８】
表１のシリーズＤの２週齢ラットは、シリーズＣの哺乳動物に対する対照哺乳動物として作用することを意図したものであった。これらシリーズＤのラットには、シリーズＣのラット同量のウイルスベクターを注射したが、これらシリーズＤのラットには肝臓流入閉塞は行わなかった。
【０１５９】
表１のシリーズＥの成体ラットは、大腿動脈及び静脈遮断を受け、３−０プロリン止血帯を、その近位側腿のレベルに設置た。体重キログラム当たり１００単位のヘパリンを、前記各ラットの血液循環系に筋肉注射し、それぞれの大腿動脈を、そのルーメンが、前記動脈に挿入されなていないチューブの端部に取り付けられた３０ゲージのニードルのルーメンと流体連通された、加熱テーパポリエチレンチューブ（ＰＥ１０，Ｂｅｃｔｏｎ  Ｄｉｃｋｉｎｓｏｎ，Ｓｐａｒｋｓ，ＭＤ）を使用してカニューレ挿入した。前記止血帯の締付け後、微小血管クランプを設置して、大腿血管を通過する血液流を閉塞した。前記チューブと動脈へのＡｄＣＭＶｌａｃＺ懸濁液と、１ミリリットルの「追加（ｃｈａｓｅ）」量のＰＢＳとを、標準平方インチゲージ圧当たり２０ポンドで連続的に前記ウイルスベクター懸濁液を供給する制御された圧力供給装置によって駆動した。前記クランプと止血帯とを、４５分間その位置に維持し、その後、それらを除去し、１１−０縫合糸（Ｓｈａｒｐｏｉｎｔ，Ｒｅａｄｉｎｇ，ＰＡ）を使用して動脈切開部を修復した。前記小さな鼠蹊部の切開部を、吸収可能縫合糸を使用して閉じた。
【０１６０】
表１のシリーズＦのラットは、制御圧力供給装置が、ウイルスベクター懸濁液を標準平方インチゲージ圧当たり８０ポンドで連続供給したことを除いては、シリーズＥのラットと同様に処理された。
【０１６１】
表１のシリーズＧのラットは、シリーズＢのラットに関して記載したように大腿動脈注射を行ったが、但しここでは、大腿動脈を通過する血液流を閉塞させる近位腿止血帯とクランプとを、ウイルスベクターの供給の前に使用した。１００マイクロリットルのウイルスベクターを、ガラスマイクロピペットを使用して供給し、その後、１ミリリットルのアリコットの塩水を供給した。これらのアリコットを、動脈内で５分間滞留させた。
【０１６２】
表１のシリーズＨのマウスは、シリーズＧのマウスと同様に処置されたが、但しここでは１０マイクロモルのヒスタミン又は０．３ミリグラムのパパバリンのいずれかを有する１００マイクロリットルの溶液を、前記ウイルスベクターの注入直後に、前記動脈に供給した。
【０１６３】
表１のシリーズＩのマウスは、シリーズＨのマウスと同様に処置されたが、但しここでは、ヒスタミンとパパバリンの両方を各マウスに投与した。
【０１６４】
表１のシリーズＪのマウスは、シリーズＩのマウスと同様に処置されたが、但しここでは、止血帯の除去直前に、各マウスに対してｖｅｎｏｒｒｈａｐｈｙを行った。
【０１６５】
表１のシリーズＫのラットは、大腿動脈及び静脈遮断を受け、その近位腿のレベルに３−０プロリン止血帯がセットされた。後肢循環を、前記動脈に、ｐＨ７．４のＰＢＳ５００マイクロリットル中に１５０マイクログラムのパパバリン、又は、ｐＨ７．４のＰＢＳ５００マイクロリットル中に１０ミリモルのヒスタミンを５００マイクロリットル含む組成物を注入することによってプライミングした。５００マイクロリットルの前記組成物中に懸濁された６ｘ１０10のＡｄＣＭＶｌａｃＺ粒子を、前記動脈に注入し、その後、標準平方インチゲージ当たり８０ポンドに維持されたタンクから駆動された１ミリリットルの追加量のＰＢＳを注入した。前記クランプと止血帯は、総時間５分間、その場所に維持され、その後、肢循環系を、３ミリリットルのＰＢＳで洗浄した。
【０１６６】
表１のシリーズＬのラットは、組成物がヒスタミンとパパバリンとの両方を前述した濃度で含んでいたことを除いて、シリーズＫのラットと同様に処置された。
【０１６７】
表１のシリーズＭのラットのそれぞれに於いてシリーズＫのラットに於いてと同様に肢かん流を行った。但しここでは、二つの重なる止血帯を経筋配置するとともに、表皮下上腹部血管を介する血管アクセスによる完全な遮断を可能にするべく互いに重なる二つの止血帯を使用した。これには、第２カテーテルを、この側支管と伏在静脈との間の結合部において静脈弁を介して進行させることが必要であった。更に、前記組成物は、ヒスタミンとパパバリンの両方を前述した濃度で有し、前記止血帯の除去の直前に各ラットに対してｖｅｎｏｒｒｈａｐｎｙを行った。
【０１６８】
光学的コントラストを提供する目的で、その胃がミルクで充満されていることを確実にするために給餌した後、新生マウスの子を麻酔した。それぞれのマウスの皮膚を、腹壁に渡って切開し、上腹壁動脈に分布に於ける直腹筋へのアクセスを提供するべく側方に反射させた。約１００倍の倍率の解剖顕微鏡を通して、単赤血球が、骨格筋毛細管を通って一列に並ぶことによって、容易に可視化された。ＰＢＳに溶解されたヒスタミン、パパバリン又はそれらの両方が、前記毛細管に局所的に塗布された。取り付けられたカメラによって、時間線に対してビデオ記録を行った。閉介筋の遠端部に於いて潅流された成体マウスと成体ラットに於いても、それらが、近位脛節上に重なり、ここでも類似の観察が行われ、ここでも、薄い筋肉に対する光コントラストが最適化された。
【０１６９】
次に例１に提示されたこれらの実験の結果を説明する。
【０１７０】
組換えヒトアクセスベクターＡｄＣＭＶｌａｃＺ（これは、約７０ナノメータのＳｔｏｋｅ径を有する；スチュワート（Ｓｔｅｗａｒｔ）他、１９９３，ＥＭＢＯ  Ｊ．１２：２５８９−２５９９）が、イン・ヴィヴォで哺乳動物血管の内皮バリアを横切る能力を評価するために、微小血管ダイナミクスの研究用の新規なシステムが使用された。微小血管透過性に対する相乗効果を有するいくつかの介入処置が明らかになり、前記成体ラット後肢に於ける大半の筋組織への効率的な遺伝子転移のための戦略が開発された。哺乳動物筋肉組織間の類似性を考慮すると、本システムが、全ての哺乳動物、あるいは恐らく全ての哺乳動物に於いても同様に使用可能であることは明白である。
【０１７１】
治療用途用に考慮された遺伝子転移ベクター間で、組換えアデノウイルスが、新生マウス中の筋肉注射後に於ける極めて効率的な局所的遺伝子転移により、特記される（クアンティン（Ｑｕａｎｔｉｎ）他、１９９２，Ｐｒｏｃ．Ｎａｔｌ．Ａｃａｄ．Ｓｃｉ．８９：２５８１−２５８４；アクサディ（Ａｃｓａｄｉ）他、１９９４，Ｈｕｍ．Ｍｏｌｅｃ．Ｇｅｎｅｔ．３３：５７９−５８４）。いくつかのヒトの疾患用のネズミモデルに於いて遺伝子発現を形質導入するためにねアデノウイルスが使用されている（コザルスキー（Ｋｏｚａｒｓｋｙ）他，１９９６，Ｎａｔｕｒｅ  Ｇｅｎｅｔ．１３：５４−６２，ラゴット（Ｒａｇｏｔ）他，１９９３，Ｎａｔｕｒｅ３６１：６４７−６５０）。前記新生マウスの後肢の筋肉のマスは、約３０ミリグラムの組織を有する。新生マウス筋組織の未成熟細胞外マトリクスに、数ミリメータに渡ってアデノウイルスを拡散させることによって、初期筋組織の大半の形質導入が可能となる。しかしながら、より高齢のマウス又はラットに於いては、局所的供給の限界が明らかとなり、それではねアデノウイルスベクターの筋肉注射によって行われる遺伝子形質導入は徐々に低効率となり、注射部位の周囲数立方ミリメータに限定されたままとなる。
【０１７２】
経静脈アデノウイルスベクター供給によって、主として肝臓へのアクセスが提供され、そこでは、不連続な内皮が、血管空間から実質細胞マスへの遺伝子転移が容易にするものと考えられている（コザルスキー（Ｋｏｚａｒｓｋｙ），１９９６前出；コザルスキー（Ｋｏｚａｒｓｋｙ）他、１９９４，Ｊ．Ｂｉｏｌ．Ｃｈｅｍ．２６８：１３６９５−１３７０２）。
【０１７３】
直接注射又は血管内供給によるアデノウイルスベクター供給の欠点は、可能なところに於いては、経内皮供給用に有用なアデノウイルスベクター供給方法を開発することによって解決することができる（たとえば、レイパー（Ｒａｐｅｒ）他、１９９６，Ｐａｎｃｒｅａｓ１２：４０１−４１０）。
【０１７４】
骨格筋の連続的内皮バリアを介するアデノウイルスベクター搬送は、三つの供給コンポーネント、即ち、対流的、拡散的、及び小胞交換供給、の総計として記載することができる（ウェインバウム（Ｗｅｉｎｂａｕｍ）他、１９９５，Ｓｙｍｐ．Ｓｏｃ．Ｅｘｐ．Ｂｉｏｌ．４９：３２３−３４５）。スターリング（Ｓｔａｒｌｉｎｇ）（１８９６，Ｊ．ＰＨｙｓｉｏｌ．１９：３１２）、クロー（Ｋｒｏｇｈ）（１９１９，Ｊ．Ｐｈｙｓｉｏｌ．５２：４０９）及びパッペンハイマー（Ｐａｐｐｅｎｈｅｉｍｅｒ）他（１９５１，Ａｍ．Ｊ．Ｐｈｙｓｉｏｌ．１６７：１３−２８）の古典的研究は、分子寸法と、脂質溶解性が異なる溶質について搬送速度が量化された骨格筋での実験からの関連データを提供している。
【０１７５】
より大きな巨大分子の振る舞いについてはより最近になって量化され、３万個の孔の内一つだけがそのアデノウイルスの直径の１／４以下の粒子を通過させるのに十分大きい、という２−孔理論が生まれた（リッペ（Ｒｉｐｐｅ）他，１９９４，Ｐｈｙｓｉｏｌ．Ｒｅｖ．７４：１６３−２１９）。これらのデータの推論から予想されるように、図１ａ中に於いて筋組織の染色によって確認されているように、経血管投与された組換えアデノウイルスは、骨格筋に対する最小のアクセスしか提供しない。アデノウイルスベクターの血管内投与は、図１ｂに示された染色パターンによって示され、又、表１に提示されたデータによっても示されているように、浸出のためにＳｔａｒｌｉｎｇ力を増大させるべくベクター投与と同時に上生理学的潅流圧を供給することによっては大幅に改善されなかった。これらの結果は、血管内皮が顕著な簡完結性を有するものであることを示し、又、ウイルスベクターの、間質からの筋組織への小胞及び対流搬送の速度は重要ではない、ということを暗示している。これらの結果は、更に、アデノウイルスベクターの経血管投与は、非効率的な体遺伝子転移戦略である、ということも示唆している。
【０１７６】
【表１】
0004299967.tif 000002
【０１７７】
ヒスタミン又はその他の血管透過性促進剤を局部塗布によって再生可能な骨格筋に於ける炎症の病態生理に基づく、別のアプローチを調べた。そのような薬剤の内皮組織への塗布後に於ける隣接する内皮細胞間のギャップの過渡的出現の超微細構造的証拠が存在し、前記ギャップは約１マイクロメータの幅を有する。更に、電子顕微鏡写真によって、直径３５ナノメータ以下及びそれよりも大きなキロミクロンのコロイド状ＨｇＳ粒子がこれらの細胞間ギャップを横切る能力を記録する（マイノ（Ｍａｊｎｏ）他、１９６１前出）。
【０１７８】
炎症性出液の誘発されたプロセスによって、血管内皮を介するベクターの対流搬送を向上させることによって、イン・ヴィヴォでの循環系から成体骨格筋へのベクター供給が促進されるであろう、という仮説が立てられた。血管作用調節物質の体副作用は、遮断された肢潅流システムを使用することによって避けられた。表１に提示されたデータによって示されているように、ヒスタミン、パパバリン（強力な内皮独立血管拡張剤；ウェンマーム（Ｗｅｎｎｍａｌｍ），１９９４，Ｊ．Ｉｎｔ．Ｍｅｄ．２３５：３１７−３２７）と、上生理学的潅流圧の適用の相乗効果によって、全般的に、血管空間から筋組織へ効率的に遺伝子が転送された。
【０１７９】
これらの操作に応答する遺伝子形質導入の均質性が、図２に図示されており、ここで、成体ラット後肢中の筋組織の大半のＸｇａｌ染色が複数レベルの倍率で見られる。毛細血管基底板に於けるアデノウイルスよりも小さな粒子の保持が電子顕微鏡によつて記録されているが（マイノ（Ｍａｊｎｏ）他、１９６１前出）、ここに記載される結果は、このバリアが横断されたことを示している。
【０１８０】
ヒスタミン、パパバリン及び上生理学的潅流圧を使用する組み合わせ介入処置は、その介入処置が行われた肢の循環系遮断が不完全なものであった場合には致死的であった。しかしながら、肢の循環系遮断が適切であった哺乳動物は、その処置に良好に耐え、正常な歩行状態に戻った。アデノウイルスベクター投与のこの方法によって、筋ジストロフィー等の様々な遺伝子疾患の遺伝子治療のために必須である遺伝子分布の効率性と量とが達成される。
【０１８１】
図２、パネルＢに示されているように、大腿四頭筋の二つの近接する筋肉の組織学的外観は、潅流されなかった組織に於ける人造的染色の不在を示している。図２パネルＢに於いてね大腿直筋に対する血液供給を、止血体を使用して閉塞した。ここに記載の結果は、更に、図２、パネルＡ及びＢに示されているように、アデノウイルス拡散に対する筋外膜組織バリアを存在も実証するものである。
【０１８２】
この例に提示される実験に於いて、図２、パネルＣ及びＤに示されているように、肢血管系に対する遺伝子供給の劇的な減少も銘記された。この観察は、筋組織血管系の内皮細胞が、前記調節物質抽入の過渡的な副作用としてウイルスを吸収するその能力を失ったか、若しくは、間質への流体の対流によって効果的にバイパスされた、ということを示唆している。この観察は、更に、本発明の方法が、その組織を供給する血管（単数又は複数）の内皮細胞によるベクターの大幅な吸収無く、管外組織に特異的にアデノウイルスベクターを供給するのに使用可能である、ということも示唆している。
【０１８３】
解剖顕微鏡を通してリアルタイムで見られる微小血管潅流を、最初、複数の薬剤を評価するために使用した。１０ミリモルのヒスタミンの局所塗布によって、血管拡張が急速に誘発され、局所的潅流が増大し、その後、数秒以内で、毛細管血液停滞が起こった。パパバリン１ミリリットル当たり３００マイクログラムの塗布によって、毛細血管が漸増し、局部的潅流が増加した。両方の薬剤の局所塗布によって、毛細管の潅流が長時間維持され、局所的な浮腫の形成が観察された。これらの知見は、これら調節物質の遺伝子投与に対する相乗効果が、パパバリンが前毛細血管抵抗血管の自己調節性又は浮腫誘発閉鎖を克服する能力に関係していることを示唆している。不適切な後肢遮断中に於ける上記調節物質の急性毒性は、その血行力学的副作用に関連している（トム（Ｔｈｏｍ）他，１９９５，Ｊ．Ｃｌｉｎ．Ｏｎｃｏｌ．１３：２６４−２７３）。
【０１８４】
これら調節物質の血行力学的副作用は、試みられる体遺伝子供給中に於ける中央循環系へのその利用を複雑にするものである（たとえば、アイア（Ｅｙｒｅ），１９７０，Ｊ．Ｐｈａｒｍ．Ｐｈａｒｍａｃｏｌ．２２：１０４−１０９；シルヴァーマン（Ｓｉｌｖｅｒｍａｎ）他、１９８８，Ｊ．Ａｐｐｌ．Ｐｈｙｓｉｏｌ．６４：２１０−２１７）。更に、循環系をサポートするたのアドレナリンアゴニストの同時使用は、遺伝子供給に対する所望の効果を逆転させ、かつ、又は、特に、心筋症の場合に於いては、心筋損傷を引き起こすかもしれない。
【０１８５】
ここに記載の血管閉塞技術、又は、その他の当該技術に於いて知られている技術を使用して、前記調節物質の体供給から生じる前記副作用を、最小化又は回避することができる。更に、これらの副作用は、理論的には、調節物質の体注入の前に体外循環支持装置を設置することによって克服することが可能であろう。この点に関して、肝臓による、循環するウイルスベクターの急速な除去が第２の問題として現れる。しかしながら、肝臓流入閉塞による肝臓ウイルス吸収の減少に関する表１に提示されるデータは、腹腔鏡処置等の最小侵入性外科処置によってこの問題を大幅に克服すること可能かもしれない、ということを示唆している。
【０１８６】
この例に記載した外科的及び薬学的アプローチの提案した組み合わせは、体遺伝子供給のための一般的方法を表わすものである。この方法の臨床的重要性は、その手続きがこの例に使用されたよりも大きな動物に於いていかに良好に耐えられるか、に依存している。この問題は、例３に於いて更に詳細に記載される。
【０１８７】
例２：  微細血管透過性を向上するのに有効なその他の化合物
ヒスタミン及びパパバリン以外に微細血管透過性を向上させる作用を有する化合物としては、非限定的に、血小板活性化因子、セロトニン、ブラジキニン、及びニトロプルシドが挙げられる。これらの化合物の投与後に誘発される微細血管透過性は、蛍光ラベル化された直径７０−１００ナノメータのデキストラン粒子の吸収を測量によって評価することができる。
【０１８８】
ここに記載されたデータに基づき、本発明は以下のように拡張することができる。
【０１８９】
体遺伝子転移は、ヒトを含む大型の動物に於いて、体外支持装置が設置されることを前提として、炎症剤及び血管拡張剤の組み合わせを使用することによって達成することができる。
【０１９０】
適切な循環系支持及び酸素供給装置の提供は、相対生長測定、即ち、サイズの異なる哺乳動物の器官機能を支配する数学的関係、に依る。ネズミの心臓と横隔膜の各筋細胞又は繊維は、ヒトの心臓及び横隔膜の速度の約１０−１５倍の速度で作動している。従って、小さな齧歯動物用の心肺バイパス回路は、ヒトに於いて必要な速度の１０−１５倍の速度で酸素と血液を輸送しなければならない。ポアズイユの法則によって測定される、流体動的抵抗は、カニューレの壁厚により、速度制限的になる。
【０１９１】
この問題に対する簡単な解決法は、ヒトに於いて達成可能な流速をモデル化するために十分に大きな動物で実験を行い、小児及び成人の心筋救急ケアマネージメントのパラダイムを使用することである。哺乳動物に於けるカニューレ挿入部位が、流速を支配する。頚動脈及び頚静脈アプローチが、その最小侵入性に依り、更に、それが小児体外膜酸素供給（ＥＣＭＯ）に於いて長年成功裏に使用されてきたという事実に依り、優先的に使用される。必要な場合には、心臓切開手術に使用されているように、大動静脈カニューレ挿入を使用することができる。カニューレ挿入の種類及びポンプの位置、等が図３，４及び５に図示されている。
【０１９２】
炎症調節物質が新抗原発現に対する免疫応答を変化させるものであるか否かを判定することが重要である。更に、達成される遺伝転移のレベルと、初期介入処置から生じる生理的障害の大きさとの関係を判定することが重要である。筋ジストロフィーの場合、遺伝子投与量の閾値効果が存在することが知られており、もしもこの投与量を達成することが可能でないならば、その処置が有効である可能性は低い。遺伝子発現を駆動するより強力なプロモータ配列を使用することによって、遺伝子転移の低効率を補い、遺伝子治療効果を高めることが可能である。組織特異的発現も、組織特異的プロモータ配列を使用することで可能である。
【０１９３】
ここに記載の処置を必要とする患者が、一般的な気管内挿管麻酔を受け、現在、体外膜酸素供給用に使用されているように、首部の切開を受け、プリングル操作をタイムリーに行うために腹腔鏡ポートの設置を受けることが予想される。前記ＥＣＭＯ回路を通る流れは、血管拡張剤の注入後に始まり、その後、収縮過多性循環を達成するために必要な流速と追加量とで、ウイルスとその次に炎症調節物質とが注入される。５分程度の短いものでありうる短時間の出液の完了後、ＥＣＭＯからの急速な離脱を促進するために、血液から、残りの炎症調節物質が除去される。これは、細胞セイバー、直列に接続された単数又は複数の血液ろ過又は血液透析装置、又はその他の回復装置を使用することによって達成されるであろう。その後、患者は、体外酸素供給装置から徐々に離脱される。これまで研究されている哺乳動物モデルに於いて、処置された哺乳動物は、手術後短期間で歩行可能となる。
【０１９４】
例３：  ヒツジに於ける体外循環支持及び血液酸素供給
この例の実験は、マウス又はラットよりも大きな哺乳動物の循環系が、アデノウイルスベクター等の巨大分子アセンブリの供給のためにここに記載の条件下で体外サポート可能であることを確認するために行われた。ヒツジに、心肺バイパスを行い、次に、体重キログラム当たり３．７５又は７．５ミリグラムのパパバリンと、体重キログラム当たり２５マイクログラム又は１２５マイクログラムのヒスタミンとを投与した。これらのヒツジの関連生理学的特性を、リアルタイムでモニタした。
【０１９５】
この例に示されるこれらの実験に於いて使用された材料と方法とを次に説明する。
【０１９６】
外科処置
ここに記載の体外循環支持システムを、前記哺乳動物が、ヒスタミンとパパバリンの影響下に於いて大量の流体流出に耐えられるように構成した。
【０１９７】
健全なヒツジに、空気による腸管拡張を最小限にするために、手術の前夜に、１グラムのエリスロマイシンと、１グラムのネオマイシンベースとから成るニコールのｐｒｅｐを経口投与した。これらのヒツジを、水を自由に採らせながら、一晩（即ち、少なくとも１２時間）絶食させた。野生動物保護檻を使用した拘束後、これらの哺乳動物を、体重キログラム当たり１０ミリグラムのケタミンの筋肉投与によって鎮静させ、体重キログラム当たり３０ミリグラムの投与量のペンタバービタルの静脈内ボーラスを使用して麻酔した。それぞれの声帯に、２％（ｖ／ｖ）のリドカインを噴霧し、その後、これらの哺乳動物を、気管内挿管し、機械通気装置に接続した。呼吸速度を毎分２０として潮せき量（ｔｉｄａｌ  ｖｏｌｕｍｅ）を、体重キログラム当たり１５ミリリットルに設定した。麻酔は、３％（ｖ／ｖ）イソフルランを使用して開始し、１−２％（ｖ／ｖ）イソフルランを使用して維持した。
【０１９８】
麻酔の深さを、処置全体を通じて１５分間隔で哺乳動物の尾を軽く摘まむことによって測定した。もしも鎮痛薬反応が見られた場合には、動物に、５分間、前記イソフルランの百分率を倍にすることによって追加の麻酔を与え、その尾の摘みに対する鎮痛薬反応が無くなった時にだ、元の百分率に戻した。
【０１９９】
各哺乳動物を、背部横臥状態にし、心電図リード線を末端部に取り付けた。全ての哺乳動物に、ここに記載したカテーテル挿入を行った。心肺バイパスのためのアクセスに加えて、血管空間のリンパ漿に取り代る生理食塩水の拡散のために、麻酔後、カニューレを使用した。全てのケースに於いて、前記哺乳動物は、前記通気装置を生理食塩水拡散の直前、１０分間遮断することによって、バルビツール酸塩過量服用後の実験的ポンプ作動後、安楽死させた。
【０２００】
右肋骨下切開によって腹膜腔に入り、肝十二指腸間膜を同定し、移動させた。門脈と肝動脈を最終的に閉塞させるために、Ｒａｍｍｅｌ止血帯を設置したが、クランプは開口位置に残された。次に、腹部切開の筋膜縁部にタオルクリップを緩く当てた。
【０２０１】
触知可能な左頚動脈パルスに渡って小さな垂直の切開を入れ、圧力モニタの目的のために動脈カテーテルを設置するのに十分なだけ深くした。次に、右総頸動脈のパルスに渡って長手切開を形成した。この切開は、右外頸静脈と総頸動脈を完全に露出させることを可能にする深さに形成した。２９インチワイヤ巻き静脈カニューレを、右頸静脈に入れ、その先端部が右心房内にあると推定される位置に来るまで、注意深く下方に進行させた、ここで、前記推定は、表面の印と、カテーテルが進行された距離とに基づいて行われた。次に、１４インチワイヤ巻きカニューレを、右総頸動脈に入れた。両方のケースに於いて、血管カニューレ挿入は、近位及び遠位側制御の達成を前提とした。動脈カニューレを、その先端が動脈根元、大動脈弁の近傍、にあると推定される位置に来るまで進行させた。
【０２０２】
左外頚静脈に、心脂肪（ｃｏｒｄｉｓ）ポートによってカニューレ挿入し、その後、Ｓｗａｎ−Ｇａｎｚカテーテルを、その先端部が肺動脈内に来るまで進行させた。次に、肺動脈圧と、中央静脈圧との同時測定を可能とするべく、前記Ｓｗａｎ−Ｇａｎｚカテーテルの適当なポートを圧力トランスデューサーに取り付けた。
【０２０３】
次に、右鼠蹊部を、触知可能な右大腿動脈パルスに渡って長手方向に切開し、１４インチのワイヤ巻きカニューレを、近位側制御ポイントと遠位側制御ポイント間に挿入し、その先端部が右総骨動脈に来るポイントへ動脈流に逆らって進行させた。
【０２０４】
全てのカニューレが位置固定されると、それらを、７．４のｐＨが達成されるまで、１２０ミリモルの塩化ナトリウム、５ミリモルの塩化カリウム、３ミリモルの塩化マグネシウム、２４ミリモルの重炭酸ナトリウム、を含む溶液でプライミングされ、５％（ｖ／ｖ）の二酸化炭素、９５％（ｖ／ｖ）の酸素、を含むカルボゲン（ｃａｒｂｏｇｅｎ）混合物でバブリングされるたポンプ酸素供給装置の回路に取付けた。この実験の残り部分を通じて、前記カルボゲン混合物を、４０  ｔｏｒｒの二酸化炭素分圧を確保するのに十分に高い実験によって決定された流速で前記バブル酸素供給装置に流した。これによって、ポンプ運転の全時間を通じて動脈ｐＨが約７．４に固定された。
【０２０５】
１００立方ｃｍの血液を、それぞれ６単位のヘパリンを含む一対の６０立方ｃｍの注射器に取り入れた。前記ヘパリン処理血液を、リンパ漿から赤血球を分離するべく急速に遠心分離処理した。次に、リンパ漿を、５ミリリットルのＰＢＳ中に約０．５グラムのプラズマで、ＰＢＳ中でエバンスプルー染料の濾過溶液と混合した。肝臓流入閉塞は、予め肝臓−十二指腸靱帯に巻き付けておいた前記Ｒａｍｍｅｌ止血体を締め付けることによって行われた。前記エバンスブルー染料をリンパ漿とゆっくり混合するするための１分間の旋回後、前記リンパ漿を分離された赤血球と再混合し、全溶液を、左外頚静脈を通して中央静脈心脂肪（ｃｅｎｔｒａｑｌ  ｖｅｎｏｕｓ  ｃｏｒｄｉｓ）経由で哺乳動物の血液流に戻した。前記エバンスブルー染料の注入の完了を時間ポイントｔ＝１分とした。ｔ＝０分に於いて、バイパスを、毎分３リットルのポンプ流速で開始した。ｔ＝２分に於いて、前記哺乳動物に、５ミリリットルの媒質中１５０ミリグラムのパパバリンのボーラスを、前記ポンプ酸素供給装置から出る動脈ラインの最遠位側ポートから、注入した。この強力なＮＯ独立血管拡張剤によって、哺乳動物の血圧が即座に低下する、と予測された。その後の２分間に渡って、哺乳動物の血圧を、前記ポンプを通過する流量を増加し、ポンプをプライミングするのに使用された同じ溶液の追加量を注入することによって、正常化した。ｔ＝４分に於いて体重キログラム当たり２５マイクログラムのヒスタミンのボーラスを、前記ポンプ酸素供給装置の動脈ラインのポンプから最も遠位側のポイントを介して動脈内注入した。
【０２０６】
３０分間のポンプ運転後、心臓の収縮性をひょうかし、追加の体外循環が無い状態に於ける、肺動脈、中央静脈、及び大動脈圧を測定するために、ポンプを２分間停止させた。これらの値が得られると、すぐに、哺乳動物を、バルビツール酸塩の過剰投与によって慈悲的に安楽死させた。
【０２０７】
動脈カニューレによって、１０ミリモルのトリス塩酸を使用して、ｐＨ７．４に調節された１４０ミリモルの塩化ナトリウム溶液の注入を可能にするべく前記ポンプ酸素供給装置の構造を改造した。放血の直前に、肝臓流入を閉塞されていた前記Ｒａｍｍｅｌ止血帯を取り外した。前記安楽死された哺乳動物の適当な容器への完全な放血を可能とするために、静脈カニューレを別のローラポンプに取り付けた。前記哺乳動物を、１０リットルの塩化ナトリウム溶液を使用して放血させた。放血後、組織標本を得るべく、次の器官に対するアクセスを可能にするために切開を行った。即ち、心臓、肺臓、肝臓、腎臓、大小腸、脳、精巣、及び、次の骨格筋、即ち、横隔膜、胸部末端からの左右二頭筋及び三頭筋、左大腿四頭筋、大腿二頭筋、腓腹筋ヒラメ筋、骨盤末端からの総指伸筋頚長筋、腸腰筋、手術台に哺乳動物の体重をかけることによる最大圧縮点に於ける後部体壁筋。上にリストした最後の筋肉の標本によって、哺乳動物を手術台上に置く時の圧力点によって導入される変動性が確立された。これら各標本を重量測定し、約２グラムの組織を含むフラグメントを、刻みとホルムアミド抽出のために取り外した。エバンスブルー染料勧誘率を、分光測光法で計量し、組織湿及び乾重量に正規化した。
【０２０８】
次に、この例に提示した実験の結果を説明する。
【０２０９】
この例の実験は、２匹のヒツジを使用して行われ、それらの実験の血管は、図６ａと６ｂとに要約されている。
【０２１０】
１匹の４０キログラムのヒツジに、１５０ミリグラムのパパバリンと、１ミリグラムのヒスタミンとを静脈投与し、このヒツジを使用して記録された生理学的データを図６ａに示す。予想されたように、ヒツジの血圧は、前記血管拡張剤パパバリンと、前記血管透過性促進剤ヒスタミンの投与後低下した。しかしながら、図６ａに示されているように、前記体外循環系支持システムは、ヒツジの血行力学状態が、前記両化合物の投与の約１０分後に於いて、投与前の血圧にほぼ等しくなる程度に、安定化させることができた。この図に示されているように、前記体外循環系支持システムは、ヒツジに対して６リットルのＰＢＳを供給し、これは、約６リットルの流体が、ヒツジの血管系から管外組織に流出していたということを示唆している。
【０２１１】
第２の４０キログラムのヒツジに、３００ミリグラムのパパバリンと、５グラムのヒスタミンとを静脈投与し、このヒツジを使用して記録された生理学的データを図６ｂに示す。予想されたように、ヒツジの血圧は、前記血管拡張剤パパバリンと、前記血管透過性促進剤ヒスタミンの投与後低下した。しかしながら、図６ｂに示されているように、前記体外循環系支持システムは、ヒツジの血行力学状態が、前記両化合物の投与の少なくとも約２５分後に於いて、投与前の血圧にほぼ等しくなる程度に、安定化させることができた。この図に示されているように、前記体外循環系支持システムは、ヒツジに対して１１リットルのＰＢＳを供給し、これは、約１１リットルの流体が、ヒツジの血管系から管外組織に流出していたということを示唆している。
【０２１２】
これらの結果は、こに記載の体外循環系支持システムがねアデノウイルスベクター等の巨大分子アセンブリの供給のために、ここに記載された条件下に於いて哺乳動物の血行力学状態を安定化させることができるということを確証するものである。
【０２１３】
ラットの実験は、アルブミンと結合されたエバンスブルー染料の分布は、血液流経由で供給される組換えマーカアデノウイルスによる組織感染性を予測させるものであることを示した。ＡｄＣＭＶｌａｃＺの血管内投与とＸｇａｌ染色後、肝臓全体を通じて青色を検出することができたが、骨格筋には検出することができなかった。エバンスブルーの場合には、肝臓と骨格筋の間の１０００：１以上の分布の推定数量比により、その結果は類似したものであった。プリングル操作によって、骨格筋による吸収を増加させることなく、この比率が約２００：１（肝臓：骨格筋）にまで低下することが判った。この比率は、１５０ミリグラムのパパバリンと１ミリグラムのヒスタミンを投与したヒツジに於いては約６：１であり、３００ミリグラムのパパバリンと５グラムのヒスタミンを投与したヒツジに於いては約２：１であった。これらのデータは、哺乳動物の血管空間経由によるアデノウイルスベクターの骨格筋への広範囲な全体的転移を強く予測させるものである。
【０２１４】
例４：  ラット筋組織へのヒトミニ−ジストロフィンの転移とその内部での発現
ＡｄＣＭＶΔ１７−４８ｄｙｓとするアデノウイルスベクターを、次のように構築した。記載されたているように（アクサディ（Ａｃｓａｄｉｅ）他、１９９１，Ｎａｔｕｒｅ３５２：８１５−８１９）ｐＵＣ１８にクローンされたＳａｌ  Ｉ結合Δエクソン１７−４８ミニ−ジストロフィンｃＤＮＡを有するプラスミドを得た。記載されている（コザルスキー（Ｋｏｚａｒｓｋｙ）他、１９９４，Ｊ．Ｂｉｏｌ．Ｃｈｅｍ．２６８：１３６９５−１３７０２）前記プラスミドｐＡｄＣＭＶｌａｃＺも得た。ｐＡｄＣＭＶｌａｃＺは、Ｅ．ｃｏｌｉ  ｌａｃ  Ｚ遺伝子の構成発現を駆動するサイトメガロウイルス（ＣＭＶ）−ベースの転写カセットの側部に位置するヒトアデノウイルス５のマップ単位９−１６を有するシャトルプラスミドである。ｐＡｄＣＭＶｌａｃＺを、Ｘｈｏ  Ｉエンドヌクレアーゼ部位で切り裂き、前記ｃＤＮＡを含む前記プラスミドからのｃＤＮＡを、Ｓａｌ  Ｉ制限フラグメントとしてｐＡｄＣＭＶｌａｃＺのＣＭＶプロモータに対してセンス方向でサブクローンして、ｐＡＤＣＭＶＭｉｎｉ−１というプラスミドを得た。
【０２１５】
ＡｄＣＭＶΔ１７−４８ｄｙｓを、記載されているように（グラハム（Ｇｒａｈａｍ）他，１９７７，Ｊ．Ｇｅｎ．Ｖｉｒｏｌ．３６：５９−７４）、特異部位切断エンドヌクレアーゼＰｖｕ  ＩによるプラスミドｐＡＤＣＭＶＭｉｎｉ−１の線形化によって作り、Ｃｌａ  Ｉ−制限アデノウイルスゲノムｄ１３２７とコトランスフェクションして２９３の細胞とした。成長組換えウイルスから発生するプラークを、単離し、記載されているように（グラハム（Ｇｒａｈａｍ）他、１９９１，Ｉｎ：Ｍｅｔｈｏｄｓ  ｉｎ  Ｍｏｌｅｃｕｌａｒ  Ｂｉｏｌｏｇｙ，Ｍｕｒｒａｙ，ｅｄ．，Ｈａｍａｎａ，Ｃｌｉｆｔｏｎ，ＮＪ，１０９−１２８）拡張した。前記プラーク拡張物からのライセートを使用して２９３の細胞に感染させ、それらを収集し、一次抗体ＮＣＬ−Ｄｙｓ−２（Ｎｏｖｏｃａｓｔｒａ  Ｌａｂｏｒａｔｏｒｉｅｓ，Ｎｅｗｃａｓｔｌｅ，Ｔｙｎｅ，ＵＫ）による免疫蛍光染色を行った。２９３の細胞の内、ジストロフィンの存在に関して陽に染色された組換えウイルスを、ウェスタンブロッチング分析し、予想サイズのミニ−ジストロフィンたん白質を発現するウイルスを、増幅のために選択した。３ラウンドの純化後、前記ウイルス株を拡張し、標準方法を使用してアデノウイルス調製物を作成した。２９３の細胞を、各細胞当たり約１００粒子の感染を複数回行うことによって感染され、その導入細胞を、免疫蛍光及びウェスタンブロット分析によって分析した。これらの調製物を、例１のシリーズＭのラットに記載したように、ラットの後肢に於ける潅流にＡｄＣＭＶｌａｃＺの代りに使用した。
【０２１６】
ＡｄＣＭＶΔ１７−４８ｄｙｓでの潅流の１週間後のラットから得られた腓腹筋の低温切片を、ヒトジストロフィンのエピトープには結合するが、ラットのジストロフィンには結合しない、ＮＣＬ−Ｄｙｓ−２によって免疫蛍光染色した。図１１ａに示されているように、前記ベクターを、ラットの腓腹筋の細胞に供給し、ＡｄＣＭＶΔ１７−４８ｄｙｓによってコードされた前記ミニ−ジストロフィンたん白質がそれらの細胞に於いて発現された。更に、その染色パターンは、ラット細胞における内生のジストロフィン産生について予想されるものと同じである。ウイルスベクターが供給されなかったラット腓腹筋と、ＡｄＣＭＶｌａｃＺベクターが供給された（図１１ｂに示されているように）ラット腓腹筋細胞とは、ＮＣＬ−Ｄｙｓ−２を使用した免疫蛍光染色を示さなかった。
【０２１７】
この例に提示した結果は、ここに記載の組成物と方法が、哺乳動物の筋細胞への遺伝子ベクターの管内供給に有用であり、そのような筋細胞は、それによって供給された遺伝子を発現することができる、ということを証明している。
【０２１８】
例５：  筋組織への遺伝子転移のためのアデノ関連ウイルスベクター
ここに記載したように、骨格筋へのアデノウイルス介在遺伝子転移に関する実験によって、微細血管内皮が、哺乳動物の血管空間から筋繊維へのアクセスを制限することが立証された。ヒスタミン（及びその他の血管透過性促進剤）は、微細血管内皮を一時的に透過性にし、これによって、骨格筋へのアデノウイルス介在遺伝子転移の効率の劇的な増加をもたらし、この効果はパパバリン等の血管拡張剤を同時使用することによって大幅に高められる。アデノウイルスベクターを使用した遮断潅流心筋組織に於ける高効率の遺伝子療法も示された。
【０２１９】
他者による、ヒトアデノ−関連ウイルス（ＡＡＶ）から誘導されたベクターを使用した組織の導入後に於ける、筋組織の於ける持続的トランスゲニック発現に関する最近の発表は、ＡＡＶベクターが、っ各及び心筋組織に対する遺伝子転移のためのここに記載の方法において有用であるかもしれない、ということを示唆している。たとえば、筋組織への遺伝子転移のためのＡＡＶベクターは、デルタ−サルコグリカン等のヒトサルコグリカンの全部又は一部をコードする核酸を含むものとすることができる。
【０２２０】
ここにＡＡＶ−ＣＭＶ−デルタ−サルコグリカンと称するベクターが、構築され、これが図１２に示されている。このベクターは、前記遺伝子、プロモータに作動リンクされたヒトデルタ−サルコグリカン（受入番号＃Ｘ９５１９１）のためのｃＤＮＡのコピーを有し、ｐＡ領域がＡＡＶ逆末端反復（ＡＡＶ−ＩＴＲ）間に介在し、ＡＡＶベクターキャプシッドを充填するべく前記構造体には十分な「中うめ（ｓｔｕｆｆｅｒ）」ＤＮＡが含まれている。使用された前記「中うめ」ＤＮＡは、転写的に不活性で、哺乳動物の細胞における公知の転写因子結合特性を有さない、ヒト未成熟ミオシン長鎖ｃＤＮＡの３‘最５００−１０００塩基対の一部を含んでいた。
【０２２１】
ＢＩＯ１４．６と称する心筋障害性シリアンハムスター株は、変異デルタ−サルコグリカン遺伝子を有し、従って、ヒトの肢−肢帯筋ジストロフィーの哺乳動物モデルである（ニグロ（Ｎｉｇｒｏ）他，１９９７，Ｈｕｍ．Ｍｏｌ．Ｇｅｎｅｔ．６：６０１−６０７）。前記ＢＩＯ  １４．６ハムスターに於いて、前記変異デルタ−サルコグリカン遺伝子の発現は、作動不能サルコグリカン複合体の形成をもたらす。前記ＡＡＶ−ＣＭＶ−デルタ−サルコグリカンをＢＩＯ１５．６ハムスターの筋組織に供給することによって、このハムスターの前記サルコグリカン複合体は、ハムスターが正常なデルタ−サルコグリカンたん白質を発現し、免疫蛍光的に検出可能な、アルファ−、ガンマ−、デルタ−サルコグリカンを有する作動サルコグリカン複合体を形成したという意味に於いて、「救済」された。
【０２２２】
齧歯動物の心臓が異所移植される心臓潅流実験に於いて、その心臓の収縮性は、心筋内皮透過化及び遺伝子転移中に於いて心臓低体温が維持される場合に、維持される。異所移植とは、提供動物のある部位から得られた組織を、受容動物の別部位に移植することをいう。この例に於いては、１匹のラットからの心臓を別のラットの大腿部位に移植した。
【０２２３】
これらの実験の結果は、本開示に記載の方法を使用して、治療用遺伝子構造物を筋組織に供給するために前記ＡＡＶベクターを使用することが可能であることを示している。導入遺伝子構造体に対するＡＡＶのサイズ制限は認められるが、それでも、ＡＡＶウイルスベクターのサイズ（即ち、約１ないし４．５キロベース）内で遺伝子構造体を供給することは可能である。従って、比較的小さなたん白質、又は、より大きなたん白質の生物学的に活性的な部分、をコードする遺伝子構造体を使用することができる。たとえば、正常な及び病的な血管形成中に於ける内皮細胞増殖の制御に於ける中心的媒体として血管内皮成長因子（ＶＥＧＦ）が関係つけられている（ファーララ（Ｆｅｒｒａｒａ）他、Ｎａｔｕｒｅ３８０：４３９−４４２）。１２１のアミノ酸残基を有するＶＥＧＦイソ型は、ＡＡＶベクター中の核酸によってコード可能であり、これは、そのようなベクターを使用してトランスホームされた筋繊維中のＶＥＧＦ生物活性を示す。更に、前記１２１アミノ酸ＶＥＧＦイソ型は、そのトランスフェクト筋組織のみに対するイソ型の特異性を高めるべく、細胞筋−特異転写カセット（たとえば、クレアチンキナーゼプロモータ／エンハンサカセット：ジェインズ（Ｊａｙｎｅｓ）他、１９８８，Ｍｏｌ．Ｃｅｌｌ．Ｂｉｏｌ．８：６２−７０）に作動リンク可能である。
【０２２４】
この例に記載の実験の結果は、更に、体循環系から遮断された心筋組織への遺伝子転移を行う間に心臓（又は全身）の低体温状態を維持することの有用性も示唆している。
【０２２５】
例６：  体遮断心筋組織への遺伝子ベクターのインビボ供給
この例は、遺伝子材料の心臓血管を介した成体心筋層への体転移を容易にするのに有用な方法と装置を記載するものである。この方法に依れば、別の心臓循環系がイン・ヴィヴォに形成され、これは心臓循環系を体血液循環系から有効に遮断する。心臓組織の体循環系からの遮断によって、心筋層がその遺伝子ベクターに、心筋層への新鮮な遺伝子ベクター含有ビヒクルをより長時間の供給によって、或いは、心筋層を通過する遺伝子ベクター含有ビヒクルの再循環（オプションとして、酸素供給と組み合わせられる）により、長時間晒されることが可能であるため、心筋層への遺伝子ベクターの転移の効率を大幅に向上させることが可能となる。この方法の特に有利な点は、ここに記載されているように、血管拡張剤（たとえば、パパバリン）や血管透過性促進剤（たとえば、ヒスタミン）等の炎症調節物質を、ビヒクルに含ませて、これを、それらの調節物質を大量又は有害な量、体循環系に供給することなく、心筋層内の循環用に供給することが可能なことにある。更に、この方法を使用して心臓循環系が体循環系から遮断されているので、心臓循環系内の圧力を、体循環系内の圧力に大きな影響を与えることなく、変化させることが可能である。従って、この方法に依れば、炎症調節物質を、それら調節物質の体作用を最小限に留めながら、遺伝子ベクターの心臓特異的吸収を大幅に向上させるのに十分な量で使用することが可能となる。
【０２２６】
この方法は、少なくとも二つの異なるタイプの心臓循環系遮断処置の一つを使用して行われる。「開胸」処置は、公知の大動脈、静脈、左右心室ベントカテーテル及び外科器具を使用して行われる。「最小侵入性」処置は、ここに記載の心臓遮断カテーテルを使用して行われる。この方法に使用される心臓遮断処置のタイプの如何に拘わらず、対象体の非心臓組織の潅流は、体外酸素供給装置及び血液循環ポンプを使用して維持される。静脈血液は、たとえば、対象体の大腿静脈にカニューレ挿入することによって採取され、前記酸素供給装置とポンプとを通される。酸素供給された血液は、たとえば、図１９Ａ及び１９Ｂに図示されているように、対象体の大腿動脈にカニューレ挿入することによって供給される。
【０２２７】
開胸心臓循環系遮断処置
心臓循環系は、少なくとも二つの異なった開胸外科処置を使用してイン・ヴィヴォに遮断される。これら二つの処置の第１のものは、次のように行われる。
（ｉ）正中胸骨切開によって、パースストリング（ｐｕｒｓｅ  ｓｔｒｉｎｇｓ）縫合糸を、近位上行大動脈と、遠位上行大動脈と、近位上大静脈と、下大静脈の近傍の右心房とに挿入する。
（ｉｉ）前記遠位大動脈にカニューレ挿入し、前記パースストリング縫合糸をカニューレの周りにしっかりと引き、この遠位大動脈カニューレを、血液酸素供給装置とポンプとを有する体外体心肺バイパス回路の動脈枝に接続する。前記遠位大動脈カニューレは、たとえば、６．５ミリの湾曲した金属先端のＳａｒｎカニューレとすることができる。
（ｉｉｉ）近位大動脈カニューレ（図１４の部材１８、たとえば、標準式ＤＬＰ心臓麻痺カニューレ）を、前記上行大動脈のパースストリング縫合糸に通し、縫合糸をしっかりと引く、前記近位大動脈カニューレの遺伝子ベクター供給ルーメン８２を、大動脈弁の遠位側の大動脈基部と、前記遺伝子ベクターを受ける遺伝子ベクターリザーバ（たとえば、容器、一片のフレキシブルチューブ、等）と、前記大動脈内カテーテルのルーメンに流体を供給するポンプとを有する遺伝子ベクター供給回路との両方に流体連通させる。前記近位大動脈カニューレのベントルーメン８４を、圧力解除装置（たとえば、液体によって一部充填されたリザーバ）と、大動脈基部の内部とに流体連通させる。
（ｉｖ）直角の静脈カニューレを、前記上大静脈のパースストリング縫合糸に通し、第２の直角の静脈カニューレを、下大静脈の近傍の右心房のパースストリング縫合糸のルーメンに通す。前記両パースストリング縫合糸を、それらの周りにしっかりと巻き付け、これら二つの直角のカニューレを、Ｙコネクタを介して、前記体心肺バイパス回路の静脈枝に接続する。止血帯を、前記直角カニューレの周囲の部分、又は、直角カニューレと右心房との間の部分に於いて上下大動脈に巻き付け、冠静脈洞とテベジウス静脈とから出るもの以外のすべての帯静脈戻り流が、前記帯心肺バイパス回路の静脈枝に転送させることを可能にする。上下大動脈の周りの前記止血帯を、締め付ける。これにより、体循環系からのすべての血液戻り流は、上下大動脈カニューレを介して体外体心肺バイパス回路に運ばれ、そこから、遠位大動脈カニューレに送られる。心肺バイパスを、対象体の血液を３７℃に維持しながら開始する。
（ｖ）次に、心室ベントカテーテルを、右心室と左心室とに挿入する。これらのベントカテーテルは、パースストリング縫合糸によって固定され、Ｙコネクタを介して前記遺伝子供給回路の静脈枝に接続されている。
（ｖｉ）奇静脈を閉塞させる（たとえば、それをクランプ、ｅｎｓｎａｒｅ、括る、又は、そのルーメン内でバルーンを膨張させることによって）。
（ｖｉｉ）上行大動脈を、たとえばクランプ１００を使用して、或いは、その内部でバルーンを膨張させるとによって、左右冠動脈の遠位側で閉塞させる。
（ｖｉｉｉ）心臓麻痺誘発溶液（たとえば、Ｐｌｅｇｉｓｏｌ（登録商標））を、前記近位大動脈カニューレを介して心筋（たとえば、大動脈基部を介して）に導入し、心臓麻酔を起こさせる。
（ｉｘ）肺動脈を、肺動脈弁の遠位側で閉塞させる。これら各工程を行った後、酸素供給流体および／又は前記遺伝子ベクターを含有する流体を近位大動脈カニューレを介して供給し、左右冠動脈を介して心臓循環系を潅流する。前記左心室ベントカテーテルは、大動脈弁を介して逆流される心臓大動脈流を回収する。回路のこの部分は、脳室拡大を避けるべく遺伝子供給の効率を高めるために高大動脈圧が使用される場合には重要である。冠静脈洞又はテベジウス静脈を介して心臓から戻る全ての血液又はクリスタロイドは、前記右心室ベントカテーテルを介して、前記遺伝子供給回路の静脈枝に搬送される。血液又はクリスタロイドは酸素供給され、近位大動脈カニューレを介して心臓循環系に戻される。
【０２２８】
或いは、心臓循環系を遮断するための前記二つの開胸外科処置の内の第２のものとが行われる。この第２の処置は、遺伝子供給回路への流体の取り入れのために、前記右心室ベントカテーテルの代りに冠静脈洞流出カテーテルが使用されることを除いて、第１の処置と実質的に同じである。前記冠静脈洞流出カテーテルは、冠静脈洞（図１３中のＣＳ）を露出させるために、上下大動脈上に止血帯を締め付けた後、右心房を外科切開することによって挿入される。パースストリング縫合糸を、冠静脈洞の心門の周りに設置する。前記冠静脈洞流出カテーテルの遠端部を、心門を通して挿入し、そのカテーテルの端部のバルーンを膨張させ、パースストリング縫合糸を締付け、これによって、冠静脈洞流出カテーテルを冠静脈洞に固定する。この第２の方法に於いて、前記右心室ベントカテーテルは使用する必要はなく、肺動脈は閉塞する必要がない。
【０２２９】
心臓循環系が体循環系から遮断されると、炎症調節物質を、遺伝子ベクターと共に、心臓循環系に注入し、これによって、心臓循環系から心筋間質への前記遺伝子ベクターの流出の効率を高め、心筋細胞による前記遺伝子の吸収と発現の効率を高める。このシステムは、遺伝子ベクターを含有する前記液体が、ほとんど心臓循環系のみを介して再循環されることを可能にする。前記液体は、それによって筋細胞の生存と、筋細胞による遺伝子ベクターの吸収とが向上するように、心臓循環系のより長時間に渡る遮断を可能にするべく、高いレベルの溶解酸素を含有することが可能な酸素輸送物質（たとえば、過フルオロ化合物液）としたり、或いは、酸素含有液（たとえば、酸素供給血液又はクリスタロイド）を時々又は常時補給されるものとすることができる。温度も筋細胞へのベクター仲介遺伝子供給の効率に影響するものであることから（たとえば、心筋細胞による遺伝子ベクターの吸収は、遮断された細胞及び生体外で処理された心筋層において、４−１０℃よりも３７℃でより効率的である）、前記遺伝子供給回路中の流体の温度も制御することができる。
【０２３０】
所定時間心臓循環系を遮断した後、前記遺伝子ベクターを含有する液体と、炎症調節物質（単数又は複数種）とを、これらベクターと炎症調節物質（単数又は複数種）とを実質的に含有しない別の液体によって置き換えることによって遺伝子ベクター供給を一時停止する。この別の液体は、１回の通過で心臓循環系を洗浄するのに使用したり、或いは、再循環させることができる。前記上下大動脈の周りの止血帯と、大動脈と（使用され場合には）肺動脈とに取り付けられたクランプとは、残存するベクターと炎症調節物質（単数又は複数種）が、体露出にとって安全なレベルにあると測定又は推定された時に、取り外される。この時点に於いて、体循環系が心臓循環系とが一つの循環系に合流される。次に、対象体を、この明細書の他の箇所に記載した、そして、残存炎症調節物質（単数又は複数種）及びベクターを血液流から取り除くための改変された限外瀘過法を含みうる、適当な支持技術を使用して、心肺バイパスから切り離す。
【０２３１】
この処置の前記開胸法は、犬に対して行われた。予備実験に於いて、エバンスブルーラベルされたアルブミンを、犬の遮断された心臓循環系に注入した。表２は、上述した遮断システムを使用して心臓潅流を２０分間行った後に於ける心臓及び体循環系中のエバンスブルーラベル化アルブミンの濃度を示している。これらの結果は、エバンスブルーラベル化アルブミンの濃度が、心臓循環系に於いて体循環系に於けるよりも約５０ないし１００倍高く、この方法を使用した場合のイン・ヴィヴォの心臓循環系の遮断の９８ないし９９パーセントの効率を示している。
【０２３２】
【表２】
0004299967.tif 000003
【０２３３】
図２０は、イン・ヴィヴォ心臓循環系遮断を受けた犬から得られた心筋と横隔膜の断面を図示している。ヒスタミン、パパバリン、及びエバンスブルーラベル化アルブミンを有するカクテルを、遮断された心臓循環系に注入し、それらの犬の体循環系には注入しなかった。図２０Ｃ及び２０Ｄに示されているように、心臓細胞間の間質へのエバンスブルーラベル化アルブミンの広範囲のいっ出は、心間質へのラベル化アルブミンの特異的供給に一致している。これに対して、図２０Ａ及び２０Ｂに図示されているように、横隔膜の骨格筋細胞間での間質には染色は少ない。これらのデータは、ここに記載の開胸心臓循環系遮断方法が、イン・ヴィヴォで心臓循環系を遮断を効果的に行うことに使用可能であり、更に、炎症調節物質が遮断された心臓循環系に供給される時、巨大分子物質の、横隔膜等の体組織の間質へではなく、心臓間質への特異的いっ出、が達成される、ということを示している。従って、これらの結果は、本方法の、遺伝子ベクター（たとえば、プラスミド、ウイルスベクター、等）の心筋への供給することにおける有用性を立証するものである。
【０２３４】
最小侵入性処置
心臓循環系の遮断は、又、様々な最小侵入性処置を使用しても達成することができ、これらの処置に於いては、様々なカテーテルが、対象体の血管（たとえば、頚静脈、大腿静脈、大腿動脈、上大静脈、下大静脈のいずれか一つ又は複数）に挿入される。これらのカテーテルは、前記開胸処置に於いてここに記載された或る種のカテーテル及びクランプの代りに使用可能であるので、これらの最小侵入性処置は、最小限の切開を使用して行うことができる。前記開胸処置に記載された方法とここに記載の最小侵入性処置との組み合わせを使用することも可能である、と理解される。
【０２３５】
心臓循環系を遮断するための最小侵入性処置の一実施例は、ｈｅａｒｔｐｏｒｔ  ＥｎｄｏＣＰＢ  Ｓｙｓｔｅｍ（Ｈｅａｒｔｐｏｒｔ  Ｉｎｃ．，Ｐａｌｏ  Ａｌｔｏ，ＣＡ）のもの等の公知の装置を使用して行うことができる。この実施例に於いて、対象体の体循環系は、対象体の大静脈（好ましくは、右心房のレベル、もしくはその下）と、対象体の大腿動脈とにカニューレ挿入することによって維持される。大腿カニューレは、体外ポンプ／酸素供給装置の動脈枝に接続され、静脈カニューレはその装置の静脈枝に接続される。対象体の心臓循環系は、Ｈｅａｒｐｏｒｔ  Ｅｎｄｏｃｏｒｏｎａｒｙ  Ｓｉｎｕｓ（登録商標）カテーテル、Ｈｅａｒｐｏｒｔ  Ｅｎｄｏｐｕｌｍｏｎａｒｙ  Ｖｅｎｔ（登録商標）カテーテル、及びＨｅａｒｔｐｏｒｔ  Ｅｎｄｏａｏｒｔｉｃ  Ｃｌａｍｐ（登録商標）カテーテルを使用して遮断される。
【０２３６】
この方法に依れば、前記Ｈｅａｒｐｏｒｔ  Ｅｎｄｏｃｏｒｏｎａｒｙ  Ｓｉｎｕｓ（登録商標）カテーテルが、対象体の内頚静脈、上大静脈を介して右心房に、そして冠静脈洞を通して挿入される。次に、このＨｅａｒｐｏｒｔ  Ｅｎｄｏｃｏｒｏｎａｒｙ  Ｓｉｎｕｓ（登録商標）カテーテルに取り付けられたバルーンを膨張させてカテーテルを位置固定する。前記Ｈｅａｒｐｏｒｔ  Ｅｎｄｏｐｕｌｍｏｎａｒｙ  Ｖｅｎｔ（登録商標）カテーテルも、前記内頚静脈、上大静脈を介して対象体の右心房に挿入される。次に、このカテーテルは、三尖弁を介して肺動脈の基部に、好ましくはは、この肺動脈弁を貫通して延出する状態で案内される。前記Ｈｅａｒｔｐｏｒｔ  Ｅｎｄｏａｏｒｔｉｃ  Ｃｌａｍｐ（登録商標）カテーテルは、対象体の大腿動脈に挿入され、下行大動脈に沿って上行大動脈へと進行される。このＨｅａｒｔｐｏｒｔ  Ｅｎｄｏａｏｒｔｉｃ  Ｃｌａｍｐ（登録商標）カテーテルのバルーンを、上行大動脈内の、心臓動脈への大動脈基部からの流体流は閉塞させないが、大動脈の弓（即ち、図１８に示されているように）への流体流は閉塞させるレベルに於いて、膨張される。或いは、Ｈｅａｒｔｐｏｒｔ  Ｅｎｄｏａｏｒｔｉｃ  Ｃｌａｍｐ（登録商標）カテーテルの、そのバルーンに対して遠位側の部分を、大動脈弁を介して左心室へと延出させる。
【０２３７】
これらカニューレ及びカテーテルが位置決めされると、前記静脈及び大腿カニューレを使用して対象体に於いて心臓バイパスが形成される。心臓麻酔誘発溶液が、Ｈｅａｒｔｐｏｒｔ  Ｅｎｄｏａｏｒｔｉｃ  Ｃｌａｍｐ（登録商標）カテーテルを介して大動脈基部に供給され、心臓の鼓動を停止させる。遺伝子供給回路が形成され、これによって、次に、遺伝子ベクターを含有する液体が、Ｈｅａｒｔｐｏｒｔ  Ｅｎｄｏａｏｒｔｉｃ  Ｃｌａｍｐ（登録商標）カテーテルを介して大動脈基部に供給され、冠状動脈と冠状静脈とを介して冠静脈洞へと流れ、ここから、前記Ｈｅａｒｐｏｒｔ  Ｅｎｄｏｃｏｒｏｎａｒｙ  Ｓｉｎｕｓ（登録商標）カテーテルを介して前記遺伝子供給組回路に戻る。この遺伝子供給装置は、重力（たとえば、対象体上の懸架された前記液体を収納するレザーバ）又はポンプによって作動させることができる。遺伝子供給回路がポンプ駆動される場合には、それは、単流システムとしてもよいし、或いは循環システムとして、前記Ｈｅａｒｐｏｒｔ  Ｅｎｄｏｃｏｒｏｎａｒｙ  Ｓｉｎｕｓ（登録商標）カテーテルによって回収された液体が大動脈基部に戻されるように構成してもよい。この液体は、更に、ここに記載の、単数又は複数種の炎症調節物質を含むことができる。
【０２３８】
この処置（即ち、Ｈｅａｒｐｏｒｔ装置を使用した）には大きな欠点がある、と理解される。心臓動脈に供給されるすべての血液が冠静脈洞を介して右心房に戻されるわけではない。この血液の約５パーセントは、「テベシウス」静脈と称される通路を経由して右心房と右心室に流入する。従って、この方法に依れば、前記遺伝子供給回路によって大動脈基部に供給される液体の一部が、右心房と右心室の静脈血液と混合し、これによって、前記心臓バイパス回路によって体系に供給される血液と混合される。遺伝子供給回路の液体と、心臓バイパス回路の静脈血液との混合は、前記Ｈｅａｒｔｐｏｒｔ  Ｅｎｄｏｐｕｌｍｏｎａｒｙ  Ｖｅｎｔ（登録商標）カテーテルから流体を引き出すことによって最小化することは出来ず、これによって、遺伝子供給回路液体と混合された静脈血液が肺動脈と右心室から引き出される。もちろん、このカテーテルを通じて引き出される静脈血液は、心臓バイパス回路に追加の血液を供給することによって置き換えられなければならない。従って、置き換えられる必要のある血液の量を考慮すれば、この方法は実用的ではない。少なくとも一つのカテーテル（即ち、前記Ｈｅａｒｐｏｒｔ  Ｅｎｄｏｃｏｒｏｎａｒｙ  Ｓｉｎｕｓ（登録商標）カテーテル）と、好ましくは、第２（即ち、前記Ｈｅａｒｔｐｏｒｔ  Ｅｎｄｏｐｕｌｍｏｎａｒｙ  Ｖｅｎｔ（登録商標）カテーテル）とが、大静脈の一つの腕と右心房とを横切る必要があるため、このＨｅａｒｔｐｏｒｔ装置を使用して、大静脈又は右心房を閉塞させることは実用的ではない。もちろん、これらＨｅａｒｔｐｏｒｔカテーテルの一方又は両方を、右心房のパースストリング縫合糸を通して挿入することも可能であろうが、これには、対象体の胸骨切開が必要であり、これによって、この方法の最小侵入特性が失われてしまう。
【０２３９】
Ｈｅａｒｔｐｏｒｔ装置を使用する処置の更に別の欠点は、冠静脈洞内カテーテルによって、心臓中の心臓血液流が減少することにある。多数の心臓静脈が、冠静脈洞の心門に於いて、又はその間近で冠静脈洞内に開口している。カテーテルを冠静脈洞内に据え付けるためには、その洞内に於いてバルーン又はそれに類似の装置を膨張させる必要があり、そこを通過する血液を閉塞するために、このバルーンを心門に対して着座させなければならない。しかしながら、バルーンを心門に着座させることによって、心門又はその近くで冠静脈洞内に開口する心臓静脈が閉塞され、これによつて、これら静脈を通る血液流が阻止又は減少する。これらの静脈を介して心筋組織に物質（たとえば、遺伝子ベクター）を供給する場合、それら静脈に関連する心筋へのその物質の供給は、抑制又は阻止される。従って、冠静脈洞内カテーテルの使用によって、心筋組織の少なくとも一部への物質の供給が抑制されるが、これは回避されることが好ましい。Ｈｅａｒｐｏｒｔ装置を使用する前記処置は、冠静脈洞内カテーテルの使用に依るものであり、従って、好ましくない。
【０２４０】
上述した（即ち、Ｈｅａｒｔｐｏｒｔ装置を使用した）処置の欠点を有さない別の最小侵入性処置を使用することができる。この別方法に於いて、前記前記Ｈｅａｒｔｐｏｒｔ  Ｅｎｄｏｐｕｌｍｏｎａｒｙ  Ｖｅｎｔ（登録商標）カテーテルと、前記Ｈｅａｒｐｏｒｔ  Ｅｎｄｏｃｏｒｏｎａｒｙ  Ｓｉｎｕｓ（登録商標）カテーテルとは、多機能静脈戻りカニューレ（ここでは、「心臓遮断カテーテル」と別称する）によって置き換えられる。この心臓遮断カテーテルは、上下大静脈に挿入され、これら上下大静脈を閉塞させるのに使用可能な導管シート（たとえば、バルーン又は隆起部）を有し、又、少なくとも一対のポートと流体連通する静脈血液流ルーメンを有し、少なくとも一つのポートは、上大静脈に於いて前記導管シートの上に位置し、少なくとも一つのポートは、下大静脈に於いて前記導管シートの下に位置する。それらを導管シートに着座させることによって両大静脈が閉塞さると、両大静脈を通過する静脈血液流が、前記心臓遮断カテーテルの静脈血液理由ルーメンを通過する。
【０２４１】
前記心臓遮断カテーテルの別の実施例が図１５と図１６Ａとに図示されている。図１５に於いて、近位ポート１４と遠位ポート１６との両方は前記静脈血液流ルーメン（図１５には図示されていない）と連通するカテーテル本体１０に貫通形成された径方向の孔である。図１６Ａに於いて、前記遠位ポート１６は、前記静脈血液流ルーメン２４の延長部である前記カテーテル本体１０の遠端部に形成された単なる開口部である。図１５に示されているように、両大静脈は、上大静脈の上部から近位ポート１４への血液流、又は、下大静脈の下部から遠位ポート１６への血液流を閉塞させることなく、カテーテルの両バルーン１２を膨張させることによって閉塞させることができる。前記心臓遮断カテーテルの静脈血液流ルーメンは、心臓バイパス装置の一部等の、体外ポンプ／酸素供給装置の静脈枝に接続することができる。
【０２４２】
図１５及び１６に図示されているように、前記心臓遮断カテーテルは、更に、単数又は複数のアクセスポート２０と前記遠位導管シート１７と近位導管シート１５との間に位置する単数又は複数の右心房流体アクセスポート２２と、単数又は複数の吸引ポート１８とを備えることができる。前記右心房流体アクセスポート２２は、それを通して流体が右心房から回収可能な、単数又は複数の流体流ルーメン３０と連通している。好ましくは、右心房からの流体の吸収を促進するために、少なくとも緩やかな吸引力（たとえば、−０．５ｕｅｄ−５ｐｓｉｇ）が、前記流体流ルーメン３０に加えられる。前記吸引ポート１８は、図１６に示すように、オプションとして流体流ルーメン３０と同じものとすることができる、単数又は複数の吸引ルーメン２６と連通している。前記吸引ルーメン（単数又は複数）２６に少なくとも緩やかな吸引力を加えることによって、両大静脈の導管シート（たとえば、図１５及び１６のバルーン１２対）での着座を促進することができる。前記アクセスポート２０は、アクセスポート２０専用のルーメン、又は、前記心臓遮断カテーテルの他のルーメンの一つ（たとえば、前記静脈血液流ルーメン２４、前記吸引ルーメン２６又は前記流体流ルーメン３０）と連通可能である。これらのアクセスポート２０は、それを通して組成物、カテーテル、又はその他の装置が対象体の右心房の領域に挿入可能なオリフィス（たとえば、図１７Ａに図示されているように）を提供するために設けられている。
【０２４３】
前記心臓遮断カテーテルは、上下方向又はその反対（即ち下上）方向で大静脈に挿入することができる。カテーテルが上下方向に挿入される場合は、それは、好ましくは、右頚静脈を介してヒト対象体に挿入れるが、但し、それを左頚静脈又は上大静脈と連通する別の血管、を通して挿入させることも可能である。カテーテルが下上方向に挿入される場合は、それは、好ましくは、対象体の大腿静脈を介してヒト対象体に挿入されるが、但し、それを下大静脈と連通する別の血管を介して挿入することも可能である。或いは、カテーテルを、対象体を完全に通して（たとえば、患者の大腿静脈とその患者の頚静脈とから延出して）挿入することも可能である。全ての患者の静脈の解剖学的構造は、或る程度異なり、ある場合に於いては、一つの方向でのカテーテルを挿入が不可能である場合もあることから、カテーテルが挿入可能な方向に於けるフレキシビリティが好ましい。そのような場合、カテーテルを別の位置から、同じ又は異なる方向で挿入することができる。このフレキシビリティは、前記カテーテルの重要な特徴である。
【０２４４】
前記心臓遮断カテーテルの方向の如何に拘わらず、それは、下記のように実質的に同様に使用される。
【０２４５】
心臓遮断カテーテルを、対象体の上下大静脈を通して挿入し、遠位導管シート１７が上下大静脈の一方の上に位置し、近位導管シート１５がその他方の上に位置するようにする。次に、カテーテルを位置固定する。好ましくは、上大静脈の導管シートは、右心房と、腕頭静脈の接合部との間に位置し、下大静脈の導管シートは、右心房と、肝静脈と下大静脈との接合部との間に位置する。前記両導管シート１５，１７は、たとえば、バルーン１２、カテーテル本体１０の隆起部、カテーテル本体１０の拡張可能部、カテーテル本体１０に形成された凹部、カテーテル本体１０のラフ又は不規則部、等とすることができる。前記心臓遮断カテーテルは、更に、一つの導管シートと関連付けられた単数又は複数の吸引ポートを備えることができ、これにより、吸引ポートに吸引力を与えると、大静脈の壁が導管シートに対してより強固に着座される。前記導管シートの重要な特徴は、それらが支持を提供することにあり、これにより、管外部材（たとえば、スネア又はクランプ）とは独立的に、或いは、それとの協動で、心臓遮断カテーテルを対象体の大静脈内に位置固定することができる。
【０２４６】
図１８に示すように、動脈内カテーテルを、対象体の動脈を介して上行大動脈に挿入する。この動脈内カテーテルは、フレキシブルロッド５０と動脈導管シート５２とを有する。前記ロッド５０は、遠端部と近端部とを有し、前記動脈導管シートに対して遠位側に位置して、前記遠端部には排出ポート５５が設けられている。前記ロッドは、オプションとして、このロッドの遠端部又はその近傍に左心室ベントポート５７を有する。前記排出ポート５５と左心室ベントポート５７とは、オプションとして同じポートであってよく、その場合、排出ポート５５に供給された流体には、左心室又は動脈基部内に於ける圧力の増加を防止するべく圧力解除装置が適用される。前記動脈内カテーテルの前記排出ポート５５は、かの動脈内カテーテル内で長手方向に延出する液体アクセスルーメン５４と流体連通している。従って、この液体アクセスルーメン５４に供給された液体は、動脈内カテーテルの長手方向に沿って流れて、排出ポート５５からカテーテルを出ることができる。前記動脈導管シートは、表面動脈内カテーテルを対象体の大動脈内で位置固定する作用を有する、動脈内カテーテルに取り付けられた装置、その表面部分、又はその表面処理部、とすることができる。たとえば、前記心臓遮断カテーテル用として記載された導管シートのいずれも、動脈内カテーテルに使用することが可能である。大動脈を前記動脈導管シートに着座させることによって、大動脈内のこの動脈導管シートを通過する流体流が閉塞される。前記動脈内カテーテルは、たとえば、ここに記載したＨｅａｒｔｐｏｒｔ  Ｅｎｄｏａｏｒｔｉｃ  Ｃｌａｍｐ（登録商標）カテーテル等の市販のものであってよい。
【０２４７】
動脈内カテーテルの遠端部は、動脈基部内、又は、左心室内にセットされ、大動脈が、心臓動脈と大動脈の弓との間で動脈導管シートに着座される。動脈内カテーテルの適切な配置の一例が図１８に図示されている。この図に於いて、前記排出ポート５５は左心室内にあり、大動脈を通過する流体流は、大動脈を動脈導管シート１２、この場合に於いては動脈内バルーン、に対して着座させることによって閉塞されている。
【０２４８】
前記心臓遮断カテーテルの流体流ルーメン３０は、体外流体流回路の静脈枝と流体連通されている。この流体流回路の動脈枝は、前記動脈内カテーテルの前記流体アクセスルーメン５４に接続されている。前記流体流回路は、たとえば、遺伝子ベクターを収納するレザーバ、ポンプ、流体、及び、流体酸素供給装置等とすることができる。流体は、対象体の心臓の内部又は心臓血管に対して、それらに重大な害を与えることなく、供給可能な実質的にどのような流体であってもよい。たとえば、この流体は、りん酸緩衝生理食塩水、その他の緩衝液、対象体又は提供体から得た血液、酸素輸送物質、過フルオロ化合物液、等とすることができる。この流体は、又、ここに記載されているように、非排他的に、ヒスタミン等の血管透過性促進剤と、パパバリン等の血管拡張剤を含む単数又は複数種の炎症調節物質を含むものとすることができる。
【０２４９】
前記対象体の非心臓組織は、前記心臓遮断カテーテルの静脈血液流ルーメン２４を経由して対象体から体静脈血液を得て、この血液に、体外血液酸素供給装置によつて酸素供給し、この酸素供給された血液を、たとえば、大腿動脈カテーテル、を使用して対象体の動脈に供給することによって、潅流される。この体血液酸素供給法は、図１９Ａに図示されている。これに代えて、前記動脈内カテーテルは、酸素供給血液流ルーメンと、その遠端部近くで、但し、前記動脈導管シートに対して近位側、に設けられた酸素供給血液ディフューザ靴とを設けることも可能である。酸素供給された血液を前記酸素供給血液流ルーメンに供給することによって、酸素供給された血液が、動脈弓から始まって対象体の動脈を流れ、これによって、対象体のその他の点に於いて血液を供給することによって起こされる流れよりも正常な生理的血液供給に近い血液供給を提供することができる。
【０２５０】
前記心臓遮断カテーテルを対象体の大静脈に位置固定すると、遠端部を有する第２のカテーテルを、心臓遮断カテーテルのルーメン、このルーメンと連通するアクセスポート２０を介して、対象体の右心房へと挿入することができる。心臓の内部から肺動脈への血液のパッシブな流れを最小化又は阻止するべく、この第２カテーテルを、三尖弁を通して、肺動脈の基部、或いは、更に、肺動脈弁を超えて挿入することができる。この第２カテーテルに、図１７Ａに図示されているように、その遠端部又はその近くにバルーン４２又はのその他の血管閉塞装置を備えさせることができる。この第２カテーテルに、更に、その遠端部、又は、右心室へと侵入可能な湾曲部、に流体取り込みポートを設けることができ、ここで、肺動脈又は右心室からの流体を、当該第２カテーテルの内部で長手方向に延出し前記開口部と連通する流体取り込みルーメンを通して取り込むことができる。この流体の取出しは、左心室又は肺動脈弁の近位側で蓄積する炎症調節物質（単数又は複数種）によって引き起こされる可能性のある、体、肺又はその他の損傷を防止するのに有効である。
【０２５１】
ここに記載した全てのカテーテルは、当該技術に於いて周知の螢光透視法、X線写真術、気管内超音波心臓検診法、又は音波ホログラフィー法等によって据え付けることができる。そのような据え付けを容易にするために、これらカテーテルの内部又は外部に、単数又は複数の、超音波的に不透明、Ｘ線写真術的不透明、又はその他の検出可能なマーカを設けることができる。これらのマーカは当該技術に於いて周知である。
【０２５２】
前記心臓遮断カテーテル、第２カテーテル、及び動脈内カテーテルが据え付けられ（たとえば、図１７及び１８のように）、必要な場合には奇静脈が閉塞されると、遮断された心臓循環系を介した流体流が開始される。流体は、前記流体アクセスルーメン５４と排出ポート５５を通って、ここに記載のように、大気圧又は僅かにそれを上回る圧力（たとえば、０．１ないし５ｐｓｉｇ）、或いは、大幅に高められた圧力で供給することができる。閉塞心臓循環系に供給される前記流体は、合成のもの（たとえば、過フルオロ化合物液、又はｐＨ７．４のＴｒｉｓ−Ｃｌ等の緩衝液）、あるいは、天然のもの（たとえば、対象体の血液）、あるいはそれらの組み合わせ（たとえば、緩衝液を添加した血液）とすることができる。この流体は、心臓循環系に対して、１回のパスで供給することも（即ち、流体は心臓循環系から出たあと破棄される）、或いは、循環モード（即ち、これによって心臓循環系からでた流体は、心臓循環系に再供給される）で供給されることも可能である。遮断された心臓循環系が維持される時間は、もしもその遮断心臓循環系に供給される液体が、赤血球細胞又は過フルオロ化合物液を含むものである場合には、増加させることが可能である。前記遮断心臓循環系に供給される前記液体は、最初から、ヒスタミン又はパパバリン等の炎症調節物質を含むものであってもよいし、或いは、それらの調節物質を、遮断心臓循環系への流体流が開始された後に液体に添加してもよい。同様に、この液に、最初から、遺伝子ベクターを含ませてもよいし、或いは、遺伝子ベクターを遮断心臓循環が始まった後で添加してもよい。
【０２５３】
心臓循環系と体循環系とを再合流させる前に、それらの組成物への望ましくない体の露出を防止するために、遮断心臓循環系から遺伝子ベクター（単数又は複数）又は炎症調節物質（単数又は複数）を洗浄除去することが望ましいかもしれない。それらの組成物は、動脈内カテーテルの前記液体アクセスルーメンにそれらの組成物を含まない液体を供給することによって循環系から洗浄除去することが可能である。心臓循環系と体循環系とを合流させる前に、少なくとも数回分の心臓循環量を、遮断心臓循環系に通過させるべきである。たとえば、約０．５ないし１リットルの液体を、ヒトの対象体の心臓循環系を通してフラッシングさせることができる。
【０２５４】
もしも炎症調節物質が遮断心臓循環系に供給されている場合には、本明細書の他の箇所に記載したように、対象体に対して体外循環系支持装置を提供することが推奨される。
【０２５５】
ここに挙げた、各及びすべての特許、特許出願、及び刊行物の開示内容の全体を、ここに参考文献として合体させる。
【０２５６】
以上、本発明を、具体的な実施例を参照しながら開示したが、本発明の真の精神及び範囲から離脱することなく、本発明のその他の実施例及び改変を、当業者は考案することが可能であることが明らかである。添付の特許請求の範囲は、そのような実施例及び均等な改変例の全てを含むものと解釈される。
【図面の簡単な説明】
【図１】図１は、炎症調整物質の不在状態に於けるラットの筋肉中の遺伝子転移のパターンを図示し、アデノウイルスに対する血管内皮バリアの完全性を示している。
【図１ａ】図１ａは、ＡｄＣＭＶｌａｃＺ（表１，シリーズＣ）の動脈注入４日後の成体ラットの大腿二頭筋に於けるマーカ遺伝子活動を、Ｘｇａｌ染色による評価したものを５００倍の倍率で示す画像である。
【図１ｂ】図１ｂは、成体ラットの前脛骨筋に於けるマーカ遺伝子活動を、より高い圧力の注入でのＸｇａｌ染色によって評価したものを３５０倍の倍率で示す画像である（表１，シリーズｅ）。
【図１ｃ】図１ｃは、成体ラットの前脛骨筋に於けるマーカ遺伝子活動を、全マウント標本のＸｇａｌ染色によって評価したものを５００倍の倍率で示す画像である。この画像を得る３日前に、５ｘ１０10粒子のＡｄＣＭＶｌａｃＺを筋肉注射したことによって、前脛骨筋のこの部分に限定された集中遺伝子導入が起こった。
【図２】図２は、パネルＡ−Ｆから成り、これは、ヒスタミンとパパバリンの存在下に於ける遺伝子ベクター導入後の成体ラット骨格筋繊維への高効率の遺伝子転移を示す一連の画像である。パネルＡは、複数の断面を露出させるための全マウント染色の前に解剖されたラットからの後肢全体を示す画像である。パネルＢは、１００倍の倍率での光学顕微鏡検査での評価に依る、大腿四頭筋（パネルＡの最上列）中にマーカ遺伝子分布を示す画像である。この画像は、共通大腿動脈のレベルに於いて止血用具を設置することによって、大腿直筋への主要血液供給が遮断されることを示している。パネルＣは、図２にまとめて図示されている画像中に示された筋肉グループの相対位置を示す画像である。パネルＤは、２５倍の倍率で、半膜様筋、短内転筋、その近傍の伏在動脈（該パネルの右上）を示す画像である。パネルＥは、前脛骨筋の一部を３００倍のＮｏｒｍａｒｓｋｉマイクログラフで示す画像であり、小動脈（パネルの左中央部分）の染色されていない壁と、多くの均一に染色された筋繊維組織とを示している。パネルＦは、２５倍の倍率で、それに対する遺伝子導入後の腓腹筋を示す画像である。
【図３】図３は、ヒトの患者に対するポンプ酸素供給装置の位置を示す図である。
【図４】図４は、カニューレ挿入位置と、ヒトの患者の肝臓血液流閉塞に有効な位置とを示す図である。
【図５】図５は、ヒト患者に於ける、ミニマルアクセス血管クランプと、ＥＣＬＰポンプ酸素供給装置と、腹腔鏡ビデオモニタとの相対位置を示す図である。
【図６ａ】図６ａは、１５０ミリグラムのパパバリンと、１ミリグラムのヒスタミンとを投与した約４０キログラムのヒツジから得られた生理データを要約するグラフである。ＨＲは、毎分当たりの心拍数を意味する。ＢＰは、ｔｏｒｒ単位測定での平均血圧を意味する。ＣＶＰは、ｔｏｒｒ単位測定での中央静脈圧を意味する。ＰＡＰは、ｔｏｒｒ単位測定での肺動脈圧を意味する。ＦＡＰは、ｔｏｒｒ単位測定での大腿動脈圧を意味する。ＣＰＢＰは、毎分リットル単位での心臓肺バイパス流量を意味する。
【図６ｂ】図６ｂは、３００ミリグラムのパパバリンと、５ミリグラムのヒスタミンとを投与した約４０キログラムのヒツジから得られた生理データを要約するグラフである。略語は図６ａと同様である。
【図７】図７は、閉塞齧歯動物後脚に対して遺伝子ベクターを導入するための、ポンプ、酸素供給装置、圧力レギュレータの使用を示す図である。齧歯動物後脚の動脈及び静脈は、その齧歯動物の循環系から、止血装置等を使用して遮断される。前記遺伝子ベクターが前記動脈に導入される。静脈カテーテルによっ、前記静脈がポンプの入口に接続される。このポンプは、酸素供給装置を介して静脈から引き出された血液を、第２カテーテルを介して動脈に通過させる。圧力レギュレータによって、齧歯動物の動脈のかん流圧が一定に維持される。
【図８】図８は、図７に示した酸素供給装置の一実施例の作動を示す図である。
【図９】図９は、図７に示した酸素供給装置の構造を示す図である。
【図１０】図１０は、図７に示した前記圧力レギュレータと導入メカニズムとの相手だのインターフェースの一実施例の構造を示す図である。
【図１１ａ】図１１ａは、アデノウイルスベクターＡｄＣＭＶΔ１７−４８ｄｙｓを導入し、ヒトのジストロフィンには存在するが、ラットのジストロフィンには存在しないエピトープに特異的に結合する蛍光ラベル抗体であるＮＣＬ−Ｄｙｓ−２を使用して免疫蛍光染色されたラットの腓腹筋の断面を示す画像である。
【図１１ｂ】図１１ｂは、アデノウイルスベクターＡｄＣＭＶΔ１７−４８ｄｙｓを導入しＮＣＬ−Ｄｙｓ−２を使用して免疫蛍光染色されたラット腓腹筋の断面を示す画像である。
【図１２】図１２は、ここに記載の「ＡＶＬ−ＣＭＶ―デルタ−サルコグリカン」と表示されるアデノ関連ウイルス遺伝子ベクターの図である。
【図１３】図１３は、ヒトの心臓の図であって、ここでは、明瞭性の為に、下降大動脈が変位され、いくつかの表面が除去されている。ラベルは以下の解剖学的部分を示す、ＳＶＣ，上大静脈；ＩＶＣ，下大静脈；ＲＡ，右心房；ＣＳ，冠静脈洞（この図では冠静脈洞の心門のみが見える）；ＴＶ，三尖弁；ＲＶ，右心室；ＰＶ，肺動脈弁；ＰＡ，肺動脈；ＬＡ，左心房；ＢＶ，二尖弁；ＬＶ，左心室；ＡＶ，大動脈弁；Ａ，大動脈。
【図１４】図１４は、その大動脈を貫通するカニューレ８０と、大動脈を閉塞するクランプ１００とを有するヒトの心臓を示す。ＲＣＡは、右冠状動脈のおよその位置を示し、ＬＣＡは、左冠状動脈のおよその位置を示す。
【図１５】図１５は、ここに記載の、それに関連する大静脈を通してねじ込まれた心臓遮断カテーテルを有するヒトの心臓を示している。
【図１６】図１６は、図１６Ａ，１６Ｂ，１６Ｃ及び１６Ｄから成り、本発明の前記心臓遮断カテーテルの一実施例の構造を示す４つの図面である。図１６Ａは、前記カテーテルの遠端部の構造を示し、カテーテルの近端部は図示されていない。図１６Ｂ，１６Ｃ及び１６Ｄは、図１６Ａ中に示された平面に沿った、図１６Ａに図示されたカテーテルの断面を示している。
【図１７】図１７は、図１７Ａ及び１７Ｂから成り、それに関連する大静脈を通してねじ込まれた心臓遮断カテーテルと、肺動脈内に設置された第２カテーテルとを有するヒトの心臓を示している。図１７Ａに於いて、前記第２カテーテル４０は、ここに記載されているように、前記心臓遮断カテーテルのアクセスポート２０を通してねじ込まれている。図１７Ｂに於いて、前記第２カテーテル４０は、前記心臓遮断カテーテルとは独立して、但し、スネアＳが心臓遮断カテーテルの導管シートに対して上大静脈を載置させている位置においてこの心臓遮断カテーテルの外面に形成されたノッチ又は凹部内にフィットした状態で、上大静脈を通して設置されている。
【図１８】図１８は、ここに記載されているように、その大動脈基部内に配置された大動脈内カテーテルを有するヒト心臓を示している。
【図１９】図１９は、図１９Ａと１９Ｂとから成り、ここに記載の心臓循環遮断方法の実施例に於ける装置の構成の一対の図である。図１９Ａに於いて、大動脈内カテーテル（ＥＣ）と、心臓遮断カテーテル（ＣＩＣ）とが、患者内に設置され、ここに記載のように、これらに対して、体外血液酸素供給装置（ＥＢＯ）と体外流体回路（ＥＦＣ）とが接続されている。図１９Ｂに於いて、大動脈内カテーテル（ＥＣ）と、上大静脈戻りカテーテル（ＳＣＲＣ）と、下大静脈戻りカテーテル（ＩＣＲＣ）とが、患者内に設置され、ここに記載のように、これらに対して、体外血液酸素供給装置（ＥＢＯ）と体外流体回路（ＥＦＣ）とが接続されている。
【図２０】図２０は、図２０Ａ，２０Ｂ，２０Ｃ及び２０Ｄから成り、犬の遮断された心臓循環系へのエバンスブルーラベルアルブミンの導入後に於ける、イヌの心筋及び横隔膜組織のエバンスブルー色素標識化を示す４つの画像である。横隔膜組織が、異なる倍率で、図２０Ａと２０Ｂとに図示されている。心筋組織（左右心室心筋層）が、図２０Ｃ及び２０Ｄに図示されている。
【図２１】図２１は、本発明の前記心臓遮断化の一実施例を示す断面画像であって、ここで、カテーテルは、スネアＳを介して、それぞれ、上大静脈ＳＶＣと下大静脈ＩＶＣとに着座された導管シート９２，１０２を備える一対の大静脈戻りカテーテル９０，１００を有する。カテーテル４０は、前記両大静脈戻りカテーテルの一つのアクセスポートから右心房ＲＡ内に延出している。設置された大静脈戻りカテーテルの遠端部のみが図示されている。
【図１ａ】
0004299967.tif 000004
【図１ｂ】
0004299967.tif 000005
【図１ｃ】
0004299967.tif 000006
【図２Ａ】
0004299967.tif 000007
【図２Ｂ】
0004299967.tif 000008
【図２Ｃ】
0004299967.tif 000009
【図２Ｄ】
0004299967.tif 000010
【図２Ｅ】
0004299967.tif 000011
【図２Ｆ】
0004299967.tif 000012
【図３】
0004299967.tif 000013
【図４】
0004299967.tif 000014
【図５】
0004299967.tif 000015
【図６ａ】
0004299967.tif 000016
【図６ｂ】
0004299967.tif 000017
【図７】
0004299967.tif 000018
【図８】
0004299967.tif 000019
【図９ａ】
0004299967.tif 000020
【図９ｂ】
0004299967.tif 000021
【図１０】
0004299967.tif 000022
【図１１Ａ】
0004299967.tif 000023
【図１１Ｂ】
0004299967.tif 000024
【図１２】
0004299967.tif 000025
【図１３】
0004299967.tif 000026
【図１４】
0004299967.tif 000027
【図１５】
0004299967.tif 000028
【図１６Ａ】
0004299967.tif 000029
【図１６Ｂ】
0004299967.tif 000030
【図１６Ｃ】
0004299967.tif 000031
【図１６Ｄ】
0004299967.tif 000032
【図１７Ａ】
0004299967.tif 000033
【図１７Ｂ】
0004299967.tif 000034
【図１８】
0004299967.tif 000035
【図１９Ａ】
0004299967.tif 000036
【図１９Ｂ】
0004299967.tif 000037
【図２０Ａ】
0004299967.tif 000038
【図２０Ｂ】
0004299967.tif 000039
【図２０Ｃ】
0004299967.tif 000040
【図２０Ｄ】
0004299967.tif 000041
【図２１】
0004299967.tif 000042